(57)【要約】  本開示は、ネットワーク間運用の方法、第１ネットワーク、第３ネットワーク及び端末を提供する。第１ネットワークに適用するネットワーク間運用の方法は、前提条件を満たしているか否かを決定するステップ、及び、前記前提条件を満たしている場合、前記第１ネットワークから前記第２ネットワークへの関連運用を、第３ネットワーク又は相互運用ネットワーク要素を介して実行するステップを有する。
2021520138.tif 000002
【特許請求の範囲】
【請求項１】
第１ネットワークのネットワークユニットに適用するネットワーク間運用の方法であって、
前提条件を満たしているか否かを決定するステップ、及び、
前記前提条件を満たしている場合、第３ネットワーク又は相互運用ネットワーク要素を介して前記第１ネットワークから前記第２ネットワークへの関連運用を実行するステップを有する、ネットワーク間運用の方法。
【請求項２】
前記の前記第１ネットワークから第２ネットワークへの関連運用を実行するステップは、
前記第１ネットワークから前記第２ネットワークへのハンドオーバーの関連運用を実行する段階、
前記第１ネットワークから前記第２ネットワークへのＣＳハンドオーバーの関連運用を実行する段階、
前記第１ネットワークから前記第２ネットワークへのＰＳハンドオーバーの関連運用を実行する段階、
前記第１ネットワークと前記第２ネットワークとの間の端末コンテキストを取得する関連運用を実行する段階、
前記第１ネットワークから前記第２ネットワークへのデータ転送の関連運用を実行する段階、
前記第１ネットワークから前記第２ネットワークへのＩＰアドレス保持の関連運用を実行する段階、
前記第１ネットワークの端末に関する情報を前記第２ネットワークの端末に関する情報にマッピングする段階、
前記第１ネットワークから第２ネットワークへの運用の第２関連情報を第１ターゲット側に送信する段階、及び
前記第１ネットワークから前記第２ネットワークへの運用の指示情報を第１ターゲット側に送信する段階、
のうちの少なくとも１つを含む、請求項１に記載の方法。
【請求項３】
前記の前提条件を満たしていることは、
前記第１ネットワークから前記第２ネットワークへの運用の第１関連情報を取得すること、
前記第１ネットワークから前記第２ネットワークへのＰＳ運用の第１関連情報を取得すること、
前記第１ネットワークから前記第２ネットワークへのＣＳ運用の第１関連情報を取得すること、
前記第１ネットワークから前記第２ネットワークへのハンドオーバー要求の情報を受信すること、
前記第１ネットワークと前記第２ネットワークとの間に直接のインタフェースが存在しなく、且つ第３ネットワーク又は相互運用ネットワーク要素を介して相互作用することこと、及び
端末が第２ネットワークにアクセスすることのうちの少なくとも１つを含む、請求項１に記載の方法。
【請求項４】
前記第１関連情報は、
第２ネットワーク能力情報、ＩＭＳセッション転送番号、移動局国際加入者識別子番号、緊急サービスであるかの指示情報、優先度情報のうちの少なくとも１つを含み、
及び／又は、
前記第１ネットワークから前記第２ネットワークへのハンドオーバー要求の情報は、
前記第１ネットワークから前記第２ネットワークへのＣＳハンドオーバーの指示情報、
ターゲットネットワークが前記第２ネットワークとして示され、第２ネットワークタイプのソース無線アクセスネットワークからターゲット無線アクセスネットワークへの伝送コンテナ情報、のうちの少なくとも１つを含む、請求項３に記載の方法。
【請求項５】
前記の前記第１ネットワークから前記第２ネットワークへのＣＳハンドオーバーの関連運用を実行する段階は、
前記第１ネットワークの端末に関する情報を前記第２ネットワークの端末に関する情報にマッピングすること、
前記第１ネットワークの端末に関する情報を前記第３ネットワークの端末に関する情報にマッピングすること、
前記第１ネットワークから前記第２ネットワークへのＣＳハンドオーバー運用の第２関連情報を前記第１ターゲット側又は前記第３ネットワークのネットワークユニットに送信すること、
前記第１ネットワークから前記第２ネットワークへのＣＳハンドオーバー運用の指示情報を前記第１ターゲット側又は前記第３ネットワークのネットワークユニットに送信すること、及び
前記第１ネットワークから前記第３ネットワークへの、第１ネットワークから前記第２ネットワークへのＣＳハンドオーバー運用の指示情報及び／又は前記第２関連情報を含むハンドオーバー要求を、前記第１ターゲット側又は前記第３ネットワークのネットワークユニットに送信すること、
のうちの少なくとも１つを含む、請求項２に記載の方法。
【請求項６】
前記第２関連情報は、
第２ネットワークのターゲット無線アクセスネットワークノードの識別子情報、前記第２ネットワークのセキュリティ情報、アンカーポイントネットワーク識別子情報、サポートされる回線交換ドメイン音声コーデックリスト情報、移動局クラスマーク２情報、移動局クラスマーク３情報、第２ネットワークタイプのソース無線アクセスネットワークからターゲット無線アクセスネットワークへのトランスペアレントコンテナ情報、ＩＭＳセッション転送番号、移動局国際加入者識別子番号、移動局ネットワーク能力情報、ユーザ端末ネットワーク能力、緊急サービスであるかの指示情報、優先度情報、第１ネットワークの端末に関する情報、第２ネットワークの端末に関する情報、第３ネットワークの端末に関する情報、サービングゲートウェイ選択関連情報、
のうちの少なくとも１つを含む、請求項５に記載の方法。
【請求項７】
前記第１ネットワークから前記第２ネットワークへのＣＳハンドオーバー運用の指示情報は、
前記第１ネットワークから前記第２ネットワークへのＣＳハンドオーバーの指示情報、
前記第３ネットワークから前記第２ネットワークへのＣＳハンドオーバーを開始する指示情報、及び
前記相互運用ネットワーク要素から前記第２ネットワークへのＣＳハンドオーバーを開始する指示情報、のうちの少なくとも１つを含む、請求項５に記載の方法。
【請求項８】
前記第１ネットワークから第２ネットワークへの関連運用を実行した後、さらに、
前記第２ネットワークから送り返された前記第１ネットワークから前記第２ネットワークへのＣＳハンドオーバー応答を受信するステップを有する、請求項１に記載の方法。
【請求項９】
前記第１ネットワークは５Ｇネットワークであり、前記第２ネットワークは３Ｇネットワークであり、前記第３ネットワークは４Ｇネットワークである、請求項１に記載の方法。
【請求項１０】
前記第１ネットワークは５Ｇネットワークであり、前記第３ネットワークはＭＭＥを備える、請求項１に記載の方法。
【請求項１１】
第１ネットワークに適用するネットワーク間運用の方法であって、
前提条件を満たしているか否かを決定するステップ、及び
前記前提条件を満たしている場合、前記第１ネットワークから第２ネットワークへの関連運用を実行するステップを有し、
前記第１ネットワークは５Ｇネットワークであり、前記第２ネットワークは３Ｇネットワークであり、又は、
前記第１ネットワークは３Ｇネットワークであり、前記第２ネットワークは５Ｇネットワークである、ネットワーク間運用の方法。
【請求項１２】
前記の前記第１ネットワークから第２ネットワークへの関連運用を実行するステップは、
前記第１ネットワークから前記第２ネットワークへのハンドオーバーの関連運用を実行する段階、
前記第１ネットワークから前記第２ネットワークへのＣＳハンドオーバーの関連運用を実行する段階、
前記第１ネットワークから前記第２ネットワークへのＰＳハンドオーバーの関連運用を実行する段階、
前記第１ネットワークと前記第２ネットワークとの間の端末コンテキストを取得する関連運用を実行する段階、
前記第１ネットワークから前記第２ネットワークへのデータ転送の関連運用を実行する段階、
前記第１ネットワークから前記第２ネットワークへのＩＰアドレス保持の関連運用を実行する段階、
前記第１ネットワークの端末に関する情報を前記第２ネットワークの端末に関する情報にマッピングする段階、
前記第１ネットワークから第２ネットワークへの運用の第２関連情報を第１ターゲット側に送信する段階、及び
前記第１ネットワークから前記第２ネットワークへの運用の指示情報を第１ターゲット側に送信する段階のうちの少なくとも１つを含む、請求項１１に記載の方法。
【請求項１３】
前記の前提条件を満たしていることは、
前記第１ネットワークから前記第２ネットワークへの運用の第１関連情報を取得すること、
前記第１ネットワークから前記第２ネットワークへの運用の第１関連情報を取得すること、
前記第１ネットワークから前記第２ネットワークへのＣＳ運用の第１関連情報を取得すること、
前記第１ネットワークから前記第２ネットワークへのハンドオーバー要求の情報を受信すること、
前記第１ネットワークと前記第２ネットワークとの間に直接のインタフェースが存在しないことを決定し、且つ第３ネットワーク又は相互運用ネットワーク要素を介して相互作用すること、
端末が第２ネットワークにアクセスすること、及び
前記第１ネットワークと前記第２ネットワークとの間に直接のインタフェースが存在することを決定すること、のうちの少なくとも１つを含む、請求項１１に記載の方法。
【請求項１４】
前記第１関連情報は、
第２ネットワーク能力情報、ＩＭＳセッション転送番号、移動局国際加入者識別子番号、緊急サービスであるかの指示情報、優先度情報のうちの少なくとも１つを含み、
及び／又は、
前記第１ネットワークから前記第２ネットワークへのハンドオーバー要求の情報は、
前記第１ネットワークから前記第２ネットワークへのＣＳハンドオーバーの指示情報、
ターゲットネットワークが前記第２ネットワークとして示され、第２ネットワークタイプのソース無線アクセスネットワークからターゲット無線アクセスネットワークへの伝送コンテナ情報、のうちの少なくとも１つを含む、請求項１３に記載の方法。
【請求項１５】
前記の前記第１ネットワークから前記第２ネットワークへのＣＳハンドオーバーの関連運用を実行する段階は、
前記第１ネットワークの端末に関する情報を前記第２ネットワークの端末に関する情報にマッピングすること、
前記第１ネットワークの端末に関する情報を第３ネットワークの端末に関する情報にマッピングすること、
前記第１ネットワークから前記第２ネットワークへのＣＳハンドオーバー要求を第１ターゲット側に送信すること、
前記第１ネットワークから前記第２ネットワークへのＣＳハンドオーバー運用の第２関連情報を前記第１ターゲット側に送信すること、及び
前記第１ネットワークから前記第２ネットワークへのＣＳハンドオーバー運用の指示情報を前記第１ターゲット側に送信すること、のうちの少なくとも１つを含む、請求項１２に記載の方法。
【請求項１６】
前記第２関連情報は、
第２ネットワークのターゲット無線アクセスネットワークノードの識別子情報、前記第２ネットワークのセキュリティ情報、アンカーポイントネットワーク識別子情報、サポートされる回線交換ドメイン音声コーデックリスト情報、移動局クラスマーク２情報、移動局クラスマーク３情報、第２ネットワークタイプのソース無線アクセスネットワークからターゲット無線アクセスネットワークへのトランスペアレントコンテナ情報、ＩＭＳセッション転送番号、移動局国際加入者識別子番号、移動局ネットワーク能力情報、ユーザ端末ネットワーク能力、緊急サービスであるかの指示情報、優先度情報、第１ネットワークの端末に関する情報、第２ネットワークの端末に関する情報、第３ネットワークの端末に関する情報、サービングゲートウェイ選択関連情報、のうちの少なくとも１つを含む、請求項１５に記載の方法。
【請求項１７】
前記第１ネットワークから前記第２ネットワークへのＣＳハンドオーバー運用の指示情報は、
前記第１ネットワークから前記第２ネットワークへのハンドオーバーの指示情報、及び
前記第１ネットワークから前記第２ネットワークへのＣＳハンドオーバーの指示情報のうちの少なくとも１つを含む、請求項１５に記載の方法。
【請求項１８】
前記の前記第１ネットワークの端末に関する情報を前記第２ネットワークの端末に関する情報にマッピングすることは、
前記第１ネットワークのセキュリティ情報を前記第２ネットワークのセキュリティ情報にマッピングすること、
前記第１ネットワークサービス端末のネットワーク識別子情報をアンカーポイントネットワーク識別子情報にマッピングすること、及び
端末の第１ネットワークのユーザ識別子を第２ネットワークのユーザ識別子にマッピングすること、のうちの少なくとも１つを含む、請求項１５に記載の方法。
【請求項１９】
前記の前記第１ネットワークから第２ネットワークへの関連運用を実行した後、
前記第２ネットワークから送り返された前記第１ネットワークから前記第２ネットワークへのＣＳハンドオーバー応答を受信することをさらに含む、請求項１１に記載の方法。
【請求項２０】
前記第１ターゲット側は、ＭＭＥを備える、請求項１２又は１５に記載の方法。
【請求項２１】
第３ネットワークのネットワークユニット又は相互運用ネットワーク要素に適用するネットワーク間運用の方法であって、
第２ターゲット側から送信された情報を受信するステップ、及び
前記情報に従って、第１ネットワークから第２ネットワークへの関連運用を実行するステップを有する、ネットワーク間運用の方法。
【請求項２２】
前記情報は、
前記第１ネットワークから前記第２ネットワークへの運用の第２関連情報、
前記第１ネットワークから前記第２ネットワークへのＣＳハンドオーバー運用の第２関連情報、
前記第１ネットワークから前記第２ネットワークへのＣＳ運用の指示情報、
前記第１ネットワークから前記第２ネットワークへのＣＳハンドオーバー運用の指示情報、
前記第１ネットワークの情報、
前記第１ネットワークからマッピングされた前記第２ネットワークの情報、
前記第１ネットワークからマッピングされた前記第３ネットワークの情報、及び
サービングゲートウェイ選択関連情報、のうちの少なくとも１つを含む、請求項２１に記載の方法。
【請求項２３】
前記第２ターゲット側は、端末、前記第１ネットワークのネットワークユニット、前記第２ネットワークのネットワークユニットのうちの少なくとも１つを含む、請求項２１に記載の方法。
【請求項２４】
前記第２関連情報は、
第２ネットワークのターゲット無線アクセスネットワークノードの識別子情報、前記第２ネットワークのセキュリティ情報、アンカーポイントネットワーク識別子情報、サポートされる回線交換ドメイン音声コーデックリスト情報、移動局クラスマーク２情報、移動局クラスマーク３情報、第２ネットワークタイプのソース無線アクセスネットワークからターゲット無線アクセスネットワークへのトランスペアレントコンテナ情報、ＩＭＳセッション転送番号、移動局国際加入者識別子番号、移動局ネットワーク能力情報、ユーザ端末ネットワーク能力、緊急サービスであるかの指示情報、優先度情報、第１ネットワークの端末に関する情報、第２ネットワークの端末に関する情報、第３ネットワークの端末に関する情報、サービングゲートウェイ選択関連情報のうちの少なくとも１つを含む、請求項２２に記載の方法。
【請求項２５】
前記第１ネットワークから前記第２ネットワークへのＣＳハンドオーバー運用の指示情報は、
前記第１ネットワークから前記第２ネットワークへのＣＳハンドオーバーの指示情報、
前記第３ネットワークから前記第２ネットワークへのＣＳハンドオーバーを開始する指示情報、及び
前記相互運用ネットワーク要素から前記第２ネットワークへのＣＳハンドオーバーを開始する指示情報、のうちの少なくとも１つを含む、請求項２２に記載の方法。
【請求項２６】
前記の第１ネットワークから第２ネットワークへの関連運用を実行するステップは、
前記第１ネットワークから前記第３ネットワークに送信された情報を、前記第３ネットワークから前記第２ネットワークに送信された情報にマッピングして導出し、前記第２ネットワークに送信する段階、
前記第２ネットワークから前記第３ネットワークに送信された情報を、前記第３ネットワークから前記第１ネットワークに送信された情報にマッピングして導出し、前記第１ネットワークに送信する段階、
第１インタフェースと第２インタフェースとの間の情報をマッピングして中継する段階、
前記第３ネットワークから前記第２ネットワークＣＳへのハンドオーバー要求を開始する段階、
前記相互運用ネットワーク要素から前記第２ネットワークＣＳへのハンドオーバー要求を開始する段階、
前記第３ネットワークから前記第２ネットワークＰＳへのハンドオーバー要求を開始する段階、
前記相互運用ネットワーク要素から前記第２ネットワークＰＳへのハンドオーバー要求を開始する段階、
前記第１ネットワークから前記第２ネットワークへの端末コンテキストに関する関連運用を実行する段階、
前記第１ネットワークの端末に関する情報を前記第２ネットワークの端末に関する情報にマッピングする段階、
受信した前記第２ターゲット側から送信された情報を前記第２ネットワークに送信する段階、
受信した前記第１ネットワークの端末に関する情報を前記第２ネットワークの端末に関する情報にマッピングする段階、
受信した前記第３ネットワークの端末に関する情報を前記第２ネットワークの端末に関する情報にマッピングする段階、及び
端末のためにサービングゲートウェイを選択する段階、のうちの少なくとも１つを含み、
前記第１インタフェースは、前記第２ネットワークと前記第３ネットワークとの間のインタフェースであり、前記第２インタフェースは、前記第１ネットワークと前記第３ネットワークとの間のインタフェースである、請求項２１に記載の方法。
【請求項２７】
前記第１ネットワークの端末に関する情報を前記第２ネットワークの端末に関する情報にマッピングする段階は、
前記第１ネットワークのセキュリティ情報を前記第２ネットワークのセキュリティ情報にマッピングすること、
前記第１ネットワークサービス端末のネットワーク識別子情報をアンカーポイントネットワーク識別子情報にマッピングすること、及び
端末の第１ネットワークのユーザ識別子を第２ネットワークのユーザ識別子にマッピングすることのうちの少なくとも１つを含む、請求項２６に記載の方法。
【請求項２８】
前記の前記第１ネットワークのセキュリティ情報を前記第２ネットワークのセキュリティ情報にマッピングすることは、
第１マッピングルールに従って、前記第１ネットワークのセキュリティ情報を前記第２ネットワークのセキュリティ情報に直接マッピングすること、及び
第２マッピングルールに従って、前記第１ネットワークのセキュリティ情報を前記第３ネットワークのセキュリティ情報にマッピングし、また、前記第３ネットワークのセキュリティ情報を前記第２ネットワークのセキュリティ情報にマッピングすること、のうちの少なくとも１つを含む、請求項２６に記載の方法。
【請求項２９】
前記第１ネットワークは５Ｇネットワークであり、前記第２ネットワークは３Ｇネットワークであり、前記第３ネットワークは４Ｇネットワークである、請求項２１に記載の方法。
【請求項３０】
前記第３ネットワークのネットワークユニットはＭＭＥを備える、請求項２１に記載の方法。
【請求項３１】
端末に適用するネットワーク間運用の方法であって、
第１ネットワークから第２ネットワークへの運用の特性情報を取得するステップ、及び
前記特性情報に従って、前記第１ネットワークから第２ネットワークへの関連運用を実行するステップを有する、ネットワーク間運用の方法。
【請求項３２】
前記第１ネットワークから第２ネットワークへのハンドオーバー運用の特性情報は、
第１ネットワークから第２ネットワークへのハンドオーバー運用の指示情報、
第１ネットワークから前記第２ネットワークへのＣＳハンドオーバー運用の第２関連情報、
第１ネットワークから前記第２ネットワークへの運用の第２関連情報、
端末が第１ネットワークから第２ネットワークに移行すること、のうちの少なくとも１つを含む、請求項３１に記載の方法。
【請求項３３】
前記第１ネットワークから第２ネットワークへのハンドオーバー運用の指示情報は、
前記第１ネットワークから前記第２ネットワークへのハンドオーバーの指示情報、
前記第１ネットワークから前記第２ネットワークへのＣＳハンドオーバーの指示情報、及び
第２ネットワークタイプのターゲット無線アクセスネットワークからソース無線アクセスネットワークへの伝送コンテナ情報、のうちの少なくとも１つを含む、請求項３２に記載の方法。
【請求項３４】
前記の前記第１ネットワークから前記第２ネットワークへの関連運用を実行するステップは、
前記第１ネットワークの端末に関する情報を前記第２ネットワークの端末に関する情報にマッピングする段階を含む、請求項３１に記載の方法。
【請求項３５】
前記の前記第１ネットワークの端末に関する情報を前記第２ネットワークの端末に関する情報にマッピングする段階は、
前記端末の第１ネットワークのユーザ識別子を第２ネットワークのユーザ識別子にマッピングすること、
前記第１ネットワークサービス端末のネットワーク識別子情報をアンカーポイントネットワーク識別子情報にマッピングすること、及び
前記第１ネットワークのセキュリティ情報を前記第２ネットワークのセキュリティ情報にマッピングすることのうちの少なくとも１つを含む、請求項３４に記載の方法。
【請求項３６】
前記の前記第１ネットワークのセキュリティ情報を前記第２ネットワークのセキュリティ情報にマッピングすることは、
第１マッピングルールに従って、前記第１ネットワークのセキュリティ情報を前記第２ネットワークのセキュリティ情報に直接マッピングすること、及び
第２マッピングルールに従って、前記第１ネットワークのセキュリティ情報を第３ネットワークのセキュリティ情報にマッピングし、また、前記第３ネットワークのセキュリティ情報を前記第２ネットワークのセキュリティ情報にマッピングすることのうちの少なくとも１つを含む、請求項３５に記載の方法。
【請求項３７】
前記第２関連情報は、
第２ネットワークのターゲット無線アクセスネットワークノードの識別子情報、前記第２ネットワークのセキュリティ情報、アンカーポイントネットワーク識別子情報、サポートされる回線交換ドメイン音声コーデックリスト情報、移動局クラスマーク２情報、移動局クラスマーク３情報、第２ネットワークタイプのソース無線アクセスネットワークからターゲット無線アクセスネットワークへのトランスペアレントコンテナ情報、ＩＭＳセッション転送番号、移動局国際加入者識別子番号、移動局ネットワーク能力情報、ユーザ端末ネットワーク能力、緊急サービスであるかの指示情報、優先度情報、第１ネットワークの端末に関する情報、第２ネットワークの端末に関する情報、第３ネットワークの端末に関する情報、サービングゲートウェイ選択関連情報のうちの少なくとも１つを含む、請求項３２に記載の方法。
【請求項３８】
前記の第１ネットワークから第２ネットワークへのハンドオーバー運用の特性情報を取得する前に、
前記第１ネットワークから前記第２ネットワークへのＣＳハンドオーバー運用の第１関連情報を前記第１ネットワークに送信するステップ、又は
前記第１ネットワークから前記第２ネットワークへの運用の第１関連情報を前記第１ネットワークに送信するステップをさらに有する、請求項３１に記載の方法。
【請求項３９】
前記第１関連情報は、
第２ネットワーク能力情報、ＩＭＳセッション転送番号、移動局国際加入者識別子番号、緊急サービスであるかの指示情報、優先度情報のうちの少なくとも１つを含む、請求項３８に記載の方法。
【請求項４０】
前記第１ネットワークは５Ｇネットワークであり、前記第２ネットワークは３Ｇネットワークである、請求項３１に記載の方法。
【請求項４１】
前提条件を満たしているか否かを決定するための第１決定モジュールと、
前記前提条件を満たしている場合、第３ネットワーク又は相互運用ネットワーク要素を介して、前記第１ネットワークから前記第２ネットワークへの関連運用を実行するための第１実行モジュールとを備える、第１ネットワーク。
【請求項４２】
前提条件を満たしているか否かを決定するための第２決定モジュールと、
前記前提条件を満たしている場合、前記第１ネットワークから前記第２ネットワークへの関連運用を実行するための第２実行モジュールとを備え、
前記第１ネットワークは５Ｇネットワークであり、前記第２ネットワークは３Ｇネットワークであり、又は、
前記第１ネットワークは３Ｇネットワークであり、前記第２ネットワークは５Ｇネットワークである、第１ネットワーク。
【請求項４３】
第２ターゲット側から送信された情報を受信するための第３受信モジュールと、
前記情報に従って、第１ネットワークから第２ネットワークへの関連運用を実行するための第３実行モジュールとを備える、
第３ネットワーク又は相互運用ネットワーク要素。
【請求項４４】
第１ネットワークから第２ネットワークへのハンドオーバー運用の特性情報を取得するための取得モジュールと、
前記特性情報に従って、前記第１ネットワークから第２ネットワークへの関連運用を実行するための第４実行モジュールとを備える、端末。
【請求項４５】
メモリ、プロセッサ、及びメモリに記憶されプロセッサで実行可能なコンピュータプログラムを備え、前記コンピュータプログラムが前記プロセッサによって実行されるとき、請求項１−１０のいずれか１項に記載のネットワーク間運用の方法のステップ、又は請求項１１−２０のいずれか１項に記載のネットワーク間運用の方法のステップを実現する、第１ネットワーク
【請求項４６】
メモリ、プロセッサ、及びメモリに記憶されプロセッサで実行可能なコンピュータプログラムを備え、前記コンピュータプログラムが前記プロセッサによって実行されるとき、請求項２１−３０のいずれか１項に記載のネットワーク間運用の方法のステップを実現する、第３ネットワーク又は相互運用ネットワーク要素。
【請求項４７】
メモリ、プロセッサ、及びメモリに記憶されプロセッサで実行可能なコンピュータプログラムを備え、前記コンピュータプログラムが前記プロセッサによって実行されるとき、請求項３１−４０のいずれか１項に記載のネットワーク間運用の方法のステップを実現する、端末。
【請求項４８】
プロセッサによって実行されるとき、請求項１−１０のいずれか１項に記載のネットワーク間運用の方法のステップを実現し、又は請求項１１−２０のいずれか１項に記載のネットワーク間運用の方法のステップを実現し、又は請求項２１−３０のいずれか１項に記載のネットワーク間運用の方法のステップを実現し、又は請求項３１−４０のいずれか１項に記載のネットワーク間運用の方法のステップを実現するコンピュータプログラムを記憶した、コンピュータ可読記憶媒体。
【発明の詳細な説明】
【技術分野】
【０００１】
この出願は、2018年04月08日に中国特許庁に出願された、出願番号が201810308176.1である中国特許出願を基礎とする優先権、及び2018年05月21日に中国特許庁に出願された、出願番号が201810491233.4である中国特許出願を基礎とする優先権を主張し、その内容の全てが参照によって本出願に取り込まれる。
【０００２】
本開示の実施例は、通信技術の分野に関し、特にネットワーク間運用の方法、第１ネットワーク、第３ネットワーク及び端末に関する。
【背景技術】
【０００３】
高速データ接続のますます高まる必要に応えるため、運営業者は５Ｇネットワークを配置する。運営業者は、５Ｇネットワークを配置する初期段階では、フルカバレッジではなくホットスポットカバレッジである可能性がある。一部の運営業者は、フルカバレッジされた３Ｇネットワークを同時に有する。３Ｇネットワークは、音声業務をサポートし、例えば、回線交換ドメインを通じてＩＰマルチメディアサブシステム（ＩＰ  Ｍｕｌｔｉｍｅｄｉａ  Ｓｕｂｓｙｓｔｅｍ、ＩＭＳ）に接続することによって、音声業務を実現する。
【０００４】
５Ｇネットワークが音声サービスをサポートする場合、端末は、５Ｇネットワークで音声サービスを直接開始又は終了させることができる。音声サービス進行中の端末が５Ｇネットワークから移出され、且つ隣接セルが３Ｇセルしかない場合、５Ｇと３Ｇとの間の運用はサポートされていないので、音声サービスは中断しかできない。
【０００５】
５Ｇネットワークが音声サービスをサポートしておらず、５Ｇネットワークに接続又は駐在する端末が音声サービスを必要とする場合（例えば音声サービスを開始又は終了するとき）、５Ｇネットワークで音声サービスを開始することができない。
【０００６】
将来の他の通信ネットワークについても、上記の問題は、同様に存在する。
【０００７】
如何にして端末ユーザに高速データ接続を楽しませながら、音声サービスの継続性を維持するかは、現在解決すべき技術的課題である。
【発明の概要】
【０００８】
本開示の実施例は、端末の高速ネットワークへのアクセス及び音声サービスの継続性維持の両方をサポートする目的を達成可能な、ネットワーク間運用の方法、第１ネットワーク、第３ネットワーク及び端末を提供する。
【０００９】
上記の目的を達成するため、本開示は、以下のように実現される。
【００１０】
第１態様では、本開示の実施例は、ネットワーク間運用の方法を提供する。該ネットワーク間運用の方法は、
前提条件を満たしているか否かを決定するステップ、及び、
前記前提条件を満たしている場合、第３ネットワーク又は相互運用ネットワーク要素を介して、前記第１ネットワークから第２ネットワークへの関連運用を実行するステップを有する。
【００１１】
第２態様では、本開示の実施例は、ネットワーク間運用の方法をさらに提供する。該ネットワーク間運用の方法は、
前提条件を満たしているか否かを決定するステップ、及び、
前記前提条件を満たしている場合、前記第１ネットワークから前記第２ネットワークへの関連運用を実行するステップを有し、
前記第１ネットワークは５Ｇネットワークであり、前記第２ネットワークは３Ｇネットワークであり、又は、
前記第１ネットワークは３Ｇネットワークであり、前記第２ネットワークは５Ｇネットワークである。
【００１２】
第３態様では、本開示の実施例は、さらに、ネットワーク間運用の方法を提供する。該ネットワーク間運用の方法は、
第２ターゲット側から送信された情報を受信するステップ、及び、
前記情報に従って、第１ネットワークから第２ネットワークへの関連運用を実行するステップを有する。
【００１３】
第４の態様では、本開示の実施例は、さらに、ネットワーク間運用の方法を提供する。該ネットワーク間運用の方法は、
第１ネットワークから第２ネットワークへの運用の特性情報を取得するステップ、及び、
前記特性情報に従って、前記第１ネットワークから第２ネットワークへの関連運用を実行するステップを有する。
【００１４】
第５の態様では、本開示の実施例は、さらに、第１ネットワークを提供する。該第１ネットワークは、
前提条件を満たしているか否かを決定するための第１決定モジュールと、
前記前提条件を満たしている場合、第３ネットワーク又は相互運用ネットワーク要素を介して、前記第１ネットワークから第２ネットワークへの関連運用を実行するための第１実行モジュールとを備える。
【００１５】
第６の態様では、本開示の実施例は、さらに、第１ネットワークを提供する。該第１ネットワークは、
前提条件を満たしているか否かを決定するための第２決定モジュールと、
前記前提条件を満たしている場合、前記第１ネットワークから前記第２ネットワークへの関連運用を実行するための第２実行モジュールとを備え、
前記第１ネットワークは５Ｇネットワークであり、前記第２ネットワークは３Ｇネットワークであり、又は、
前記第１ネットワークは３Ｇネットワークであり、前記第２ネットワークは５Ｇネットワークである。
【００１６】
第７の態様では、本開示の実施例は、さらに、第３ネットワーク又は相互運用ネットワーク要素を提供する。該ネットワーク又は相互運用ネットワーク要素は、
第２ターゲット側から送信された情報を受信するための第３受信モジュールと、
前記情報に従って、第１ネットワークから第２ネットワークへの関連運用を実行するための第３実行モジュールとを備える。
【００１７】
第８の態様では、本開示の実施例は、端末をさらに提供する。該端末は、
第１ネットワークから第２ネットワークへの特性情報を取得するための取得モジュールと、
前記特性情報に従って、前記第１ネットワークから第２ネットワークへの関連運用を実行するための第４実行モジュールとを備える。
【００１８】
第９の態様では、本開示の実施例は、さらに、第１ネットワークを提供する。該第１ネットワークは、プロセッサ、メモリ、及び前記メモリに記憶され前記プロセッサで実行可能なコンピュータプログラムを備え、前記コンピュータプログラムが前記プロセッサによって実行されるとき、第１の態様に記載のネットワーク間運用の方法のステップ、又は第２の態様に記載のネットワーク間運用の方法のステップを実現する。
【００１９】
第１０の態様では、本開示の実施例は、さらに、第３ネットワーク又は相互運用ネットワーク要素を提供する。該第３ネットワークは、プロセッサ、メモリ、及び前記メモリに記憶され前記プロセッサで実行可能なコンピュータプログラムを備え、前記コンピュータプログラムが前記プロセッサによって実行されるとき、第３の態様に記載のネットワーク間運用の方法のステップを実現する。
【００２０】
第１１の態様では、本開示の実施例は、さらに、端末を提供する。該端末は、プロセッサ、メモリ、及び前記メモリに記憶され前記プロセッサで実行可能なコンピュータプログラムを備え、前記コンピュータプログラムが前記プロセッサによって実行されるとき、第４の態様に記載のネットワーク間運用の方法のステップを実現する。
【００２１】
第１２の態様では、本開示の実施例は、プロセッサによって実行されるとき、第１の態様に記載のネットワーク間運用の方法のステップを実現し、又は第２の態様に記載のネットワーク間運用の方法のステップを実現し、又は第３の態様に記載のネットワーク間運用の方法のステップを実現し、又は第４の態様に記載のネットワーク間運用の方法のステップを実現するコンピュータプログラムを記憶した、コンピュータ可読記憶媒体をさらに提供する。
【００２２】
本実施例のネットワーク間運用の方法によると、端末が音声サービスをサポートする第１ネットワークから前記第２ネットワークに移行した後に音声サービスを継続させ、音声サービスの継続性を維持すること、及び、端末が音声サービスをサポートしない第１ネットワークから前記第２ネットワークにフォールバックして音声サービスを確立することを実現し得る。その結果、本開示は、音声サービスをサポートしたり、音声サービスの継続性を維持させたりすることができ、さらに第２ネットワークへの影響も回避し得る。
【図面の簡単な説明】
【００２３】
本開示の実施例における技術案をより明確的に説明するため、以下、本開示の実施例の説明に用いる図面について簡単に説明する。以下の説明における図面は、本開示の幾つかの実施例であり、当業者であれば、格別創意を要することなく、これらの図面によって他の図面が取得できることは明らかである。
【００２４】
【図１】本開示の実施例に係るネットワーク間運用の方法のフローチャートを示す１つ目の図である。
【図２】本開示の実施例に係るネットワーク間運用の方法のフローチャートを示す２つ目の図である。
【図３】本開示の実施例に係るネットワーク間運用の方法のフローチャートを示す３つ目の図である。
【図４】本開示の実施例に係るネットワーク間運用の方法のフローチャートを示す４つ目の図である。
【図５】本開示の実施例に係るネットワーク間運用の方法のフローチャートを示す５つ目の図である。
【図６】本開示の実施例に係るネットワーク間運用の方法のフローチャートを示す６つ目の図である。
【図７】本開示の実施例に係るネットワーク間運用の方法のフローチャートを示す７つ目の図である。
【図８】本開示の実施例に係る第１ネットワークの構造図を示す１つ目の図である。
【図９】本開示の実施例に係る第１ネットワークの構造図を示す２つ目の図である。
【図１０】本開示の実施例に係るターゲットネットワークの構造図を示す１つ目の図である。
【図１１】本開示の実施例に係る端末の構造図を示す１つ目の図である。
【図１２】本開示の実施例に係る第１ネットワークの構造図を示す３つ目の図である。
【図１３】本開示の実施例に係る第１ネットワークの構造図を示す４つ目の図である。
【図１４】本開示の実施例に係るターゲットネットワークの構造図を示す２つ目の図である。
【図１５】本開示の実施例に係る端末の構造図を示す２つ目の図である。
【発明を実施するための形態】
【００２５】
端末ユーザに高速データ接続を楽しませながら、音声サービスの継続性を維持するため、端末は、高速データ接続を有する第１ネットワークに優先的にアクセスすることが必要である。本開示の実施例のネットワーク間運用の方法は、端末が音声サービスを確立する（例えば、音声サービスを開始又は終了する）ときに、又は第１ネットワークから移出するときに、第１ネットワーク（例えば、５Ｇネットワーク）から第２ネットワーク（例えば、３Ｇネットワーク）への運用をサポートすることにより、音声サービスをサポートしたり、音声サービスの継続性を維持させたりすることができる。
【００２６】
第１ネットワーク（例えば、５Ｇネットワーク）から第２ネットワーク（例えば、３Ｇネットワーク）への運用をサポートするため、第１ネットワークと第２ネットワークとのインタフェースが必要となるが、現時点では、５Ｇネットワークと３Ｇネットワークとの間のインタフェース方式は、まだ不明である。本開示は、以下の幾つかの方式を提案する。
【００２７】
アーキテクチャ１：第１ネットワークのネットワークユニットによって、第１インタフェースと第２ネットワークのネットワークユニットとの接続をサポートする。
【００２８】
上述した第１インタフェースは、第２ネットワークと第３ネットワークとの間のインタフェースである、即ち、第１インタフェース上の既存のプロトコル定義を再使用することにより、第１ネットワークのネットワークユニット、例えば５Ｇネットワークの認証管理機能（Ａｕｔｈｅｎｔｉｃａｔｉｏｎ  Ｍａｎａｇｅｍｅｎｔ  Ｆｕｎｃｔｉｏｎ、ＡＭＦ）と、第２ネットワークのネットワークユニット、例えば３Ｇネットワークの移動通信交換局（Ｍｏｂｉｌｅ  Ｓｗｉｔｃｈｉｎｇ  Ｃｅｎｔｅｒ、ＭＳＣ）とが、Ｓｖインタフェースのような第１インタフェースを介して通信させ、第２ネットワークに対する変更を回避し得る。
【００２９】
アーキテクチャ２：１つのプロキシである第３ネットワークユニット、又は１つの相互運用ネットワーク要素によって、第１ネットワークと第２ネットワークとの相互運用をサポートする。
【００３０】
理解を容易にするため、第１ネットワークが５Ｇネットワークであり、第２ネットワークが３Ｇネットワークであり、第３ネットワークが４Ｇネットワークである場合を例として説明する。１つのプロキシである４Ｇネットワークのネットワークユニットによって、３Ｇネットワークと５Ｇネットワークの相互運用をサポートする。ＡＭＦのような５Ｇネットワークのネットワークユニットと、１つの４Ｇネットワークユニット、例えば移動性管理エンティティ（Ｍｏｂｉｌｉｔｙ  Ｍａｎａｇｅｍｅｎｔ  Ｅｎｔｉｔｙ、ＭＭＥ）との間は、Ｎ２６インタフェースをサポートし、４Ｇネットワークのネットワークユニットは、さらに、Ｓｖインタフェースと３Ｇネットワークのネットワークユニットとの接続をサポートする。４Ｇネットワークは、３Ｇネットワークのプロキシとして５Ｇネットワークと通信し得る。また、４Ｇネットワークは、５Ｇネットワークのプロキシとして、３Ｇネットワークと通信し得る。
【００３１】
一態様において、前記相互運用ネットワーク要素は、第１ネットワーク、第２ネットワーク、第３ネットワークに属するネットワークユニットであってもよい。相互運用ネットワーク要素は、３Ｇネットワークのプロキシとして５Ｇネットワークと通信し得る。また、相互運用ネットワーク要素は、５Ｇネットワークのプロキシとして３Ｇネットワークと通信し得る。
【００３２】
アーキテクチャ３：第１ネットワークのネットワークユニットと第２ネットワークのネットワークユニットとの間には、新しいインタフェースが定義される。
【００３３】
以上から分かるように、アーキテクチャ１及びアーキテクチャ３は、第１ネットワークから第２ネットワークへの運用を実行する効率を向上させ得る。
【００３４】
一方、アーキテクチャ１及びアーキテクチャ２は、第２ネットワークに対する影響を完全に回避する又は最小化にすることができる。
【００３５】
本開示の実施形態は、上述した３つのアーキテクチャに基づいて、異なるネットワーク間運用の方法を提案し、具体的には、第１ネットワークから第２ネットワークへの運用方法として表現され得る。
アーキテクチャ１及びアーキテクチャ３のネットワーク間運用の方法に対応して、一実施形態では、端末及び第１ネットワークは、第１ネットワークから第２ネットワークへのＣＳハンドオーバーの、端末に関する情報、例えばセキュリティ情報のマッピングを実行することができ、また、端末は、第１ネットワークを介して、第１ネットワークから前記第２ネットワークへのＣＳハンドオーバー運用の関連情報を第２ネットワークに送信する。
【００３６】
アーキテクチャ２のネットワーク間運用の方法に対応して、一実施形態では、端末、及び第１ネットワーク又は第３ネットワークのネットワークユニットは、第１ネットワークから第２ネットワークへのＣＳハンドオーバーの、端末に関する情報のマッピングを実行し；第１ネットワークのネットワークユニットは、第３ネットワークのネットワークユニットに、第３ネットワークから第２ネットワークへのＰＳ−ＣＳハンドオーバー要求をトリガするように要求し；端末は、第１ネットワーク及び第３ネットワークを介して、第１ネットワークから前記第２ネットワークへのＣＳハンドオーバー運用の関連情報を第２ネットワークに送信し、第３ネットワークは、第１ネットワークと第２ネットワークとが相互作用するときに、２つのインタフェースメッセージ間のマッピングを実行する。
【００３７】
一実施形態では、第２ネットワーク（例えば、３Ｇネットワーク）は、回線交換（Ｃｉｒｃｕｉｔ  Ｓｗｉｔｃｈ、ＣＳ）ドメイン及びパケット交換（Ｐａｃｋｅｔ  Ｓｗｉｔｃｈ、ＰＳ）ドメインを含み得る。従って、容易に理解できるだろうが、第２ネットワークＣＳは、第２ネットワークの回線交換ドメイン、即ちＣＳドメインを指しており、ＭＳＣ、ＭＳＣサーバ、メディアゲートウェイ（Ｍｅｄｉａ  Ｇａｔｅｗａｙ、ＭＧＷ）などの少なくとも１つを含むが、これらに限定されない。５Ｇネットワーク、４Ｇネットワークは、いずれもパケット交換ネットワークである。なお、ネットワークユニットは、任意のネットワーク側機器又はネットワーク機能であり得る。例えば、ネットワークユニットは、無線アクセスネットワークのネットワークユニット又はコアネットワークのネットワークユニットであり得る。
【００３８】
本開示の実施例において、コアネットワークのネットワークユニットは、コアネットワーク機器、コアネットワークノード、コアネットワーク機能、コアネットワークのネットワークユニット、移動性管理エンティティ（Ｍｏｂｉｌｉｔｙ  Ｍａｎａｇｅｍｅｎｔ  Ｅｎｔｉｔｙ、ＭＭＥ）、アクセス及び移動性管理機能（Ａｃｃｅｓｓ  Ｍａｎａｇｅｍｅｎｔ  Ｆｕｎｃｔｉｏｎ、ＡＭＦ）、セッション管理機能（Ｓｅｓｓｉｏｎ  Ｍａｎａｇｅｍｅｎｔ  Ｆｕｎｃｔｉｏｎ、ＳＭＦ）、ユーザプレーン機能（Ｕｓｅｒ  Ｐｌａｎｅ  Ｆｕｎｃｔｉｏｎ、ＵＰＦ）、サービングゲートウェイ（ｓｅｒｖｉｎｇ  ＧＷ、  ＳＧＷ）、ＰＤＮゲートウェイ（ＰＤＮ  Ｇａｔｅ  Ｗａｙ、ＰＤＮゲートウェイ）、ポリシー制御機能（Ｐｏｌｉｃｙ  Ｃｏｎｔｒｏｌ  Ｆｕｎｃｔｉｏｎ、ＰＣＦ）、ポリシー及び課金ルール機能部（Ｐｏｌｉｃｙ  ａｎｄ  Ｃｈａｒｇｉｎｇ  Ｒｕｌｅｓ  Ｆｕｎｃｔｉｏｎ、ＰＣＲＦ）、ＧＰＲＳサービングサポートノード（Ｓｅｒｖｉｎｇ  ＧＰＲＳ  Ｓｕｐｐｏｒｔ  Ｎｏｄｅ、ＳＧＳＮ）、ゲートウェイＧＰＲＳサポートノード（Ｇａｔｅｗａｙ  ＧＰＲＳ  Ｓｕｐｐｏｒｔ  Ｎｏｄｅ、ＧＧＳＮ）無線アクセスネットワーク機器のうちの少なくとも１つを含み得るが、これらに限定されない。
【００３９】
本開示の実施例において、無線アクセスネットワークのネットワークユニットは、無線アクセスネットワーク機器、無線アクセスネットワークノード、無線アクセスネットワーク機能、無線アクセスネットワークユニット、３ＧＰＰ無線アクセスネットワーク、非３ＧＰＰ無線アクセスネットワーク、集約ノード（Ｃｅｎｔｒａｌｉｚｅｄ  Ｕｎｉｔ、ＣＵ）、分散ノード（Ｄｉｓｔｒｉｂｕｔｅｄ  Ｕｎｉｔ、ＤＵ）、基地局、進化型基地局（ｅｖｏｌｖｅｄ  Ｎｏｄｅ  Ｂ、ｅＮＢ）、５Ｇ基地局（ｇＮＢ）、無線ネットワークコントローラ（Ｒａｄｉｏ  Ｎｅｔｗｏｒｋ  Ｃｏｎｔｒｏｌｌｅｒ、ＲＮＣ）、基地局（ＮｏｄｅＢ）、非３ＧＰＰ相互運用機能（Ｎｏｎ−３ＧＰＰ  ＩｎｔｅｒＷｏｒｋｉｎｇ  Ｆｕｎｃｔｉｏｎ、Ｎ３ＩＷＦ）、アクセス制御（Ａｃｃｅｓｓ  Ｃｏｎｔｒｏｌｌｅｒ、ＡＣ）ノード、アクセスポイント（Ａｃｃｅｓｓ  Ｐｏｉｎｔ、ＡＰ）機器、又は無線ローカルエリアネットワーク（Ｗｉｒｅｌｅｓｓ  Ｌｏｃａｌ  Ａｒｅａ  Ｎｅｔｗｏｒｋｓ、ＷＬＡＮ）ノードのうちの少なくとも１つを含み得るが、これらに限定されない。
【００４０】
基地局は、ＧＳＭ又はＣＤＭＡにおける基地局（ＢＴＳ、Ｂａｓｅ  Ｔｒａｎｓｃｅｉｖｅｒ  Ｓｔａｔｉｏｎ）であってもよいし、ＷＣＤＭＡにおける基地局（ＮｏｄｅＢ）であってもよいし、ＬＴＥにおける進化型基地局（ｅＮＢ又はｅ−ＮｏｄｅＢ、ｅｖｏｌｕｔｉｏｎａｌ  Ｎｏｄｅ  Ｂ）及び５Ｇ基地局（ｇＮＢ）であってもよく、本開示の実施例は限定されない。
【００４１】
本開示において、ｅＬＴＥはＥＵＴＲＡが５ＧＣに直接接続する方式である。ＥＰＳは、ＬＴＥとも呼ばれる。
【００４２】
本開示において、緊急サービスは、緊急音声サービス、緊急ＩＭＳ音声サービスのいずれか１つとも呼ばれる。緊急サービスがサポートされているか否かの指示は、緊急サービスサポートインジケータ（Ｅｍｅｒｇｅｎｃｙ  Ｓｅｒｖｉｃｅｓ  Ｓｕｐｐｏｒｔ  ｉｎｄｉｃａｔｏｒ）、緊急サービスフォールバックサポートインジケータ（Ｅｍｅｒｇｅｎｃｙ  Ｓｅｒｖｉｃｅｓ  Ｆａｌｌｂａｃｋ）のうちの少なくとも１つを含み得るが、これに限定されない。
【００４３】
本開示において、音声サービスは、ＰＳセッションでのＩＭＳ音声サービスとも呼ばれる。音声サービスがサポートされているか否かの指示は、ＩＭＳ音声サービスサポートインジケータ、ＰＳセッションでのＩＭＳ音声サービスサポートインジケータ（ＩＭＳ  ｖｏｉｃｅ  ｏｖｅｒ  ＰＳ  Ｓｅｓｓｉｏｎ  Ｓｕｐｐｏｒｔｅｄ  Ｉｎｄｉｃａｔｉｏｎ）、ＣＳドメインでのＩＭＳ音声サービスサポートインジケータ、３ＧＰＰを介したＩＭＳボイスオーバーＰＳセッション支援指示子（ＩＭＳ  ｖｏｉｃｅ  ｏｖｅｒ  ＰＳ  Ｓｅｓｓｉｏｎ  Ｓｕｐｐｏｒｔｅｄ  Ｉｎｄｉｃａｔｉｏｎ  ｏｖｅｒ  ３ＧＰＰ）のうちの少なくとも１つを含み得るが、これに限定されない。
【００４４】
本開示において、音声サービスは緊急サービスを含み得る。緊急サービスも音声サービスの一種である。
【００４５】
本開示において、リダイレクション（Ｒｅｄｉｒｅｃｔｉｏｎ）とは、無線アクセスネットワークがＵＥとネットワークとの接続を解放し、リダイレクション周波数ポイントを指示する方式を指し得る。
【００４６】
本開示において、第１ネットワークから第２ネットワークへのＣＳハンドオーバーは、ＰＳからＣＳへのＳＲＶＣＣハンドオーバー、第１ネットワークのＳＲＶＣＣ、第１ネットワークから第２ネットワークへのＳＲＶＣＣ、第１ネットワークのＳＲＶＣＣハンドオーバー、ＰＳからＣＳへのハンドオーバー、第１ネットワークから第２ネットワークへのＰＳ−ＣＳハンドオーバー、第１ネットワークから第２ネットワークへの音声サービス継続性のサポート、第１ネットワークから第２ネットワークへの単一無線音声サービス継続性のサポート、第１ネットワークから第２ネットワークへのフォールバックなどのうちの１つとも呼ばれ得るが、これらに限定されない。標準組織からは、他の名称が与えられる可能性があるが、本開示は、その名称によって影響されない。
【００４７】
本開示において、第１ネットワークから第２ネットワークへの運用ハンドオーバーは、第１ネットワークと第２ネットワークとの相互運用、第１ネットワークから第２ネットワークへのフォールバックのうちの１つとも呼ばれ得るが、これに限定されない。標準組織からは、他の名称が与られる可能性があるが、本開示は、その名称によって影響されない。
【００４８】
本開示において、５Ｇネットワークから３ＧネットワークへのＣＳハンドオーバーは、ＰＳからＣＳへのＳＲＶＣＣハンドオーバー、５Ｇ  ＳＲＶＣＣ、５Ｇから３Ｇ  ＳＲＶＣＣや５Ｇ  ＳＲＶＣＣへのハンドオーバー、ＰＳドメインからＣＳドメインへのハンドオーバー、５Ｇネットワークから３ＧネットワークへのＰＳ−ＣＳハンドオーバー、５Ｇネットワークから３Ｇネットワークへの音声サービス継続性のサポート、５Ｇネットワークから３Ｇネットワークへのフォールバック、５Ｇネットワークから３Ｇネットワークへの運用、５Ｇネットワークと３Ｇネットワークの相互運用、のうちの１つとも呼ばれ得るが、これらに限定されない。標準組織からは、他の名称が与えられる可能性があるが、本開示は、その名称によって影響されない。
【００４９】
本開示において、第１ネットワークは、初期段階の５Ｇネットワークのようなホットスポットオーバーレイネットワークとして表現され得る。第２ネットワークは、完全なカバレッジであり、且つ３Ｇネットワークのような音声サービスをサポートするネットワークとして表現され得る。第３ネットワークは４Ｇネットワークである。端末は、携帯電話、タブレットＰＣ（Ｔａｂｌｅｔ  Ｐｅｒｓｏｎａｌ  Ｃｏｍｐｕｔｅｒ）、ラップトップＰＣ（Ｌａｐｔｏｐ  Ｃｏｍｐｕｔｅｒ）、パーソナルデジタルアシスタント（ｐｅｒｓｏｎａｌ  ｄｉｇｉｔａｌ  ａｓｓｉｓｔａｎｔ、ＰＤＡと略称する）、モバイルインターネットデバイス（Ｍｏｂｉｌｅ  Ｉｎｔｅｒｎｅｔ  Ｄｅｖｉｃｅ、ＭＩＤ）、ウェアラブルデバイス（Ｗｅａｒａｂｌｅ  Ｄｅｖｉｃｅ）などであってもよい。
【００５０】
一実施形態において、第１ネットワーク及び第２ネットワークは、相互運用をサポートする任意の２つのネットワークとして表現され得る。別の実施形態において、第１ネットワーク及び第２ネットワークは、相互運用をサポートしない任意の２つのネットワークとして表現され得る。第３ネットワークは、第１ネットワークとの相互運用、及び第２ネットワークとの相互運用をサポートする任意のネットワークとして表現され得る。具体的には、実際の必要に応じて決定可能であり、本開示の実施例は、これに限定されない。
【００５１】
５Ｇネットワークは、５Ｇコアネットワーク、５Ｇ無線アクセスネットワーク、５ＧＣに接続されるＥＵＴＲＡ、５ＧＣに接続されるＮＲ、ＮＲ、ＮＧ  ＲＡＮ、５ＧＣ、Ｎ３ＧＰＰなどのうちの少なくとも１つを含み得るが、これらに限定されない。５Ｇネットワークのネットワークユニットは、ＡＭＦ、ＳＭＦ、ＵＰＦ、ＰＣＦ、ＵＤＭ、ｇＮＢ、ＡＭＦに接続されるｅＮＢなどのうちの少なくとも１つを含み得るが、これらに限定されない。
【００５２】
３Ｇネットワークは、３Ｇコアネットワーク、３Ｇ無線アクセスネットワーク、ＵＭＴＳ、ＢＳＳ、ＣＤＭＡ、３ＧＰＰ２  １ｘ、ＵＴＲＡＮ、ＨＳＰＡ、ＧＰＲＳ、ＵＴＲＡ、ＲＮＳ、ＢＳＳ、ＧＰＲＳ、ＨＬＲなどのうちの少なくとも１つを含み得るが、これらに限定されない。３Ｇネットワークのネットワークユニットは、ＭＳＣ、ＭＳＣ  Ｓｅｒｖｅｒ、ＭＧＷ、ＳＧＳＮ、ＧＧＳＮ、ＲＮＣ、ＮｏｄｅＢなどのうちの少なくとも１つを含み得るが、これらに限定されない。３ＧネットワークＣＳは、３Ｇネットワークの回線交換ドメインを指しており、３Ｇネットワークのネットワークユニットは、３ＧＰＰ２  １ｘ、ＵＴＲＡＮ  、ＨＳＰＡ、ＭＳＣ、ＭＳＣＳｅｒｖｅｒ、ＭＧＷなどのうちの少なくとも１つを含み得るが、これらに限定されない。
【００５３】
４Ｇネットワークは、４Ｇコアネットワーク、４Ｇ無線アクセスネットワーク、ＥＰＣに接続されるＥＵＴＲＡ、ＥＰＣ、ＥＵＴＲＡＮ、ＬＴＥ、ＥＰＳなどのうちの少なくとも１つを含み得るが、これらに限定されない。４Ｇネットワークのネットワークユニットは、ＭＭＥ、ＳＧＷ、ＰＧＷ、ＨＳＳ、ｅＮＢなどのうちの少なくとも１つを含み得るが、これらに限定されない。
【００５４】
本開示の実施例の図面を参照し、本開示の実施例の技術案を明確且つ完全に説明する。ここに記載された実施例はあくまで本開示の実施例の一部であり、全ての実施例ではないことが明らかである。本開示における実施例に基づいて、当業者が格別の創意がなく容易に想到できる他のすべての実施例は、本開示の権利範囲に属するものとする。
【００５５】
図１を参照されたい。図１は、本開示の実施例に係るネットワーク間運用の方法のフローチャートを示す１つ目の図である。本実施例のネットワーク間運用の方法は、アーキテクチャ２に適用し得る。本実施例のネットワーク間運用の方法は、第１ネットワークのネットワークユニットに適用され、図１に示すように、以下のステップを有する。
【００５６】
ステップ１０１：前提条件を満たしているか否かを決定する。
ステップ１０２：前記前提条件を満たしている場合、第３ネットワーク又は相互運用ネットワーク要素を介して、前記第１ネットワークから前記第２ネットワークへの関連運用を実行する。
【００５７】
幾つかの実施例において、前記第１ネットワークは５Ｇネットワークであってもよく、前記第２ネットワークは３Ｇネットワークであってもよい。他の幾つかの実施例において、前記第１ネットワークは３Ｇネットワークであってもよく、前記第２ネットワークは５Ｇネットワークであってもよい。
【００５８】
幾つかの実施例において、第１ネットワーク又は第２ネットワークは、ＣＳドメイン、ＰＳドメインのうちの少なくとも１つを含み得る。ＣＳドメインは、ネットワークの回線交換ドメインを指してもよく、ＰＳドメインは、ネットワークのパケット交換ドメインであり得る。例えば、４Ｇネットワーク又は５Ｇネットワークは、ＰＳドメインのみを含み得る。例えば、３Ｇネットワークは、ＣＳドメイン及びＰＳドメインを含み得る。
【００５９】
選択的には、前記第１ネットワークのネットワークユニットは、第１ネットワークコアネットワークのネットワークユニット、第１ネットワーク無線アクセスネットワークのネットワークユニットのうちの１つであり得る。第１ネットワークが５Ｇネットワークである場合、第１ネットワークコアネットワークのネットワークユニットは、ＡＭＦ、ＳＭＦ、ＵＤＭのうちの１つであってもよく、第１ネットワークの無線アクセスネットワークのネットワークユニットは、ＮＧ  ＲＡＮ、ｇＮＢ、ｅＮＢのうちの１つであってもよい。第１ネットワークが３Ｇネットワークである場合、第１ネットワークコアネットワークのネットワークユニットは、ＳＧＳＮ、ＧＧＳＮ、ＨＬＲのうちの１つであってもよく、第１ネットワークの無線アクセスネットワークのネットワークユニットは、ＵＭＴＳ、ＢＳＳ、ｎｏｄｅＢ、ＲＮＣのうちの１つであってもよい。ネットワーク間の相互運用をサポートするため、幾つかの異なるネットワークのネットワークユニット、例えばＰＧＷとＧＧＳＮ、ＧＧＳＮとＵＰＦ、ＧＧＳＮとＳＭＦ、ＰＧＷ−ＣとＳＭＦ、ＰＧＷ−ＵとＵＰＦ、ＨＬＲとＵＤＭが組合せて設定され得る。
【００６０】
本開示の幾つかの選択的な実施例では、
前記第１ネットワークから前記第２ネットワークへの運用の第１関連情報を取得する（例えば、端末から前記第１関連情報を受信する）こと、
前記第１ネットワークから前記第２ネットワークへのＰＳ運用の第１関連情報を取得する（例えば、端末から前記第１関連情報を受信する）こと、
前記第１ネットワークから前記第２ネットワークへのＣＳ運用の第１関連情報を取得する（例えば、端末から前記第１関連情報を受信する）こと、
第１ネットワークから第２ネットワークへのハンドオーバー要求の情報を受信する（例えば、無線アクセスネットワークのネットワーク要素から前記ハンドオーバー要求を受信する）こと、
第１ネットワークと第２ネットワークとの間に直接のインタフェースが存在しないと決定し、且つ第３ネットワーク又は相互運用ネットワーク要素を介して相互作用すること、及び
端末が第２ネットワークにアクセスすること、
のうちの少なくとも１つが満たされる場合、前記前提条件を満たしていると決定し得る。
【００６１】
一実施形態では、端末が第２ネットワークにアクセスすることは、端末が第２ネットワークに対する位置更新を開始すること、端末が第２ネットワークに対する初期アタッチを開始すること、及び端末が第１ネットワークから第２ネットワークへＣＳハンドオーバーすること、のうちの１つを含む。一実施形態において、端末が第２ネットワークにアクセスすることは、第２ネットワーク（例えば、第２ネットワークのＰＳドメイン）から第１ネットワークへのコンテキスト要求をトリガし、第１ネットワークは、端末のコンテキストを第２ネットワークに転送する。一実施形態において、第２ネットワークが３Ｇネットワークである場合、端末が第２ネットワークに位置更新を開始することは、端末がＳＧＳＮにルーティングエリア更新要求を送信することであり得る。第２ネットワークが５Ｇネットワークである場合、端末が第２ネットワークに位置更新を開始することは、端末がＡＭＦに登録要求を送信することであり、且つ登録要求の種別はモバイル登録更新であり得る。
【００６２】
一実施形態では、前記第１ネットワークから前記第２ネットワークへの運用は、第１ネットワークから前記第２ネットワークへのハンドオーバー、第１ネットワークから前記第２ネットワークへのＰＳハンドオーバー、第１ネットワークから前記第２ネットワークへのＰＳ−ＣＳハンドオーバー、第１ネットワークから第２ネットワークへの端末コンテキストに関する関連運用、第１ネットワークから前記第２ネットワークへのデータ転送、第１ネットワークから前記第２ネットワークへのＩＰアドレス保持、のうちの少なくとも１つを含み得る。
【００６３】
一実施形態において、前記第１ネットワークから前記第２ネットワークへの端末コンテキストに関する関連運用は、端末コンテキストを要求及び伝送する関連運用であり得る。例えば、第１ネットワークは、端末に関する第２ネットワークからのコンテキスト要求を受信した後、コンテキスト応答を第２ネットワークに送信する。前記コンテキスト応答には、端末情報が含まれる。
【００６４】
一実施形態において、前記第１ネットワークから前記第２ネットワークへのＣＳ運用は、ＰＳからＣＳへのハンドオーバーを含む。
【００６５】
選択的には、第１ネットワークのネットワークユニットは、端末、ＳＭＦ、ＵＤＭ、第１ネットワークコアネットワークのネットワークユニット、第１ネットワーク無線アクセスネットワークのネットワークユニットのうちの少なくとも１つから、前記第１関連情報を取得することであり得る。一実施形態において、端末が第１ネットワーク内でハンドオーバーする、又は位置更新をするとき、ソースコアネットワークのネットワークユニットは、ターゲットコアネットワークのネットワークユニットに前記第１関連情報を送信し得る。ターゲットコアネットワークのネットワークユニットは、ターゲット無線アクセスネットワークのネットワークユニットに前記第１関連情報を送信し得る。ソース無線アクセスネットワークのネットワークユニットは、ターゲット無線アクセスネットワークのネットワークユニット又はソースコアネットワークのネットワークユニットに前記第１関連情報を送信し得る。
【００６６】
ここで、取得とは、構成からの取得、受信からの取得、要求後の受信による取得、又は受信済み情報の処理後に取得することとして理解されてよく、具体的には、実際の必要に応じて決定してもよく、本開示の実施例は、これに限定されない。
【００６７】
さらに、第１関連情報は、第２ネットワーク能力情報、ＩＭＳセッション転送番号、移動局国際加入者識別子番号（ＭＳ  ｉｎｔｅｒｎａｔｉｏｎａｌ  ＰＳＴＮ／ＩＳＤＮ  ｎｕｍｂｅｒ、ＭＳＩＳＤＮと略称する）、緊急サービスであるかの指示情報、優先度情報、のうちの少なくとも１つを含み得る。なお、該第１関連情報は、前記第１ネットワークから前記第２ネットワークへの運用の第１関連情報、前記第１ネットワークから前記第２ネットワークへのＰＳ運用の第１関連情報、及び前記第１ネットワークから第２ネットワークへのＣＳ運用の第１関連情報のうちのいずれか１つの第１関連情報として表現され得る。即ち、前記第１ネットワークから前記第２ネットワークへの運用の第１関連情報、前記第１ネットワークから前記第２ネットワークへのＰＳ運用の第１関連情報、及び前記第１ネットワークから第２ネットワークへのＣＳ運用の第１関連情報に含まれる内容は、同じであってもよい。
【００６８】
さらに、第２ネットワーク能力情報は、第２ネットワーク無線能力、サポートされる回線交換ドメイン音声コーデックリスト情報（Ｓｕｐｐｏｒｔｅｄ  Ｃｏｄｅｃ  Ｌｉｓｔ）、移動局クラスマーク２情報（ＭＳ  Ｃｌａｓｓ  Ｍａｒｋ２）、移動局クラスマーク３情報（ＭＳ  Ｃｌａｓｓ  Ｍａｒｋ  ３）、移動局ネットワーク能力情報（ＭＳ  ｎｅｔｗｏｒｋ  ｃａｐａｂｉｌｉｔｙ）、ユーザ端末ネットワーク能力（ＵＥ  ｎｅｔｗｏｒｋ  ｃａｐａｂｉｌｉｔｙ）のうちの１つを含み得る。
【００６９】
前記第２ネットワーク能力情報は、前記端末の第２ネットワーク能力情報であり得る。幾つかの実施形態において、前記第１ネットワークのネットワークユニットは、前記端末及び／又は第１ネットワークの他のネットワークユニットから、前記端末の第２ネットワーク能力情報を取得し得る。
【００７０】
さらに、端末のＩＭＳセッション転送番号は、セッション転送番号−単一無線（Ｓｅｓｓｉｏｎ  Ｔｒａｎｓｆｅｒ  Ｎｕｍｂｅｒ−ｓｉｎｇｌｅ  Ｒａｄｉｏ、ＳＴＮ−ＳＲ）、緊急セッション転送番号−単一無線（Ｅｍｅｒｇｅｎｃｙ  ｓｅｓｓｉｏｎ  ｔｒａｎｓｆｅｒ  Ｎｕｍｂｅｒ−ｓｉｎｇｌｅ  Ｒａｄｉｏ、Ｅ−ＳＴＮ−ＳＲ）、緊急セッション転送番号のうちの１つを含み得る。
【００７１】
さらに、端末の移動局国際加入者識別子番号は、関連端末の移動局国際加入者識別子番号（Ｃｏｒｒｅｌａｔｉｏｎ  Ｍｏｂｉｌｅ  Ｓｕｂｓｃｒｉｂｅｒ  Ｉｎｔｅｒｎａｔｉｏｎａｌ  ＩＳＤＮ  ｎｕｍｂｅｒ、Ｃ−ＭＳＩＳＤＮ）を含み得る。
【００７２】
さらに、優先度情報は、アドレス解決プロトコル（Ａｄｄｒｅｓｓ  Ｒｅｓｏｌｕｔｉｏｎ  Ｐｒｏｔｏｃｏｌ、ＡＲＰ）情報を含み得る。
【００７３】
選択的には、第１ネットワークは、第１ネットワークから第２ネットワークへのハンドオーバー要求の情報を第１ネットワークの無線アクセスネットワークから受信し得る。
【００７４】
さらに、前記第１ネットワークから第２ネットワークへのハンドオーバー要求の情報は、第１ネットワークから第２ネットワークへのＣＳハンドオーバー指示情報（ＰＳからＣＳへのハンドオーバーの指示情報とも呼ばれる）、ターゲットネットワークが第２ネットワークとして示され、第２ネットワークタイプのソース無線アクセスネットワークからターゲット無線アクセスネットワークへの伝送コンテナ情報、のうちの少なくとも１つを含み得る。
【００７５】
さらに、ソース無線アクセスネットワークからターゲット無線アクセスネットワークへの伝送コンテナ情報は、ソース無線ネットワークコントローラＲＮＣからターゲットＲＮＣへのトランスペアレントコンテナ情報（ｓｏｕｒｃｅ  ＲＮＣ  ｔｏ  ｔａｒｇｅｔ  ＲＮＣ  ｔｒａｎｓｐａｒｅｎｔ  ｃｏｎｔａｉｎｅｒ）を含み得る。
【００７６】
さらに、ＰＳからＣＳへのハンドオーバーとＰＳからＰＳへのハンドオーバーとは、ターゲットとが異なり、一方は回線交換ドメインであり、他方はパケット交換ドメインである。ＰＳからＣＳへのハンドオーバーの指示情報によれば、第１ネットワークのネットワークユニットは、第３ネットワークのネットワークユニット又はネットワークユニットに、第２ネットワークのネットワークユニットへのＰＳ−ＣＳハンドオーバーを開始するように要求すべきであることを知り得る。
【００７７】
本開示の幾つかの選択的な実施例において、前記第１ネットワークから第２ネットワークへの関連運用を実行するステップは、
前記第１ネットワークから前記第２ネットワークへのハンドオーバーの関連運用を実行する段階、
前記第１ネットワークから前記第２ネットワークへのＣＳハンドオーバーの関連運用を実行する段階、
前記第１ネットワークから前記第２ネットワークへのＰＳハンドオーバーの関連運用を実行する段階、
前記第１ネットワークから前記第２ネットワークへの端末コンテキストに関する関連運用を実行する段階、
前記第１ネットワークから前記第２ネットワークへのデータ転送の関連運用を実行する段階、
前記第１ネットワークから前記第２ネットワークへのＩＰアドレス保持の関連運用を実行する段階、
前記第１ネットワークの端末に関する情報を前記第２ネットワークの端末に関する情報にマッピングする段階、
前記第１ネットワークから第２ネットワークへの運用の第２関連情報を第１ターゲット側に送信する段階、及び
前記第１ネットワークから前記第２ネットワークへの運用の指示情報を第１ターゲット側に送信する段階、のうちの少なくとも１つを含み得る。
【００７８】
選択的には、前記第１ターゲット側は、端末、第３ネットワークのネットワークユニット、相互運用ネットワーク要素、第２ネットワークのネットワークユニット、第１ネットワークのネットワークユニット、第１ネットワークの無線アクセスネットワークのネットワークユニット、及び前記第２ネットワークのネットワークユニットのうちの少なくとも１つを備える。
【００７９】
一実施形態において、前記第１ネットワークから前記第２ネットワークへの端末コンテキストに関する関連運用は、端末コンテキストを要求及び伝送する関連運用であり得る。例えば、第１ネットワークは、端末に関する第２ネットワークからのコンテキスト要求を受信した後、第２ネットワークにコンテキスト応答を送信する。前記コンテキスト応答には、端末情報が含まれる。
【００８０】
一実施形態において、前記第１ネットワークから前記第２ネットワークへのＣＳ運用は、ＰＳからＣＳへのハンドオーバーを含み得る。
【００８１】
さらに、前記第１ネットワークから前記第２ネットワークへの運用の指示情報は、
前記第１ネットワークから前記第２ネットワークへのハンドオーバーの指示情報、
前記第１ネットワークから前記第２ネットワークへのＣＳハンドオーバーの指示情報、
前記第１ネットワークから前記第２ネットワークへのＰＳハンドオーバーの指示情報、
前記第１ネットワークから前記第２ネットワークへの端末コンテキスト要求の指示情報、
前記第３ネットワークから前記第２ネットワークへのハンドオーバーを開始する指示情報、
前記相互運用ネットワーク要素から前記第２ネットワークへのハンドオーバーを開始する指示情報、
前記第３ネットワークから前記第２ネットワークへのＣＳハンドオーバーを開始する指示情報、
前記相互運用ネットワーク要素から前記第２ネットワークへのＣＳハンドオーバーを開始する指示情報、
前記第３ネットワークから前記第２ネットワークへのＰＳハンドオーバーを開始する指示情報、
前記相互運用ネットワーク要素から前記第２ネットワークへののＰＳハンドオーバーを開始する指示情報、
前記第３ネットワークから前記第１ネットワークへの端末コンテキスト要求を開始する指示情報、
前記相互運用ネットワーク要素から前記第１ネットワークへの端末コンテキスト要求を開始する指示情報、
前記第３ネットワークから前記第１ネットワークへの端末コンテキスト要求を開始する指示情報、及び
前記相互運用ネットワーク要素から前記第１ネットワークへの端末コンテキスト要求を開始する指示情報、のうちの少なくとも１つを含み得る。
【００８２】
ここで、第２ネットワークＣＳは、第２ネットワークの回線交換ドメイン、即ちＣＳドメインを指しており、ＭＳＣ、ＭＳＣサーバ、メディアゲートウェイ（Ｍｅｄｉａ  Ｇａｔｅｗａｙ、ＭＧＷ）などの少なくとも１つを含み得るが、これらに限定されない。この適用シナリオでは、端末が第１ネットワークから第２ネットワークＣＳにハンドオーバーした後、第２ネットワークのＣＳドメインで音声サービスを実行する又は継続し、第１ネットワークはＰＳネットワークであり得る。
【００８３】
選択的には、前記の前記第１ネットワークから前記第２ネットワークへのＣＳハンドオーバーの関連運用を実行する段階は、
前記第１ネットワークの端末に関する情報を前記第２ネットワークの端末に関する情報にマッピングすること、
前記第１ネットワークの端末に関する情報を前記第３ネットワークの端末に関する情報にマッピングすること、
前記第１ネットワークから前記第２ネットワークへのＣＳハンドオーバー運用の第２関連情報を、前記第１ターゲット側又は前記第３ネットワークのネットワークユニットに送信すること、
前記第１ネットワークから前記第２ネットワークへのＣＳハンドオーバー運用の指示情報を、前記第１ターゲット側又は前記第３ネットワークのネットワークユニットに送信すること、及び
前記第１ネットワークから前記第３ネットワークへのハンドオーバー要求であって、第１ネットワークから前記第２ネットワークへのＣＳハンドオーバー運用の指示情報及び／又は前記第２関連情報を含むハンドオーバー要求を、前記第１ターゲット側又は前記第３ネットワークのネットワークユニットに送信すること、のうちの少なくとも１つを含む。
【００８４】
選択的には、前記第１ターゲット側は、第３ネットワークのネットワークユニット、相互運用ネットワーク要素、端末、第２ネットワークのネットワークユニット、第１ネットワークのネットワークユニット、第１ネットワークの無線アクセスネットワークのネットワークユニットのうちの少なくとも１つを備える。
【００８５】
なお、前記第１ターゲット側が第３ネットワークのネットワークユニットを含む場合には、上記の「前記第１ターゲット側又は前記第３ネットワークのネットワークユニットに送信する」は、いずれも「前記第１ターゲット側に送信する」と理解されるべきである。
【００８６】
一実施形態において、第２関連情報又は第１ネットワークから前記第２ネットワークへのＣＳハンドオーバー運用の指示情報によれば、第３ネットワークは、受信されたハンドオーバー要求が第１ネットワークから前記第２ネットワークへのＣＳハンドオーバー要求であることを知り得る。
【００８７】
一実施形態において、前記第１ネットワークの端末に関する情報を前記第２ネットワークの端末に関する情報にマッピングして第３ネットワークユニットに送信し、第３ネットワークは、これを受信した後に第２ネットワークに転送する。別の実施形態において、前記第１ネットワークの端末に関する情報を、前記第３ネットワークの端末に関する情報にマッピングして第３ネットワークユニットに送信し、第３ネットワークユニットは、受信した前記第３ネットワークの端末に関する情報を前記第２ネットワークの端末に関する情報にマッピングして、前記第２ネットワークユニットに再送信する。他の一実施形態において、前記第１ネットワークの端末に関する情報を第３ネットワークユニットに送信し、第３ネットワークユニットは、受信した前記第１ネットワークの端末に関する情報を前記第２ネットワークの端末に関する情報にマッピングして前記第３ネットワークユニットに再送信する。
【００８８】
ここで、前記第１ネットワークの端末に関する情報は、端末の前記第１ネットワークにおけるユーザ識別子、前記第１ネットワークサービス端末のネットワーク識別子情報、第１ネットワークのセキュリティ情報を含むが、これらに限定されない。前記第３ネットワークの端末に関する情報又は前記第２ネットワークの端末に関する情報は、ネットワークタイプが異なること以外、前記第１ネットワークの端末に関する情報の表現形式と同じであり、ここでその説明を省略する。
【００８９】
さらに、前記の前記第１ネットワークの端末に関する情報を前記第２ネットワークの端末に関する情報にマッピングすることは、
前記端末の第１ネットワークのユーザ識別子を第２ネットワークのユーザ識別子にマッピングすること、
前記第１ネットワークサービス端末のネットワーク識別子情報をアンカーポイントネットワーク識別子情報にマッピングすること、及び
前記第１ネットワークのセキュリティ情報を前記第２ネットワークのセキュリティ情報にマッピングすること、のうちの少なくとも１つを含む。
【００９０】
さらに、第１ネットワークが５Ｇネットワークである場合、第１ネットワークのユーザ識別子は、サブスクリプション永続識別子（Ｓｕｂｓｃｒｉｐｔｉｏｎ  Ｐｅｒｍａｎｅｎｔ  Ｉｄｅｎｔｉｆｉｅｒ、ＳＵＰＩ）、５Ｇ−ＧＵＴＩ、５Ｇ  Ｓ−ＴＭＳＩ、ＰＥＩのうちの少なくとも１つを含み得る。さらに、第２ネットワークが３Ｇネットワークである場合、第２ネットワークのユーザ識別子は、国際移動加入者識別子番号（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ、ＩＭＳＩ）、ＴＭＳＩ、Ｐ−ＴＭＳＩ、Ｐ−ＴＭＳＩ  ｓｉｇｎａｔｕｒｅ、ＲＡＣ、  ＲＡＩ、ＬＡＣ、ＬＡＩ、ＩＭＥＩのうちの少なくとも１つを含み得る。
【００９１】
さらに、第１ネットワークが３Ｇネットワークである場合、第１ネットワークのユーザ識別子は、ＩＭＳＩ、ＴＭＳＩ、Ｐ−ＴＭＳＩ、Ｐ−ＴＭＳＩ  ｓｉｇｎａｔｕｒｅ、ＲＡＣ、ＲＡＩ、ＬＡＣ、ＬＡＩ、ＩＭＥＩのうちの少なくとも１つを含み得る。さらに、第２ネットワークが５Ｇネットワークである場合、第２ネットワークのユーザ識別子は、ＳＵＰＩ、５Ｇ−ＧＵＴＩ、５Ｇ  Ｓ−ＴＭＳＩ、ＰＥＩのうちの少なくとも１つを含み得る。
【００９２】
さらに、前記端末の第１ネットワークのユーザ識別子を第２ネットワークのユーザ識別子にマッピングすることは、具体的には、前記端末の５Ｇネットワークのユーザ識別子を３Ｇネットワークのユーザ識別子にマッピングすること、前記端末の３Ｇネットワークのユーザ識別子を５Ｇネットワークのユーザ識別子にマッピングすること、前記端末のＳＵＰＩを第２ネットワークのＩＭＳＩにマッピングすること、前記端末のＩＭＳＩをＳＵＰＩにマッピングすること、５Ｇ−ＧＵＴＩをＲＡＩ、Ｐ−ＴＭＳＩ及び／又はＰ−ＴＭＳＩ  Ｓｉｇｎａｔｕｒｅの組み合わせにマッピングすること、ＲＡＩ、Ｐ−ＴＭＳＩ及び／又はＰ−ＴＭＳＩ  Ｓｉｇｎａｔｕｒｅの組み合わせを５Ｇ−ＧＵＴＩにマッピングすること、ＩＭＥＩをＰＥＩにマッピングすること、ＰＥＩをＩＭＥＩにマッピングすることのうちの少なくとも１つとして表現され得る。
【００９３】
５Ｇ  ＧＵＴＩは、ＵＥ識別子の部分とＡＭＦ識別子の部分を有し得る。ＡＭＦ識別子は、ＡＭＦ領域識別子（ＡＭＦ  ｒｅｇｉｏｎ  ＩＤ）、ＡＭＦセット識別子（ＡＭＦ  ｓｅｔ）及び／又はＡＭＦポインタ（ＡＭＦ  ｐｏｉｎｔ）からなる。ユーザ識別子部分は、５Ｇ−ＴＭＳＩとも呼ばれる。
【００９４】
ＲＡＩは、ＰＬＭＮ、ＬＡＣ（ロケーションエリアコード）及びＲＡＣ（ルーティングエリアコード）で構成されてもよい。Ｐ−ＴＭＳＩには、ＮＲＩドメインが存在し得る。
【００９５】
一実施形態において、ＲＡＩ、Ｐ−ＴＭＳＩ及び／又はＰ−ＴＭＳＩ  Ｓｉｇｎａｔｕｒｅの組み合わせと５Ｇ−ＧＵＴＩとの間のマッピングルールは、ＡＭＦ識別子とＲＡＩとの間のマッピング、５−ＴＭＳＩとＰ−ＴＭＳＩ及びＰ−ＴＭＳＩ  Ｓｉｇｎａｔｕｒｅとの間のマッピング、ＰＬＭＮとＰＬＭＮとの間のマッピングのうちの少なくとも１つであり得る。
【００９６】
一実施形態において、５Ｇネットワークのユーザ識別子を３Ｇネットワークのユーザ識別子にマッピングするマッピングルールは、
-  ＜ＡＭＦ領域識別子＞が１６ビットの場合、＜ＡＭＦ領域識別子＞を＜ＬＡＣ＞にマッピングし得ること、
-  ＜ＡＭＦ領域識別子＞が８ビットの場合、＜ＡＭＦ領域識別子＞を＜ＬＡＣ＞のビット１５からビット８にマッピングし得ること、
-  ＜ＡＭＦセット識別子＞が１２ビットの場合、＜ＡＭＦセット識別子＞のビット１１からビット４を＜ＬＡＣ＞のビット７からビット０にマッピングし得、また、＜ＡＭＦセット識別子＞のビット３からビット０を＜ＲＡＣ＞の最上位８ビットのうちの上位４ビット及び／又は＜ＮＲＩ＞の最上位の４ビットにマッピングし得ること、
-  ＜ＡＭＦセット識別子＞が４ビットの場合、＜ＡＭＦセット識別子＞を＜ＲＡＣ＞の最上位８ビットのうちの上位４ビット、及び／又は＜ＮＲＩ＞の最上位８ビットのうちの上位４ビットにマッピングし得ること、
-  ＜ＡＭＦポインタ＞を＜ＲＡＣ＞の最上位８ビットのうちの下位４ビットにマッピングし得ること
-  ＜５Ｇ−ＴＭＳＩ＞のビット２９からビット２４を＜Ｐ−ＴＭＳＩ＞のビット２９からビット２４にマッピングし得ること
-  ＜５Ｇ−ＴＭＳＩ＞のビット１５からビット０を＜Ｐ−ＴＭＳＩ＞のビット１５からビット０にマッピングし得ること
-  ＜５Ｇ−ＴＭＳＩ＞の他の８ビットを＜Ｐ−ＴＭＳＩ＞の最高位の８ビットにマッピングし得ること、のうちの少なくとも１つを含む。
【００９７】
一実施形態において、３Ｇネットワークのユーザ識別子を５Ｇネットワークのユーザ識別子にマッピングするマッピングルールは、
-  ＜ＡＭＦ領域識別子＞が１６ビットの場合、＜ＬＡＣ＞を＜ＡＭＦ領域識別子＞にマッピングし得ること、
-  ＜ＡＭＦ領域識別子＞が８ビットの場合、＜ＬＡＣ＞のビット１５からビット８を＜ＡＭＦ領域識別子＞にマッピングし得ること、
-  ＜ＡＭＦセット識別子＞が１２ビットの場合、＜ＬＡＣ＞のビット７からビット０を＜ＡＭＦセット識別子＞にマッピングし得ること、
-  ＜ＮＲＩ＞の最上位８ビットのうちの上位４ビットを＜ＡＭＦセット識別子＞の最下位４ビットにマッピングし得ること、
-  ＜ＮＲＩ＞の最上位８ビットのうちの下位４ビットを＜ＡＭＦポインタ＞にマッピングし得ること、
-  ＜ＲＡＣ＞を＜５Ｇ−ＴＭＳＩ＞のビット２３からビット１６にマッピングし得ること、
-  ＜Ｐ−ＴＭＳＩ＞のビット２９からビット２４を＜Ｐ５Ｇ−ＴＭＳＩ＞のビット２９からビット２４にマッピングし得ること、
-  ＜Ｐ−ＴＭＳＩ＞のビット１５からビット０を＜５Ｇ−ＴＭＳＩ＞のビット１５からビット０にマッピングし得ること、のうちの少なくとも１つを含む。
【００９８】
前記端末のＳＵＰＩをＩＭＳＩにマッピングするプロセスにおいて、第１ネットワークのネットワークユニットは、ＳＵＰＩの具体的な表現形式に応じ、ＳＵＰＩをＩＭＳＩにマッピングするマッピングルールを決定し得る。
【００９９】
具体的には、ＳＵＰＩのフォーマットがＩＭＳＩである場合、１対１のマッピングというマッピングルールを用いてＳＵＰＩをＩＭＳＩに直接マッピングすることができる。ＳＵＰＩのフォーマットがＮＡＩのような非ＩＭＳＩである場合、第１ネットワークのネットワークユニットは、以下のいずれかを実行することができる：１．ＩＭＳＩを１つ追加的に割り当て、この追加的に割り当てられたＩＭＳＩによってＳＵＰＩからＩＭＳＩへのマッピングを完了する。この追加的に割り当てられたＩＭＳＩは、第１ネットワークに用いられなく、第１ネットワークが他のネットワーク（例えば、第２ネットワーク及び第３ネットワーク）と相互動作する必要がある場合のみに開始されることが理解できるだろう。２．第１ネットワークから第２ネットワークへの運用を実行しない。３．ＮＡＩをＩＭＳＩにマッピングする、即ちＮＡＩをＩＭＳＩとして用いる。ＮＡＩがＩＭＳＩより長い場合、ＮＡＩ内のＩＭＳＩ長の下位ビットをＩＭＳＩとして用い、ＮＡＩがＩＭＳＩより短い場合、上位に補充すべきビットをＩＭＳＩに書き込む。
【０１００】
なお、ネットワーク識別子情報は、公衆陸上移動通信ネットワーク（Ｐｕｂｌｉｃ  Ｌａｎｄ  Ｍｏｂｉｌｅ  Ｎｅｔｗｏｒｋ、ＰＬＭＮ）、ＭＮＣのうちの１つを含み得る。例えば、第１ネットワークの最後のサービス端末のネットワーク表示情報は、第１ネットワークの最後のサービス端末のＰＬＭＮとして表現され得、アンカーポイントネットワーク識別子情報は、ＳｖインタフェースメッセージにおけるアンカーポイントＰＬＭＮとして表現され得るが、これに限定されない。
【０１０１】
前記第１ネットワークのセキュリティ情報は、第１ネットワークの秘密鍵、ＮＡＳカウンタ、第１ネットワークの鍵識別子、暗号化鍵（ｃｏｎｆｉｄｅｎｔｉａｌｉｔｙ  ｋｅｙ、ＣＫ）、完全性鍵（ｉｎｔｅｇｒｉｔｙ  ｋｅｙ、ＩＫ）のうちの少なくとも１つを含み得るが、これらに限定されない。
【０１０２】
第１ネットワークが５Ｇネットワークである場合、第１ネットワークの秘密鍵は、ＡＭＦに関連する秘密鍵であるＫＡＭＦとして表現され得、第１ネットワークの鍵識別子は、ＮＧ無線アクセスネットワーク鍵セット識別子（Ｋｅｙ  Ｓｅｔ  Ｉｄｅｎｔｉｆｉｅｒ  ｉｎ  ＮＧ  ＲＡＮ、ｎｇＫＳＩ）として表現され得る。
【０１０３】
第１ネットワークが３Ｇネットワークである場合、第１ネットワークの秘密鍵は、暗号化鍵（ｃｏｎｆｉｄｅｎｔｉａｌｉｔｙ  ｋｅｙ、ＣＫ）、完全性鍵（ｉｎｔｅｇｒｉｔｙ  ｋｅｙ、ＩＫ）として表現され得、第１ネットワークの鍵識別子は、ネットワーク鍵セット識別子（Ｋｅｙ  Ｓｅｔ  Ｉｄｅｎｔｉｆｉｅｒ、ＫＳＩ）として表現され得る。
【０１０４】
前記第２ネットワークのセキュリティ情報は、第２ネットワークの秘密鍵、ＮＡＳカウンタ、暗号化鍵（ｃｏｎｆｉｄｅｎｔｉａｌｉｔｙ  ｋｅｙ、ＣＫ）、完全性鍵（ｉｎｔｅｇｒｉｔｙ  ｋｅｙ、ＩＫ）、第２ネットワークの鍵識別子のうちの少なくとも１つを含み得るが、これらに限定されない。
【０１０５】
第２ネットワークが３Ｇネットワークである場合、第２ネットワークの鍵識別子は、ネットワーク鍵セット識別子（Ｋｅｙ  Ｓｅｔ  Ｉｄｅｎｔｉｆｉｅｒ、ＫＳＩ）として表現されてもよい。ＣＫは、第１ネットワークから第２ネットワークへのＣＳハンドオーバー専用のＣＫであってもよく、ＩＫは、第１ネットワークから第２ネットワークへのＣＳハンドオーバーのためのＩＫであってもよい。
【０１０６】
第２ネットワークが５Ｇネットワークである場合、第２ネットワークの秘密鍵は、ＡＭＦに関連する秘密鍵であるＫＡＭＦとして表現され得、また、第２ネットワークの鍵識別子は、ｎｇＫＳＩとして表現され得る。
【０１０７】
前記第３ネットワークのセキュリティ情報は、第３ネットワークの秘密鍵、ＮＡＳカウンタ、第３ネットワークの鍵識別子、ＮＨ、ＮＣＣのうちの少なくとも１つを含み得るが、これらに限定されない。ここで、第３ネットワークの秘密鍵は、ＡＳＭＥに関連する秘密鍵であるＫＡＳＭＥとして表現され得、また、第３ネットワークの鍵識別子は、進化型汎用地上波無線アクセスネットワークの鍵セット識別子（Ｋｅｙ  Ｓｅｔ  Ｉｄｅｎｔｉｆｉｅｒ  ｉｎ  Ｅ−ＵＴＲＡＮ、ｅＫＳＩ）として表現され得る。
【０１０８】
さらに、鍵識別子は、秘密鍵の識別に用いられる。例えば、ｅＫＳＩはＫＡＳＭＥを識別することに用いられてもよく、ｎｇＫＳＩはＫＡＭＦを識別することに用いられてもよい。
【０１０９】
さらに、ＮＡＳカウンタは、アップリンクＮＡＳカウンタ（ＮＡＳ  Ｕｐｌｉｎｋ  ＣＯＵＮＴ）、ダウンリンクＮＡＳカウンタ（ＮＡＳ  Ｄｏｗｎｌｉｎｋ  ＣＯＵＮＴ）のうちの１つを含み得る。
【０１１０】
選択的には、前記の前記第１ネットワークのセキュリティ情報を前記第２ネットワークのセキュリティ情報にマッピングすることは、
第１マッピングルールに従って、前記第１ネットワークのセキュリティ情報を前記第２ネットワークのセキュリティ情報に直接マッピングするステップ、及び、
第２マッピングルールに従って、前記第１ネットワークのセキュリティ情報を前記第３ネットワークのセキュリティ情報にマッピングし、また、前記第３ネットワークのセキュリティ情報を前記第２ネットワークのセキュリティ情報にマッピングするステップのうちの少なくとも１つを含み得る。
【０１１１】
一実施形態において、第１マッピングルールと第２マッピングルールに従ってそれぞれ導出された第２ネットワークのセキュリティ情報は、互いに異なる。端末とネットワークは、同じマッピングルールに従って第２ネットワークのセキュリティ情報を導出する必要がある。
【０１１２】
一実施形態において、第１マッピングルールに従って、第１ネットワークのセキュリティ情報を第２ネットワークのセキュリティ情報に直接マッピングすることは、ＫＡＭＦ及び／又はＮＡＳ  ＣＯＵＮＴ（ＮＡＳ  Ｕｐｌｉｎｋ  ＣＯＵＮＴ又はＮＡＳ  Ｄｏｗｎｌｉｎｋ  ＣＯＵＮＴであってもよい）によってＣＫ及びＩＫを導出するか、又は（ＣＫ及びＩＫ）及び／又はＮＡＳ  ＣＯＵＮＴ（ＮＡＳ  Ｕｐｌｉｎｋ  ＣＯＵＮＴ又はＮＡＳ  Ｄｏｗｎｌｉｎｋ  ＣＯＵＮＴであってもよい）によってＫＡＭＦを導出することを含み得る。具体的には、ＫＡＭＦ及び／又はＮＡＳ  ＣＯＵＮＴによって、１２８ビットのＣＫと１２８ビットのＩＫのカスケードに対応する２５６ビットの値を導出し得るか、又は（１２８ビットのＣＫと１２８ビットのＩＫのカスケード）及び／又はＮＡＳ  ＣＯＵＮＴによってＫＡＭＦを導出し得る。具体的には、第１ネットワークから第２ネットワークＣＳへハンドオーバーする場合、第１ネットワークから第２ネットワークへハンドオーバーする場合、又は第１ネットワークが第２ネットワークに端末コンテキストを提供する場合、第１ネットワークのセキュリティ情報が第２ネットワークのセキュリティ情報にマッピングされるときに用いられたＮＡＳ  ＣＯＵＮＴは、ＮＡＳ  Ｄｏｗｎｌｉｎｋ  ＣＯＵＮＴであり得る。
【０１１３】
一実施形態において、第２マッピングルールに従って、前記第１ネットワークのセキュリティ情報を前記第３ネットワークのセキュリティ情報にマッピングし、また、前記第３ネットワークのセキュリティ情報を前記第２ネットワークのセキュリティ情報にマッピングすることは、ＫＡＭＦ及び／又はＮＡＳ  ＣＯＵＮＴ（ＮＡＳ  Ｕｐｌｉｎｋ  ＣＯＵＮＴ又はＮＡＳ  Ｄｏｗｎｌｉｎｋ  ＣＯＵＮＴであってもよい）によってＫＡＭＳＥを導出する段階と、ＫＡＭＳＥ及び／又はＮＡＳ  ＣＯＵＮＴによってＣＫ及びＩＫを導出する段階と、を含み得る。具体的には、第１ネットワークから第２ネットワークにＣＳハンドオーバーするとき、第１ネットワークのセキュリティ情報が第２ネットワークのセキュリティ情報にマッピングされるときに用いられるＮＡＳ  ＣＯＵＮＴは、ＮＡＳ  Ｄｏｗｎｌｉｎｋ  ＣＯＵＮＴであり得る。具体的には、端末が第１ネットワークから第２ネットワークに移動して第２ネットワークへの位置更新要求を開始するとき、第１ネットワークのセキュリティ情報が第２ネットワークのセキュリティ情報にマッピングされるときに用いられたＮＡＳ  ＣＯＵＮＴは、ＮＡＳ  Ｕｐｌｉｎｋ  ＣＯＵＮＴであり得る。
【０１１４】
一実施形態において、ＮＡＳ  Ｃｏｕｎｔは、１ずつインクリメントするなどして、用いられるたびに変更される。理解しやすいのは、第１マッピングルールは、１回の演算によって第２ネットワークのセキュリティ情報を導出し（即ち、第１ネットワークのセキュリティ情報演算から第２ネットワークのセキュリティ情報を直接導出する）、ＮＡＳ  Ｃｏｕｎｔ（例えばＮＡＳ  Ｄｏｗｎｌｉｎｋ  Ｃｏｕｎｔ）が１回用いられ、第２マッピングルールは、２回の演算によって第２ネットワークのセキュリティ情報を導出し（即ち、まず、第１ネットワークのセキュリティ情報に従って第３ネットワークのセキュリティ情報を演算して導出し、さらに、第３ネットワークのセキュリティ情報に従って第２ネットワークのセキュリティ情報を演算して導出する）、ＮＡＳ  Ｃｏｕｎｔ（例えばＮＡＳ  Ｄｏｗｎｌｉｎｋ  Ｃｏｕｎｔ）が２回用いられる。従って、第１マッピングルールに従って導出された第２ネットワークのセキュリティ情報と、第２マッピングルールに従って導出された第２ネットワークのセキュリティ情報とは、異なる。
【０１１５】
容易に理解できるだろうが、第２マッピングルールに従う場合と比べて、第１マッピングルールに従って、前記第１ネットワークのセキュリティ情報を前記第２ネットワークのセキュリティ情報に直接マッピングするほうが、セキュリティ情報のマッピング運用を低減し、ハンドオーバー効率を向上させ得るし、また、第１マッピングルールに従う場合と比べて、第２マッピングルールに従って、前記第１ネットワークのセキュリティ情報を前記第２ネットワークのセキュリティ情報に直接マッピングするほうが、第１ネットワーク及び第３ネットワークへの影響を低減し得る。
【０１１６】
さらに、前記第２関連情報は、
第２ネットワークのターゲット無線アクセスネットワークノード（例えばＲＮＣ）の識別子情報、前記第２ネットワークのセキュリティ情報、アンカーポイントネットワーク識別子情報、サポートされる回線交換ドメイン音声コーデックリスト情報、移動局クラスマーク２情報、移動局クラスマーク３情報、第２ネットワークタイプのソース無線アクセスネットワークからターゲット無線アクセスネットワークへのトランスペアレントコンテナ情報、ＩＭＳセッション転送番号、移動局国際加入者識別子番号、移動局ネットワーク能力情報、ユーザ端末ネットワーク能力、緊急サービスであるかの指示情報、優先度情報、第２ネットワークにおけるユーザ識別子情報、第２ネットワークのセキュリティ情報、第１ネットワークの端末に関する情報、第２ネットワークの端末に関する情報、第３ネットワークの端末に関する情報、及びサービングゲートウェイ選択関連情報のうちの少なくとも１つを含む。
【０１１７】
具体的には、第１ネットワークの端末に関する情報は、第１ネットワークのユーザ識別子情報、第１ネットワークのセキュリティ情報のうちの少なくとも１つを含み得る。
【０１１８】
具体的には、第２ネットワークの端末に関する情報は、第１ネットワークの端末に関する情報のマッピングによって導出される第２ネットワークの端末に関する情報であってもよく、第１ネットワークのユーザ識別子情報のマッピングによって導出される第２ネットワークにおけるユーザ識別子情報（例えばＩＭＳＩ）、第１ネットワークのセキュリティ情報のマッピングによって導出される前記第２ネットワークのセキュリティ情報のうちの少なくとも１つを含み得る。
【０１１９】
具体的には、第３ネットワークの端末に関する情報は、第１ネットワークの端末に関する情報のマッピングによって導出される第３ネットワークの端末に関する情報であってもよく、第１ネットワークのユーザ識別子情報（例えばＳＵＰＩ）のマッピングによって導出される第３ネットワークにおける識別子情報、及び第１ネットワークのセキュリティ情報のマッピングによって導出される前記第３ネットワークのセキュリティ情報のうちの少なくとも１つを含み得る。
【０１２０】
具体的には、サービングゲートウェイ選択関連情報は、サービングゲートウェイを選択するかの指示情報、ノードがサービングゲートウェイに接続必要があるかの情報のうちの少なくとも１つを含み得る。一実施形態において、サービングゲートウェイ選択必要の指示情報は、Ｓ４インタフェースをサポートするＳＧＳＮのような、サービングゲートウェイに接続すべきノードの種別として表現され得、また、サービングゲートウェイ選択不要の指示情報は、Ｇｎ及び／又はＧｐインタフェースをサポートするＳＧＳＮのような、サービングゲートウェイに接続すべきでないノードの種別として表現され得る。なお、５ＧネットワークにはＳＧＷノードがなく、ＡＭＦはＰＧＷ−Ｃ／ＳＭＦに直接接続するとする。一方、一部のネットワークは、ＳＧＷノードを介してＰＧＷに接続する必要がある。ネットワーク間の相互作用をサポートするため、端末が５Ｇから３Ｇネットワークに移行する場合、Ｓ４インタフェース型のＳＧＳＮについて、ＳＧＷを介してＰＧＷ−Ｃ／ＳＭＦとＰＧＷ−Ｕ／ＵＰＦとを接続する必要がある。容易に理解できるだろうが、５Ｇネットワーク及び３Ｇネットワークへの影響を減少するため、端末が５Ｇネットワークから３Ｇネットワークに移行するとき、ＳＧＷに接続すべきＳＧＳＮについて、第３ネットワーク又は相互運用ネットワーク要素に、端末のために１つのＳＧＷを選択するように指示し得る。ＳＧＷに接続すべきでないＳＧＳＮについて、第３ネットワーク又は相互運用ネットワーク要素に、端末のために１つのＳＧＷを選択するように指示しなくてもよい。
【０１２１】
一実施形態において、前記第１ネットワークの端末に関する情報を前記第２ネットワークの端末に関する情報にマッピングして第３ネットワークユニットに送信し得、第３ネットワークは、これを受信した後に第２ネットワークに転送し得る。別の実施形態において、前記第１ネットワークの端末に関する情報を前記第３ネットワークの端末に関する情報にマッピングして第３ネットワークユニットに送信し得、また、第３ネットワークユニットは、受信した前記第３ネットワークの端末に関する情報を前記第２ネットワークの端末に関する情報にマッピングして前記第２ネットワークユニットに再送信し得る。他の一実施形態において、前記第１ネットワークの端末に関する情報を第３ネットワークユニットに送信し、第３ネットワークユニットは、受信した前記第１ネットワークの端末に関する情報を前記第２ネットワークの端末に関する情報にマッピングして、前記第３ネットワークユニットに再送信し得る。
【０１２２】
ここで、アンカーポイントネットワーク識別子情報は、アンカーポイントＰＬＭＮとして表現され得る。
【０１２３】
さらに、前記第１ネットワークから前記第２ネットワークへのＣＳハンドオーバー運用の指示情報は、
前記第１ネットワークから前記第２ネットワークへのＣＳハンドオーバーの指示情報、
前記第３ネットワークから前記第２ネットワークへのＣＳハンドオーバーを開始する指示情報、及び、
前記相互運用ネットワーク要素から前記第２ネットワークへのＣＳハンドオーバーを開始する指示情報のうちの少なくとも１つを含み得る。
【０１２４】
前記第３ネットワークから前記第２ネットワークのへのＣＳハンドオーバーを開始する指示情報、又は、前記相互運用ネットワーク要素から前記第２ネットワークのＣＳへハンドオーバーを開始する指示情報は、具体的には、単一無線音声継続性（Ｓｉｎｇｌｅ  Ｒａｄｉｏ  Ｖｏｉｃｅ  Ｃａｌｌ  Ｃｏｎｔｉｎｕｉｔｙ、ＳＲＶＣＣ）のＰＳからＣＳへのハンドオーバーを開始する指示情報として表現され得る。
【０１２５】
ここで、前記第１ネットワークから前記第３ネットワークへのハンドオーバー要求は、前記第１ネットワークと第３ネットワークとの間のネットワークインタフェースであるＮ２６インタフェースに基づくハンドオーバー要求として表現され得る。
【０１２６】
前記第１ネットワークから前記第３ネットワークへのハンドオーバー要求は、前記第１ネットワークから前記第２ネットワークへのＣＳハンドオーバーを指示することに用いられ、具体的には、第１ネットワークから第２ネットワークへのＣＳハンドオーバー運用の指示情報を含み得る。こうして、第３ユニットは、該要求を受信した後、端末ハンドオーバーのターゲットネットワークが第３ネットワークではなく、第２ネットワークであることを決定し得、ハンドオーバーの精度を向上させ得る。
【０１２７】
また、幾つかの具体的な実施形態において、前記第１ネットワークから第２ネットワークへの関連運用を実行した後、前記方法は、さらに、
前記第２ネットワークから送り返された前記第１ネットワークから前記第２ネットワークへのＣＳハンドオーバー応答を受信するステップを有する。
【０１２８】
本実施形態において、第１ネットワークのネットワークユニットは、第３ネットワークを介して、前記第１ネットワークから第２ネットワークへの関連運用を実行する。従って、第１ネットワークのネットワークユニットは、第３ネットワークを介して、第２ネットワークから送り返された、前記第１ネットワークから前記第２ネットワークへのＣＳハンドオーバー応答を受信し得る。
【０１２９】
また、第１ネットワークから前記第２ネットワークへのＣＳハンドオーバー応答は、ターゲットＲＮＣからソースＲＮＣへのトランスペアレントコンテナ情報（ｔａｒｇｅｔ  ＲＮＣ  ｔｏ  ｓｏｕｒｃｅ  ＲＮＣ  ｔｒａｎｓｐａｒｅｎｔ  ｃｏｎｔａｉｎｅｒ）のような、第２ネットワークタイプのターゲット無線アクセスネットワークからソース無線アクセスネットワークへの伝送コンテナ情報の少なくとも１つを含み得る。
【０１３０】
さらに、幾つかの具体的な実施形態において、前記第１ネットワークから前記第２ネットワークへのＣＳハンドオーバーの関連運用を実行する段階は、さらに、
ターゲットＲＮＣからソースＲＮＣへのトランスペアレントコンテナ情報（ｔａｒｇｅｔ  ＲＮＣ  ｔｏ  ｓｏｕｒｃｅ  ＲＮＣ  ｔｒａｎｓｐａｒｅｎｔ  ｃｏｎｔａｉｎｅｒ）のような、第２ネットワークタイプのターゲット無線アクセスネットワークからソース無線アクセスネットワークへの伝送コンテナ情報を端末に送信すること、及び、
前記第１ネットワークから前記第２ネットワークへのＣＳハンドオーバーの指示情報のような、前記第１ネットワークから前記第２ネットワークへのハンドオーバーの指示情報を端末に送信することを含み得る。
【０１３１】
端末は、上記の指示情報を受信した後、第１ネットワークから第２ネットワークへのＣＳハンドオーバーの関連運用を実行し得る。端末は、第１ネットワークから第２ネットワークへのＣＳハンドオーバーを完了した後、第２ネットワークで音声サービスを進行又は継続させる。容易に理解できるだろうが、端末は、第１ネットワークで高速のデータ接続を享受した後、音声サービスが必要とするときに、又は第１ネットワークのカバレッジから移出したときに、音声サービスの進行や、音声サービスの継続性がサポートされる。幾つかの好ましい実施例において、前記第１ネットワークは５Ｇネットワークであってもよく、前記第２ネットワークは３Ｇネットワークであってもよく、前記第３ネットワークは４Ｇネットワークであってもよい。他の幾つかの好ましい実施例において、前記第１ネットワークは３Ｇネットワークであってもよく、前記第２ネットワークは５Ｇネットワークであってもよい。
【０１３２】
なお、本開示の実施例に紹介された種々の選択可能な実施形態は、互いに組み合わせて実現してもよく、又は単独で実現してもよく、本開示の実施例は、これに限定されない。
本実施例のネットワーク間運用の方法によると、端末が音声サービスをサポートする第１ネットワークから前記第２ネットワークに移行した後に音声サービスを継続させ、音声サービスの継続性を維持すること、及び、端末が音声サービスをサポートしない第１ネットワークから前記第２ネットワークにフォールバックして音声サービスを確立することを実現し得る。その結果、本開示は、音声サービスをサポートしたり、音声サービスの継続性を維持させたりすることができ、さらに第２ネットワークへの影響も回避し得る。
【０１３３】
図２を参照されたい。図２は、本開示の実施例に係るネットワーク間運用の方法のフローチャートを示す２つ目の図である。本実施例のネットワーク間運用の方法は、アーキテクチャ１、アーキテクチャ２及びアーキテクチャ３のうちの何れかのアーキテクチャに適用可能であり、具体的には、実際の必要に応じて決定されてもよく、本開示の実施例はこれに限定されない。本実施例のネットワーク間運用の方法は、第１ネットワークのネットワークユニットに適用され、図２に示すように、以下のステップを有する：
ステップ２０１：前提条件を満たしているか否かを決定する。
ステップ２０２：前記前提条件を満たしている場合、前記第１ネットワークから第２ネットワークへの関連運用を実行する。
【０１３４】
本実施例において、前記第１ネットワークは５Ｇネットワークであり、前記第２ネットワークは３Ｇネットワークであり、又は、前記第１ネットワークは３Ｇネットワークであり、前記第２ネットワークは５Ｇネットワークである。第１ネットワークと第２ネットワークは、特定のインタフェースを介して直接通信し得る。従って、本実施例は、アーキテクチャ１、アーキテクチャ２及びアーキテクチャ３に適用可能である。
【０１３５】
なお、本実施例の第１ネットワークと第２ネットワークは、他のプロキシネットワーク、例えば４Ｇネットワーク又は相互運用ネットワーク要素を介して通信することもできる。該適用シナリオでは、ネットワーク間運用の方法は、アーキテクチャ２に適用し得、且つネットワーク間運用の方法の具体的な実現プロセスは、図１の対応する実施例の実現方式と同様であり、具体的には、上記の実施例における説明を参照すればよく、重複を回避するため、ここでその説明を省略する。
【０１３６】
以下、第１ネットワークと第２ネットワークが特定のインタフェースを介して直接通信することのできるシナリオについて説明する。
【０１３７】
幾つかの実施例において、第１ネットワーク又は第２ネットワークは、ＣＳドメイン、ＰＳドメインのうちの少なくとも１つを含み得る。ＣＳドメインは、ネットワークの回線交換ドメインを指し、ＰＳドメインは、ネットワークパケット交換ドメインであってもよい。例えば、４Ｇネットワーク又は５Ｇネットワークは、ＰＳドメインのみを含み得る。例えば、３Ｇネットワークは、ＣＳドメイン及びＰＳドメインを含み得る。
【０１３８】
選択的には、前記第１ネットワークのネットワークユニットは、第１ネットワークコアネットワークのネットワークユニット、第１ネットワーク無線アクセスネットワークのネットワークユニットのうちの１つであり得る。第１ネットワークが５Ｇネットワークである場合、第１ネットワークコアネットワークのネットワークユニットは、ＡＭＦ、ＳＭＦ、ＵＤＭのうちの１つであり得る。第２ネットワークコアネットワークのネットワークユニットは、ＮＧ  ＲＡＮ、ｇＮＢ、ｅＮＢのうちの１つであり得る。第１ネットワークが３Ｇネットワークである場合、第１ネットワークコアネットワークのネットワークユニットは、ＳＧＳＮ、ＧＧＳＮ、ＨＬＲのうちの１つであり得る。第１ネットワークの無線アクセスネットワークのネットワークユニットは、ＵＭＴＳ、ｎｏｄｅＢ、ＲＮＣのうちの１つであり得る。ネットワーク間の相互運用をサポートするため、幾つかの異なるネットワークのネットワークユニット、例えばＰＧＷとＧＧＳＮ、ＧＧＳＮとＵＰＦ、ＧＧＳＮとＳＭＦ、ＰＧＷ−ＣとＳＭＦ、ＰＧＷ−ＵとＵＰＦ、ＨＬＲとＵＤＭが組合せて設定され得る。
【０１３９】
本開示の幾つかの選択的な実施例では、満たされると決定し得る、
前記第１ネットワークから前記第２ネットワークへの運用の第１関連情報を取得する（例えば、前記第１関連情報を端末から受信する）こと、
前記第１ネットワークから前記第２ネットワークへのＰＳ運用の第１関連情報を取得する（例えば、前記第１関連情報を端末から受信する）こと、
前記第１ネットワークから前記第２ネットワークへのＣＳ運用の第１関連情報を取得すること、
第１ネットワークから第２ネットワークへのハンドオーバー要求の情報を受信すること、
第１ネットワークと第２ネットワークとの間に直接のインタフェースが存在しないことを決定し、且つ第３ネットワーク又は相互運用ネットワーク要素を介して相互作用すること、
第１ネットワークと第２ネットワークとの間に直接のインタフェースが存在することを決定すること、及び
端末が第２ネットワークにアクセスすること、
のうちの少なくとも１つが満たされる場合、前記前提条件が満たされると決定し得る。
【０１４０】
一実施形態では、端末が第２ネットワークにアクセスすることは、端末が第２ネットワークに対する位置更新を開始すること、端末が第２ネットワークに対する初期アタッチを開始すること、及び端末が第１ネットワークから第２ネットワークへのＣＳハンドオーバーをすること、のうちの１つを含む。一実施形態において、端末が第２ネットワークにアクセスすることは、第２ネットワーク（例えば、第２ネットワークのＰＳドメイン）から第１ネットワークへのコンテキスト要求をトリガし、第１ネットワークは、端末のコンテキストを第２ネットワークに伝送する。一実施形態において、第２ネットワークが３Ｇネットワークである場合、端末が第２ネットワークに位置更新を開始することは、端末がＳＧＳＮにルーティングエリア更新要求を送信することであり得る。第２ネットワークが５Ｇネットワークである場合、端末が第２ネットワークに位置更新を開始することは、端末がＡＭＦに登録要求を送信することであり、且つ登録要求種別はモバイル登録更新であり得る。
【０１４１】
選択的には、第１ネットワークのネットワークユニットは、端末、ＳＭＦ、ＵＤＭ、第１ネットワークコアネットワークのネットワークユニット、第１ネットワーク無線アクセスネットワークのネットワークユニットのうちの少なくとも１つから前記第１関連情報を取得し得る。なお、該第１関連情報は、前記第１ネットワークから前記第２ネットワークへの運用の第１関連情報、前記第１ネットワークから前記第２ネットワークへのＰＳ運用の第１関連情報、前記第１ネットワークから第２ネットワークへのＣＳ運用の第１関連情報のうちのいずれか１つとして表現され得る。
【０１４２】
一実施形態において、端末が第１ネットワーク内でハンドオーバーする、又は位置更新をするとき、ソースコアネットワークのネットワークユニットは、ターゲットコアネットワークのネットワークユニットに前記第１関連情報を送信することができる。ターゲットコアネットワークのネットワークユニットは、ターゲット無線アクセスネットワークのネットワークユニットに前記第１関連情報を送信することができる。ソース無線アクセスネットワークのネットワークユニットは、ターゲット無線アクセスネットワークのネットワークユニット又はソースコアネットワークのネットワークユニットに前記第１関連情報を送信することができる。
【０１４３】
ここで、取得とは、構成からの取得、受信からの取得、要求後の受信による取得、又は受信済み情報の処理後に取得することとして理解することができ、具体的には、実際の必要に応じて決定してもよく、本開示の実施例は、これに限定されない。
【０１４４】
さらに、前記第１関連情報は、具体的には、図１の方法の実施例における第１関連情報の説明を参照すればよく、ここで説明を省略する。
【０１４５】
さらに、前記第１ネットワークから第２ネットワークへのハンドオーバー要求の情報を受信することは、図１の方法の実施例における説明を参照すればよく、ここで説明を省略する。
【０１４６】
選択的には、第１ネットワークは、第１ネットワークから第２ネットワークへのハンドオーバ要求情報を第１ネットワークの無線アクセスネットワークから受信し得る。
【０１４７】
本開示の幾つかの好ましい実施例において、前記の前記第１ネットワークから第２ネットワークへの関連運用を実行するステップは、
前記第１ネットワークから前記第２ネットワークへのハンドオーバーの関連運用を実行すること、
前記第１ネットワークから前記第２ネットワークへのＣＳハンドオーバーの関連運用を実行すること、
前記第１ネットワークから前記第２ネットワークへのＰＳハンドオーバーの関連運用を実行すること、
前記第１ネットワークから前記第２ネットワークへの端末コンテキストに関する関連運用を実行すること、
前記第１ネットワークから前記第２ネットワークへのデータ転送の関連運用を実行すること、
前記第１ネットワークから前記第２ネットワークへのＩＰアドレス保持の関連運用を実行すること、
前記第１ネットワークの端末に関する情報を前記第２ネットワークの端末に関する情報にマッピングすること、
前記第１ネットワークから第２ネットワークへの運用の第２関連情報を第１ターゲット側に送信すること、及び
前記第１ネットワークから前記第２ネットワークへの運用の指示情報を第１ターゲット側に送信することのうちの少なくとも１つを含み得る。
【０１４８】
一実施形態において、前記第１ネットワークから前記第２ネットワークへの端末コンテキストに関する関連運用は、端末コンテキストを要求及び伝送する関連運用であり得る。例えば、第１ネットワークは、第２ネットワークからの端末に関するコンテキスト要求を受信した後、コンテキスト応答を第２ネットワークに送信する。前記コンテキスト応答には、端末情報が含まれる。
【０１４９】
一実施形態において、前記第１ネットワークから前記第２ネットワークへのＣＳ運用は、ＰＳからＣＳへのハンドオーバーを含み得る。
【０１５０】
さらに、前記第１ネットワークから前記第２ネットワークへの運用の指示情報は、
前記第１ネットワークから前記第２ネットワークへのハンドオーバーの指示情報、
前記第１ネットワークから前記第２ネットワークへのＣＳハンドオーバーの指示情報、
前記第１ネットワークから前記第２ネットワークへのＰＳハンドオーバーの指示情報、
前記第１ネットワークから前記第２ネットワークへの端末コンテキストを要求する指示情報、
前記第３ネットワークから前記第２ネットワークへのハンドオーバーを開始する指示情報、
前記相互運用ネットワーク要素から前記第２ネットワークへのハンドオーバーを開始する指示情報、
前記第３ネットワークから前記第２ネットワークへのＣＳハンドオーバーを開始する指示情報、
前記相互運用ネットワーク要素から前記第２ネットワークへのＣＳハンドオーバーを開始する指示情報、
前記第３ネットワークから前記第２ネットワークへのＰＳハンドオーバーを開始する指示情報、
前記相互運用ネットワーク要素から前記第２ネットワークへのＰＳハンドオーバーを開始する指示情報、
前記第３ネットワークから前記第１ネットワークへの端末コンテキスト要求を開始する指示情報、
前記相互運用ネットワーク要素から前記第１ネットワークへの端末コンテキスト要求を開始する指示情報、
前記第３ネットワークから前記第１ネットワークへの端末コンテキスト要求を開始する指示情報、及び
前記相互運用ネットワーク要素から前記第１ネットワークへの端末コンテキスト要求を開始する指示情報のうちの少なくとも１つを含み得る。
【０１５１】
選択的には、前記の前記第１ネットワークから前記第２ネットワークへのＣＳハンドオーバーの関連運用を実行するステップは、
前記第１ネットワークの端末に関する情報を前記第２ネットワークの端末に関する情報にマッピングすること、
前記第１ネットワークから前記第２ネットワークへのＣＳハンドオーバー要求を前記第１ターゲット側に送信すること、
ＰＳからＣＳへのハンドオーバー要求を前記第１ターゲット側に送信すること、
前記第１ネットワークから前記第２ネットワークへのＣＳハンドオーバー運用の第２関連情報を前記第１ターゲット側に送信すること、及び
前記第１ネットワークから前記第２ネットワークへのＣＳハンドオーバー運用の指示情報を前記第１ターゲット側に送信すること、のうちの少なくとも１つを含む。
【０１５２】
選択的には、前記の前記第１ネットワークから前記第２ネットワークへのＰＳハンドオーバーの関連運用を実行するステップは、
前記第１ネットワークの端末に関する情報を前記第２ネットワークの端末に関する情報にマッピングすること、
前記第１ネットワークから前記第２ネットワークへのＰＳハンドオーバー要求を前記第１ターゲット側に送信すること、
ＰＳハンドオーバー要求を前記第１ターゲット側に送信すること、
前記第１ネットワークから前記第２ネットワークへの運用の第２関連情報を前記第１ターゲット側に送信すること、及び
前記第１ネットワークから前記第２ネットワークへのＰＳハンドオーバー運用の指示情報を前記第１ターゲット側に送信すること、のうちの少なくとも１つを含み得る。
【０１５３】
選択的には、前記の前記第１ネットワークから前記第２ネットワークへの端末コンテキストに関する関連運用を実行するステップは、
前記第１ネットワークの端末に関する情報を前記第２ネットワークの端末に関する情報にマッピングすること、
コンテキスト取得要求を前記第１ターゲット側に送信すること、
前記第１ネットワークから前記第２ネットワークへの運用の第２関連情報を前記第１ターゲット側に送信すること、及び
前記端末コンテキスト取得の運用の指示情報を前記第１ターゲット側に送信することのうちの少なくとも１つを含む。
【０１５４】
選択的には、前記第１ターゲット側は、端末、第３ネットワークのネットワークユニット、相互運用ネットワーク要素、第１ネットワークのネットワークユニット、第１ネットワークの無線アクセスネットワークのネットワークユニット、及び前記第２ネットワークのネットワークユニットのうちの少なくとも１つを含む。
【０１５５】
さらに、前記第２関連情報は、具体的には、図１の方法の実施例における第２関連情報の説明を参照すればよく、ここで説明を省略する。
【０１５６】
さらに、前記の前記第１ネットワークの端末に関する情報を前記第２ネットワークの端末に関する情報にマッピングするステップは、
前記端末の第１ネットワークのユーザ識別子を第２ネットワークのユーザ識別子にマッピングすること、及び
前記第１ネットワークサービス端末のネットワーク識別子情報をアンカーポイントネットワーク識別子情報にマッピングすることのうちの少なくとも１つを含む。
【０１５７】
さらに、第１ネットワークが５Ｇネットワークである場合、第１ネットワークのユーザ識別子は、サブスクリプション永続識別子（Ｓｕｂｓｃｒｉｐｔｉｏｎ  Ｐｅｒｍａｎｅｎｔ  Ｉｄｅｎｔｉｆｉｅｒ、ＳＵＰＩ）、５Ｇ−ＧＵＴＩ、５Ｇ  Ｓ−ＴＭＳＩのうちの少なくとも１つを含み得る。
【０１５８】
さらに、第２ネットワークが３Ｇネットワークである場合、第２ネットワークのユーザ識別子は、国際移動加入者識別子番号（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ、ＩＭＳＩ）、ＴＭＳＩ、Ｐ−ＴＭＳＩ、Ｐ−ＴＭＳＩ  ｓｉｇｎａｔｕｒｅ、ＲＡＣ、ＲＡＩ、ＬＡＣ、ＬＡＩ、ＩＭＥＩのうちの少なくとも１つを含み得る。
【０１５９】
さらに、第１ネットワークが３Ｇネットワークである場合、第１ネットワークのユーザ識別子は、ＩＭＳＩ、ＴＭＳＩ、Ｐ−ＴＭＳＩ、Ｐ−ＴＭＳＩ  ｓｉｇｎａｔｕｒｅ、ＲＡＣ、ＲＡＩ、ＬＡＣ、ＬＡＩ、ＩＭＥＩのうちの少なくとも１つを含み得る。さらに、第２ネットワークが５Ｇネットワークである場合、第２ネットワークのユーザ識別子は、ＳＵＰＩ、５Ｇ−ＧＵＴＩ、５Ｇ  Ｓ−ＴＭＳＩ、ＰＥＩのうちの少なくとも１つを含み得る。
【０１６０】
前記第１ネットワークのセキュリティ情報を前記第２ネットワークのセキュリティ情報にマッピングし、さらに、前記端末の第１ネットワークのユーザ識別子を第２ネットワークのユーザ識別子にマッピングすることは、具体的には、前記端末の５Ｇネットワークのユーザ識別子を３Ｇネットワークのユーザ識別子にマッピングすること、前記端末の３Ｇネットワークのユーザ識別子を５Ｇネットワークのユーザ識別子にマッピングすること、前記端末のＳＵＰＩを第２ネットワークのＩＭＳＩにマッピングすること、前記端末のＩＭＳＩをＳＵＰＩにマッピングすること、５Ｇ−ＧＵＴＩをＲＡＩ、Ｐ−ＴＭＳＩ及び／又はＰ−ＴＭＳＩ  Ｓｉｇｎａｔｕｒｅの組み合わせにマッピングすること、ＲＡＩ、Ｐ−ＴＭＳＩ及び／又はＰ−ＴＭＳＩ  Ｓｉｇｎａｔｕｒｅの組み合わせを５Ｇ−ＧＵＴＩにマッピングすること、ＩＭＥＩをＰＥＩにマッピングすること、ＰＥＩをＩＭＥＩにマッピングすること、のうちの少なくとも１つとして表現され得る。
【０１６１】
５Ｇ  ＧＵＴＩは、ＵＥ識別子の部分とＡＭＦ識別子の部分を有し得る。ＡＭＦ識別子は、ＡＭＦ領域識別子（ＡＭＦ  ｒｅｇｉｏｎ  ＩＤ）、ＡＭＦセット識別子（ＡＭＦ  ｓｅｔ）及び／又はＡＭＦポインタ（ＡＭＦ  ｐｏｉｎｔ）からなる。ユーザ識別子部分は、５Ｇ−ＴＭＳＩとも呼ばれる。
ＲＡＩは、ＰＬＭＮ、ＬＡＣ（ロケーションエリアコード）及びＲＡＣ（ルーティングエリアコード）で構成されてもよい。Ｐ−ＴＭＳＩには、ＮＲＩドメインが存在し得る。
【０１６２】
一実施形態において、ＲＡＩ、Ｐ−ＴＭＳＩ及び／又はＰ−ＴＭＳＩ  Ｓｉｇｎａｔｕｒｅの組み合わせと５Ｇ−ＧＵＴＩとの間のマッピングルールは、ＡＭＦ識別子とＲＡＩとの間のマッピング、５−ＴＭＳＩとＰ−ＴＭＳＩ及びＰ−ＴＭＳＩ  Ｓｉｇｎａｔｕｒｅとの間のマッピング、ＰＬＭＮとＰＬＭＮとの間のマッピング、のうちの少なくとも１つであり得る。
【０１６３】
一実施形態において、５Ｇネットワークのユーザ識別子を３Ｇネットワークのユーザ識別子にマッピングするマッピングルールは、
-  ＜ＡＭＦ領域識別子＞が１６ビットの場合、＜ＡＭＦ領域識別子＞を＜ＬＡＣ＞にマッピングし得ること、
-  ＜ＡＭＦ領域識別子＞が８ビットの場合、＜ＡＭＦ領域識別子＞を＜ＬＡＣ＞のビット１５からビット８にマッピングし得ること、
-  ＜ＡＭＦセット識別子＞が１２ビットの場合、＜ＡＭＦセット識別子＞のビット１１からビット４を＜ＬＡＣ＞のビット７からビット０にマッピングし得、また、＜ＡＭＦセット識別子＞のビット３からビット０を＜ＲＡＣ＞の最上位８ビットのうちの上位４ビット及び／又は＜ＮＲＩ＞の最上位の４ビットにマッピングし得ること、
-  ＜ＡＭＦセット識別子＞が４ビットの場合、＜ＡＭＦセット識別子＞を＜ＲＡＣ＞の最上位８ビットのうちの上位４ビット及び／又は＜ＮＲＩ＞の最上位８ビットのうちの上位４ビットにマッピングすることがてきること、
-  ＜ＡＭＦポインタ＞を＜ＲＡＣ＞の最上位８ビットのうちの下位４ビットにマッピングし得ること、
-  ＜５Ｇ−ＴＭＳＩ＞のビット２９からビット２４を＜Ｐ−ＴＭＳＩ＞のビット２９からビット２４にマッピングし得ること、
-  ＜５Ｇ−ＴＭＳＩ＞のビット１５からビット０を＜Ｐ−ＴＭＳＩ＞のビット１５からビット０にマッピングし得ること、及び
-  ＜５Ｇ−ＴＭＳＩ＞の他の８ビットを＜Ｐ−ＴＭＳＩ＞の最高位の８ビットにマッピングし得ることのうちの少なくとも１つを含む。
【０１６４】
一実施形態において、３Ｇネットワークのユーザ識別子を５Ｇネットワークのユーザ識別子にマッピングするマッピングルールは、
-  ＜ＡＭＦ領域識別子＞が１６ビットの場合、＜ＬＡＣ＞を＜ＡＭＦ領域識別子＞にマッピングし得ること、
-  ＜ＡＭＦ領域識別子＞が８ビットの場合、＜ＬＡＣ＞のビット１５からビット８を＜ＡＭＦ領域識別子＞にマッピングし得ること、
-  ＜ＡＭＦセット識別子＞が１２ビットの場合、＜ＬＡＣ＞のビット７からビット０を＜ＡＭＦセット識別子＞にマッピングし得ること、
-  ＜ＮＲＩ＞の最上位８ビットのうちの上位４ビットを＜ＡＭＦセット識別子＞の最下位４ビットにマッピングし得ること、
-  ＜ＮＲＩ＞の最上位８ビットのうちの下位４ビットを＜ＡＭＦポインタ＞にマッピングし得ること、
-  ＜ＲＡＣ＞を＜５Ｇ−ＴＭＳＩ＞のビット２３からビット１６にマッピングし得ること、
-  ＜Ｐ−ＴＭＳＩ＞のビット２９からビット２４を＜Ｐ５Ｇ−ＴＭＳＩ＞のビット２９からビット２４にマッピングし得ること、
-  ＜Ｐ−ＴＭＳＩ＞のビット１５からビット０を＜５Ｇ−ＴＭＳＩ＞のビット１５からビット０にマッピングし得ることの、うちの少なくとも１つを含む。
【０１６５】
前記端末のＳＵＰＩをＩＭＳＩにマッピングするプロセスにおいて、第１ネットワークのネットワークユニットは、ＳＵＰＩの具体的な表現形式に応じ、ＳＵＰＩをＩＭＳＩにマッピングするマッピングルールを決定し得る。
【０１６６】
具体的には、ＳＵＰＩのフォーマットがＩＭＳＩである場合、１対１のマッピングというマッピングルールを用いてＳＵＰＩをＩＭＳＩに直接マッピングし得、ＳＵＰＩのフォーマットがＮＡＩのような非ＩＭＳＩである場合、第１ネットワークのネットワークユニットは、以下のいずれかを実行し得る：１．ＩＭＳＩを１つ追加的に割り当て、その追加的に割り当てられたＩＭＳＩによってＳＵＰＩからＩＭＳＩへのマッピングを完了する。容易に理解できるだろうが、この追加的に割り当てられたＩＭＳＩは、第１ネットワークに用いられなく、第１ネットワークが他のネットワーク（例えば、第２ネットワーク及び第３ネットワーク）と相互運用する必要がある場合にのみ開始される。２．第１ネットワークから第２ネットワークへの運用を実行しない。３．ＮＡＩをＩＭＳＩにマッピングし、即ちＮＡＩをＩＭＳＩとして使用する。ＮＡＩがＩＭＳＩより長い場合、ＮＡＩ内のＩＭＳＩ長の下位ビットをＩＭＳＩとして用い、ＮＡＩがＩＭＳＩより短い場合、上位に補充すべきビットをＩＭＳＩに書き込む。
【０１６７】
ネットワーク識別子情報は、公衆陸上移動通信ネットワーク（Ｐｕｂｌｉｃ  Ｌａｎｄ  Ｍｏｂｉｌｅ  Ｎｅｔｗｏｒｋ、ＰＬＭＮ）、ＭＮＣのうちの１つを含み得る。例えば、第１ネットワークの最後のサービス端末のネットワーク表示情報は、第１ネットワークの最後のサービス端末のＰＬＭＮとして表現され得、アンカーポイントネットワーク識別子情報は、ＳｖインタフェースメッセージにおけるアンカーポイントＰＬＭＮとして表現され得るが、これに限定されない。
【０１６８】
本実施例がアーキテクチャ１及びアーキテクチャ３に適用される場合、前記の前記第１ネットワークのセキュリティ情報を前記第２ネットワークのセキュリティ情報にマッピングすることは、具体的には、前記第１ネットワークのセキュリティ情報を前記第２ネットワークのセキュリティ情報に直接マッピングすると表現され得る。
【０１６９】
前記第１ネットワークのセキュリティ情報は、第１ネットワークの秘密鍵、ＮＡＳカウンタ、第１ネットワークの鍵識別子、暗号化鍵（ｃｏｎｆｉｄｅｎｔｉａｌｉｔｙ  ｋｅｙ、ＣＫ）、完全性鍵（ｉｎｔｅｇｒｉｔｙ  ｋｅｙ、ＩＫ）のうちの少なくとも１つを含み得るが、これらに限定されない。
【０１７０】
-  第１ネットワークが５Ｇネットワークである場合、第１ネットワークの秘密鍵は、ＡＭＦに関連する秘密鍵であるＫＡＭＦとして表現され得、第１ネットワークの鍵識別子は、ＮＧ無線アクセスネットワーク鍵セット識別子（Ｋｅｙ  Ｓｅｔ  Ｉｄｅｎｔｉｆｉｅｒ  ｉｎ  ＮＧ  ＲＡＮ、ｎｇＫＳＩ）として表現され得る。
【０１７１】
-  第１ネットワークが３Ｇネットワークである場合、第１ネットワークの秘密鍵は、暗号化鍵（ｃｏｎｆｉｄｅｎｔｉａｌｉｔｙ  ｋｅｙ、ＣＫ）、完全性鍵（ｉｎｔｅｇｒｉｔｙ  ｋｅｙ、ＩＫ）として表現され得、第１ネットワークの鍵識別子は、ネットワーク鍵セット識別子（Ｋｅｙ  Ｓｅｔ  Ｉｄｅｎｔｉｆｉｅｒ、ＫＳＩ）として表現され得る。
【０１７２】
前記第２ネットワークのセキュリティ情報は、第２ネットワークの秘密鍵、ＮＡＳカウンタ、暗号化鍵（ｃｏｎｆｉｄｅｎｔｉａｌｉｔｙ  ｋｅｙ、ＣＫ）、完全性鍵（ｃｏｎｆｉｄｅｎｔｉａｌｉｔｙ  ｋｅｙ  ＣＫ）、第２ネットワークの鍵識別子のうちの少なくとも１つを含み得るが、これらに限定されない。
【０１７３】
第２ネットワークが３Ｇネットワークである場合、第２ネットワークの鍵識別子は、ネットワーク鍵セット識別子（Ｋｅｙ  Ｓｅｔ  Ｉｄｅｎｔｉｆｉｅｒ、ＫＳＩ）として表現され得る。ＣＫは、第１ネットワークから第２ネットワークへのＣＳハンドオーバー専用のＣＫであり得、ＩＫは、第１ネットワークから第２ネットワークへのＣＳハンドオーバーのためのＩＫであり得る。
【０１７４】
第２ネットワークが５Ｇネットワークである場合、第２ネットワークの秘密鍵は、ＡＭＦに関連する秘密鍵であるＫＡＭＦとして表現され得、第２ネットワークの鍵識別子は、ｎｇＫＳＩとして表現され得る。
【０１７５】
前記第３ネットワークのセキュリティ情報は、第３ネットワークの秘密鍵、ＮＡＳカウンタ、第３ネットワークの鍵識別子、ＮＨ、ＮＣＣのうちの少なくとも１つを含み得るが、これらに限定されない。第３ネットワークの秘密鍵は、ＡＳＭＥに関連する秘密鍵であるＫＡＳＭＥとして表現され得、第３ネットワークの鍵識別子は、進化型汎用地上波無線アクセスネットワークの鍵セット識別子（Ｋｅｙ  Ｓｅｔ  Ｉｄｅｎｔｉｆｉｅｒ  ｉｎ  Ｅ−ＵＴＲＡＮ、ｅＫＳＩ）として表現され得る。
【０１７６】
さらに、鍵識別子は、秘密鍵の識別に用いられる。例えば、ｅＫＳＩはＫＡＳＭＥを識別することに用いられてもよく、ｎｇＫＳＩはＫＡＭＦを識別することに用いられてもよい。
【０１７７】
さらに、ＮＡＳカウンタは、アップリンクＮＡＳカウンタ（ＮＡＳ  Ｕｐｌｉｎｋ  ＣＯＵＮＴ）、ダウンリンクＮＡＳカウンタ（ＮＡＳ  Ｄｏｗｎｌｉｎｋ  ＣＯＵＮＴ）のうちの１つを含み得る。
【０１７８】
選択的には、前記の前記第１ネットワークのセキュリティ情報を前記第２ネットワークのセキュリティ情報にマッピングすることは、
第１マッピングルールに従って、前記第１ネットワークのセキュリティ情報を前記第２ネットワークのセキュリティ情報に直接マッピングすること、及び、
第２マッピングルールに従って、前記第１ネットワークのセキュリティ情報を前記第３ネットワークのセキュリティ情報にマッピングし、さらに、前記第３ネットワークのセキュリティ情報を前記第２ネットワークのセキュリティ情報にマッピングすること、のうちの少なくとも１つを含み得る。
【０１７９】
一実施形態において、第１マッピングルールと第２マッピングルールに従ってそれぞれ導出された第２ネットワークのセキュリティ情報は、互いに異なる。端末とネットワークとは、同じマッピングルールに従って第２ネットワークのセキュリティ情報を導出する必要がある。具体的には、端末が第１ネットワークから第２ネットワークに移動して第２ネットワークへの位置更新要求を開始する場合、第１ネットワークのセキュリティ情報が第２ネットワークのセキュリティ情報にマッピングされるときに用いられるＮＡＳ  ＣＯＵＮＴは、ＮＡＳ  Ｕｐｌｉｎｋ  ＣＯＵＮＴであり得る。
【０１８０】
一実施形態において、ＮＡＳ  Ｃｏｕｎｔは、１ずつインクリメントするなどして、用いられるたびに変更される。容易に理解できるだろうが、第１マッピングルールは、１回の演算によって第２ネットワークのセキュリティ情報を導出し（即ち、第１ネットワークのセキュリティ情報演算によって第２ネットワークのセキュリティ情報を直接導出する）、ＮＡＳ  Ｃｏｕｎｔ（例えばＮＡＳ  Ｄｏｗｎｌｉｎｋ  Ｃｏｕｎｔ）が１回用いられ、第２マッピングルールは、２回の演算によって第２ネットワークのセキュリティ情報を導出し（即ち、まず、第１ネットワークのセキュリティ情報に従って第３ネットワークのセキュリティ情報を演算して導出し、さらに、第３ネットワークのセキュリティ情報に従って第２ネットワークのセキュリティ情報を演算して導出する）、ＮＡＳ  Ｃｏｕｎｔ（例えばＮＡＳ  Ｄｏｗｎｌｉｎｋ  Ｃｏｕｎｔ）が２回用いられる。従って、第１マッピングルールに従って導出された第２ネットワークのセキュリティ情報と、第２マッピングルールに従って導出された第２ネットワークのセキュリティ情報とは、異なる。
【０１８１】
一実施形態において、第１マッピングルールに従って、第１ネットワークのセキュリティ情報を第２ネットワークのセキュリティ情報に直接マッピングすることは、ＫＡＭＦ及び／又はＮＡＳ  ＣＯＵＮＴ（ＮＡＳ  Ｕｐｌｉｎｋ  ＣＯＵＮＴ又はＮＡＳ  Ｄｏｗｎｌｉｎｋ  ＣＯＵＮＴであってもよい）によってＣＫ及びＩＫを導出するか、又は（ＣＫ及びＩＫ）及び／又はＮＡＳ  ＣＯＵＮＴ（ＮＡＳ  Ｕｐｌｉｎｋ  ＣＯＵＮＴ又はＮＡＳ  Ｄｏｗｎｌｉｎｋ  ＣＯＵＮＴであってもよい）によってＫＡＭＦを導出することを含み得る。具体的には、ＫＡＭＦ及び／又はＮＡＳ  ＣＯＵＮＴによって、１２８ビットのＣＫと１２８ビットのＩＫのカスケードに対応する２５６ビットの値を導出し得るか、又は（１２８ビットのＣＫと１２８ビットのＩＫのカスケード）及び／又はＮＡＳ  ＣＯＵＮＴによってＫＡＭＦを導出する。具体的には、第１ネットワークから第２ネットワークへＣＳハンドオーバーする場合、第１ネットワークから第２ネットワークへハンドオーバーする場合又は第１ネットワークが第２ネットワークに端末コンテキストを提供する場合、第１ネットワークのセキュリティ情報が第２ネットワークのセキュリティ情報にマッピングされるときに用いられるＮＡＳ  ＣＯＵＮＴは、ＮＡＳ  Ｄｏｗｎｌｉｎｋ  ＣＯＵＮＴであり得る。
【０１８２】
一実施形態において、第２マッピングルールに従って、前記第１ネットワークのセキュリティ情報を前記第３ネットワークのセキュリティ情報にマッピングし、さらに前記第３ネットワークのセキュリティ情報を前記第２ネットワークのセキュリティ情報にマッピングすることは、ＫＡＭＦ及び／又はＮＡＳ  ＣＯＵＮＴ（ＮＡＳ  Ｕｐｌｉｎｋ  ＣＯＵＮＴ又はＮＡＳ  Ｄｏｗｎｌｉｎｋ  ＣＯＵＮＴであってもよい）によってＫＡＭＳＥを導出する段階と、さらにＫＡＭＳＥ及び／又はＮＡＳ  ＣＯＵＮＴによってＣＫ及びＩＫを導出する段階と、を含み得る。具体的には、第１ネットワークから第２ネットワークへＣＳハンドオーバーする場合、第１ネットワークのセキュリティ情報が第２ネットワークのセキュリティ情報にマッピングされるときに用いられるＮＡＳ  ＣＯＵＮＴは、ＮＡＳ  Ｄｏｗｎｌｉｎｋ  ＣＯＵＮＴであり得る。
【０１８３】
容易に理解できるだろうが、第２マッピングルールに従うことに比べて、第１マッピングルールに従って、前記第１ネットワークのセキュリティ情報を前記第２ネットワークのセキュリティ情報にマッピングするほうが、セキュリティ情報のマッピング運用を低減して、ハンドオーバー効率を向上させ得るし、また、第１マッピングルールに従うことに比べて、第２マッピングルールに従って、前記第１ネットワークのセキュリティ情報を前記第２ネットワークのセキュリティ情報にマッピングするほうが、第１ネットワーク及び第３ネットワークへの影響を低減し得る。
【０１８４】
さらに、前記第１ネットワークから前記第２ネットワークへのＣＳハンドオーバー運用の指示情報は、
前記第１ネットワークから前記第２ネットワークへのハンドオーバーの指示情報、及び
前記第１ネットワークから前記第２ネットワークへのＣＳハンドオーバーの指示情報、のうちの少なくとも１つを含む。
【０１８５】
具体的には、第１ターゲット側が端末と表現される場合、前記第２ネットワークタイプのターゲット無線アクセスネットワークからソース無線アクセスネットワークへの伝送コンテナ情報、例えばターゲットＲＮＣからソースＲＮＣへのトランスペアレントコンテナ情報（ｔａｒｇｅｔ  ＲＮＣ  ｔｏ  ｓｏｕｒｃｅ  ＲＮＣ  ｔｒａｎｓｐａｒｅｎｔ  ｃｏｎｔａｉｎｅｒ）は、前記第１ネットワークから前記第２ネットワークへのＣＳハンドオーバー運用の指示情報として表現され得る。
【０１８６】
また、幾つかの具体的な実施形態において、前記の前記第１ネットワークから第２ネットワークへの関連運用を実行した後、前記方法は、さらに、
前記第２ネットワークから送り返された、前記第１ネットワークから前記第２ネットワークへのＣＳハンドオーバー応答を受信することを有する。
【０１８７】
具体的には、第１ネットワークから前記第２ネットワークへのＣＳハンドオーバー応答は、ターゲットＲＮＣからソースＲＮＣへのトランスペアレントコンテナ情報（ｔａｒｇｅｔ  ＲＮＣ  ｔｏ  ｓｏｕｒｃｅ  ＲＮＣ  ｔｒａｎｓｐａｒｅｎｔ  ｃｏｎｔａｉｎｅｒ）のような、第２ネットワークタイプのターゲット無線アクセスネットワークからソース無線アクセスネットワークへの伝送コンテナ情報の少なくとも１つを含み得る。
【０１８８】
また、幾つかの具体的な実施形態において、前記の前記第１ネットワークから前記第２ネットワークへのＣＳハンドオーバーの関連運用を実行するステップは、
ターゲットＲＮＣからソースＲＮＣへのトランスペアレントコンテナ情報（ｔａｒｇｅｔ  ＲＮＣ  ｔｏ  ｓｏｕｒｃｅ  ＲＮＣ  ｔｒａｎｓｐａｒｅｎｔ  ｃｏｎｔａｉｎｅｒ）のような、第２ネットワークタイプのターゲット無線アクセスネットワークからソース無線アクセスネットワークへの伝送コンテナ情報を端末に送信すること、及び
前記第１ネットワークから前記第２ネットワークへのＣＳハンドオーバーの指示情報のような、前記第１ネットワークから前記第２ネットワークへのハンドオーバーの指示情報を端末に送信すること、のうちの少なくとも１つをさらに含み得る。
【０１８９】
こうして、端末は、上記の情報を受信した後、第１ネットワークから第２ネットワークへのＣＳハンドオーバーの関連運用を実行し得るとき、端末が第１ネットワークから第２ネットワークへのＣＳハンドオーバーを完了した後、第２ネットワークで音声サービスが実行されるか又は継続される。容易に理解できるだろうが、端末は、第１ネットワークで高速のデータ接続を享受した後、音声サービスが必要とするときに、又は第１ネットワークのカバレッジから移出したときに、音声サービスの進行をサポートしたり、音声サービスの継続性を維持させたりすることができる。
【０１９０】
なお、本開示の実施例に紹介された多様な選択的な実施形態は、互いに組み合わせて実現することもでき、又は単独で実現することもでき、本開示の実施例は、これに限定されない。
【０１９１】
本実施例は、図１に対応する実施例との相違は、本実施例の第１ネットワーク、即ち５Ｇネットワークが、第２ネットワーク、即ち３Ｇネットワークと特定のインタフェースを介して直接通信し得る点にあり、第１ネットワークのネットワークユニットが満たす前提条件、及び第１ネットワークから第２ネットワークへの関連運用の実行が同じ部分を有するため、本実施例では、図１の実施例と相違する部分のみを説明し、図１の実施例と同じである２つの部分については、上記の方法の実施例における関連説明を参照すればよく、且つ同様の有益な効果を達成することができる。重複を回避するため、ここでその説明を省略する。
【０１９２】
本実施例のネットワーク間運用の方法によると、端末は、音声サービスをサポートする第１ネットワークから前記第２ネットワークに移行した後に音声サービスを継続させ、音声サービスの継続性を維持すること、及び、端末が音声サービスをサポートしない第１ネットワークから前記第２ネットワークにフォールバックして音声サービスを確立することを実現させ得る。その結果、本開示は、音声サービスをサポートしたり、音声サービスの継続性を維持させたりすることができる。さらに図１の方法の実施例におけるネットワーク間運用の方法とは異なり、本実施例の第１ネットワークは、第２ネットワークと直接通信することができ、これにより、ハンドオーバー効率を向上させ得る。
【０１９３】
図３を参照されたい。図３は、本開示の実施例に係るネットワーク間運用の方法のフローチャートを示す３つ目の図である。本実施例のネットワーク間運用の方法は、アーキテクチャ２に適用し得る。本実施例のネットワーク間運用の方法は、図３に示すように、第３ネットワークのネットワークユニット又は相互運用ネットワーク要素に適用され、以下のステップを有する。
【０１９４】
ステップ３０１：第２ターゲット側から送信された情報を受信する。
【０１９５】
本実施例において、第３ネットワークのネットワークユニットは、アーキテクチャ２における第３ネットワークのネットワークユニットであり得る。相互運用ネットワーク要素は、アーキテクチャ２における相互運用ネットワーク要素であり得る。従って、本実施はアーキテクチャ２に適用可能と理解できるだろう。
【０１９６】
選択的には、第２ターゲット側は、端末、前記第１ネットワークのネットワークユニット（例えばＡＭＦ、ＳＧＳＮ）、前記第２ネットワークのネットワークユニット（例えばＳＧＳＮ、ＡＭＦ）のうちの少なくとも１つを含むが、これに限定されない。
【０１９７】
選択的には、前記情報は、
前記第１ネットワークから前記第２ネットワークへの運用の第２関連情報、
前記第１ネットワークから前記第２ネットワークへのＣＳハンドオーバー運用の第２関連情報、
前記第１ネットワークから前記第２ネットワークへの運用の指示情報、
前記第１ネットワークから前記第２ネットワークへのＣＳハンドオーバー運用の指示情報、
第１ネットワークの情報、
第１ネットワークからマッピングされた第２ネットワークの情報、
第１ネットワークからマッピングされた第３ネットワークの情報、及び
サービングゲートウェイ選択関連情報のうちの少なくとも１つを含むが、これに限定されない。
【０１９８】
具体的には、前記第１ネットワークから第２ネットワークへの第２関連情報は、図１の実施例における前記第１ネットワークから第２ネットワークへの運用の第２関連情報に説明したものと同様であってもよく、ここで説明を省略する。
【０１９９】
一実施形態において、前記第１ネットワークから前記第２ネットワークへの運用は、ＰＳハンドオーバー、ＣＳハンドオーバー、コンテキスト取得、データ転送、ＩＰアドレス保持のうちの少なくとも１つを含む。
【０２００】
具体的には、サービングゲートウェイ選択関連情報は、サービングゲートウェイを選択するかの指示情報、ノードがサービングゲートウェイに接続する必要があるかの情報、のうちの少なくとも１つを含み得る。一実施形態において、サービングゲートウェイ選択必要の指示情報は、Ｓ４インタフェースをサポートするＳＧＳＮのような、サービングゲートウェイに接続すべきノードの種別として表現され得、また、サービングゲートウェイ選択不要の指示情報は、Ｇｎ及び／又はＧｐインタフェースをサポートするＳＧＳＮのような、サービングゲートウェイに接続すべきでないノードの種別として表現され得る。なお、５ＧネットワークにはＳＧＷノードがなく、ＡＭＦはＰＧＷ−Ｃ／ＳＭＦに直接接続するとする。一方、一部のネットワークでは、ＳＧＷノードを介してＰＧＷに接続する必要がある。ネットワーク間の相互作用をサポートするため、端末が５Ｇから３Ｇネットワークに移行する場合、Ｓ４インタフェース型のＳＧＳＮについて、ＳＧＷを介してＰＧＷ−Ｃ／ＳＭＦとＰＧＷ−Ｕ／ＵＰＦとを接続する必要がある。容易に理解できるだろうが、５Ｇネットワーク及び３Ｇネットワークへの影響を減少するため、端末が５Ｇネットワークから３Ｇネットワークに移行するとき、ＳＧＷに接続すべきＳＧＳＮについて、第３ネットワーク又は相互運用ネットワーク要素に、端末のための１つのＳＧＷを選択するように指示し得る。ＳＧＷに接続べきでないＳＧＳＮについて、第３ネットワーク又は相互運用ネットワーク要素に、端末のための１つのＳＧＷを選択するように指示しよい。
【０２０１】
ここで、前記第１ネットワークから前記第２ネットワークへのＣＳハンドオーバー運用の第２関連情報は、図１の方法の実施例における第２関連情報に対応し、具体的には、図１の方法の実施例における関連説明を参照すればよく、ここで説明を省略する。
【０２０２】
さらに、前記第１ネットワークから前記第２ネットワークへのＣＳハンドオーバー運用の指示情報は、
前記第１ネットワークから前記第２ネットワークへのＣＳハンドオーバーの指示情報、及び
第３ネットワークから前記第２ネットワークへのＣＳハンドオーバーを開始する指示情報のうちの少なくとも１つを含み得る。
【０２０３】
幾つかの実施形態において、前記の前記第１ネットワークから前記第２ネットワークへのＣＳハンドオーバー運用の指示情報に従って、第３ネットワークのネットワークユニット又は相互運用ネットワーク要素は、第３ネットワークから前記第２ネットワークへのＣＳハンドオーバーの関連運用を開始する。
【０２０４】
ステップ３０２：前記情報に従って、第１ネットワークから第２ネットワークへの関連運用を実行する。
【０２０５】
選択的には、前記第１ネットワークから前記第２ネットワークへの関連運用は、
前記第１ネットワークの端末に関する情報を前記第２ネットワークの端末に関する情報にマッピングすること、
前記第１ネットワークから前記第３ネットワークに伝送された情報を、前記第３ネットワークから前記第２ネットワークに伝送された情報にマッピングして導出し、前記第２ネットワークに送信すること、
前記第２ネットワークから前記第３ネットワークに送信された情報を、前記第３ネットワークから前記第１ネットワークに送信された情報にマッピングして導出し、前記第１ネットワークに送信することと、
前記第１インタフェースと前記第２インタフェースとの間の情報をマッピングして中継すること、
前記第３ネットワークから前記第２ネットワークＣＳへのハンドオーバー要求を開始すること、
前記相互運用ネットワーク要素から前記第２ネットワークＣＳへのハンドオーバー要求を開始すること、
前記第３ネットワークから前記第２ネットワークＰＳへのハンドオーバー要求を開始すること、
前記相互運用ネットワーク要素から前記第２ネットワークＰＳへのハンドオーバー要求を開始すること、
第１ネットワークから第２ネットワークへの端末コンテキストに関する関連運用を実行すること、
受信した第２ターゲット側からの情報を第２ネットワークに送信し、受信した前記第１ネットワークの端末に関する情報を前記第２ネットワークの端末に関する情報にマッピングすること、
受信した前記第３ネットワークの端末に関する情報を前記第２ネットワークの端末に関する情報にマッピングすること、及び
端末のためにサービングゲートウェイを選択することのうちの少なくとも１つを含む。
【０２０６】
幾つかの実施形態において、受信した第３ネットワークの端末に関する情報は、第１ネットワークの端末に関する情報に従ってマッピングして導出された第３ネットワークの端末に関する情報であり、受信した第２ネットワークの端末に関する情報は、第１ネットワークの端末に関する情報に従ってマッピングして導出された第２ネットワークの端末に関する情報である。
【０２０７】
ここで、前記第１インタフェースは、前記第２ネットワークと第３ネットワークとの間のインタフェースであり、前記第２インタフェースは、前記第１ネットワークと第３ネットワークとの間のインタフェースである。例示的には、第１インタフェースはＳｖインタフェースであってもよく、第２インタフェースはＮ２６インタフェースであってもよい。もちろん、他の実施形態において、第１インタフェースと第２インタフェースは他のタイプのインタフェースとして表現され得、具体的には、実際の状況に応じて決定されてもよく、本開示の実施例はこれに限定されない。
【０２０８】
具体的には、第１インタフェースと第２インタフェースとの間の情報をマッピングして中継することは、具体的には、
第２インタフェースに基づくハンドオーバーの関連情報を第１インタフェースに基づくハンドオーバーの関連情報にマッピングすること、
マッピングされた第１インタフェースに基づくハンドオーバーの関連情報を前記第２ネットワークのネットワークユニットに送信すること、
第１インタフェースに基づくハンドオーバーの関連情報を第２インタフェースに基づくハンドオーバーの関連情報にマッピングすること、及び
マッピングされた第２インタフェースに基づくハンドオーバーの関連情報を前記第１ネットワークのネットワークユニットに送信すること、のうちの少なくとも１つを含み得る。
【０２０９】
即ち、第２インタフェースで伝送された情報を、第１インタフェースで伝送された情報にマッピングして、前記第２ネットワークに送信し、また、第１インタフェースで伝送された情報を、第２インタフェースで伝送された情報にマッピングして、前記第１ネットワークに送信する。
【０２１０】
さらに、前記第１ネットワークの端末に関する情報を前記第２ネットワークの端末に関する情報にマッピングすることは、
前記端末の第１ネットワークのユーザ識別子を第２ネットワークのユーザ識別子にマッピングすること、
前記第１ネットワークサービス端末のネットワーク識別子情報をアンカーポイントネットワーク識別子情報にマッピングすること、及び、
前記第１ネットワークのセキュリティ情報を前記第２ネットワークのセキュリティ情報にマッピングすることのうちの少なくとも１つを含む。
【０２１１】
さらに、第１ネットワークが５Ｇネットワークである場合、第１ネットワークのユーザ識別子は、サブスクリプション永続識別子（Ｓｕｂｓｃｒｉｐｔｉｏｎ  Ｐｅｒｍａｎｅｎｔ  Ｉｄｅｎｔｉｆｉｅｒ、ＳＵＰＩ）、５Ｇ−ＧＵＴＩ、５Ｇ  Ｓ−ＴＭＳＩのうちの少なくとも１つを含み得る。
【０２１２】
さらに、第２ネットワークが３Ｇネットワークである場合、第２ネットワークのユーザ識別子は、国際移動加入者識別子番号（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ、ＩＭＳＩ）、ＴＭＳＩ、Ｐ−ＴＭＳＩ、Ｐ−ＴＭＳＩ  ｓｉｇｎａｔｕｒｅ、ＲＡＣ、ＲＡＩ、ＬＡＣ、ＬＡＩ、ＩＭＥＩのうちの少なくとも１つを含み得る。さらに、第１ネットワークが３Ｇネットワークである場合、第１ネットワークのユーザ識別子は、ＩＭＳＩ、ＴＭＳＩ、Ｐ−ＴＭＳＩ、Ｐ−ＴＭＳＩ  ｓｉｇｎａｔｕｒｅ、ＲＡＣ、ＲＡＩ、ＬＡＣ、ＬＡＩ、ＩＭＥＩのうちの少なくとも１つを含み得る。さらに、第２ネットワークが５Ｇネットワークである場合、第２ネットワークのユーザ識別子は、ＳＵＰＩ、５Ｇ−ＧＵＴＩ、５Ｇ  Ｓ−ＴＭＳＩ、ＰＥＩのうちの少なくとも１つを含み得る。
【０２１３】
さらに、前記端末の第１ネットワークのユーザ識別子を第２ネットワークのユーザ識別子にマッピングすることは、具体的には、前記端末の５Ｇネットワークのユーザ識別子を３Ｇネットワークのユーザ識別子にマッピングすること、前記端末の３Ｇネットワークのユーザ識別子を５Ｇネットワークのユーザ識別子にマッピングすること、前記端末のＳＵＰＩを第２ネットワークのＩＭＳＩにマッピングすること、前記端末のＩＭＳＩをＳＵＰＩにマッピングすること、５Ｇ−ＧＵＴＩをＲＡＩ、Ｐ−ＴＭＳＩ及び／又はＰ−ＴＭＳＩ  Ｓｉｇｎａｔｕｒｅの組み合わせにマッピングすること、ＲＡＩ、Ｐ−ＴＭＳＩ及び／又はＰ−ＴＭＳＩ  Ｓｉｇｎａｔｕｒｅの組み合わせを５Ｇ−ＧＵＴＩにマッピングすること、ＩＭＥＩをＰＥＩにマッピングすること、ＰＥＩをＩＭＥＩにマッピングすることのうちの少なくとも１つとして表現され得る。
【０２１４】
５Ｇ  ＧＵＴＩは、ＵＥ識別子の部分とＡＭＦ識別子の部分を有し得る。ＡＭＦ識別子は、ＡＭＦ領域識別子（ＡＭＦ  ｒｅｇｉｏｎ  ＩＤ）、ＡＭＦセット識別子（ＡＭＦ  ｓｅｔ）及び／又はＡＭＦポインタ（ＡＭＦ  ｐｏｉｎｔ）からなる。ユーザ識別子部分は、５Ｇ−ＴＭＳＩとも呼ばれる。
ＲＡＩは、ＰＬＭＮ、ＬＡＣ（ロケーションエリアコード）及びＲＡＣ（ルーティングエリアコード）で構成されてもよい。Ｐ−ＴＭＳＩには、ＮＲＩドメインが存在し得る。
【０２１５】
一実施形態において、ＲＡＩ、Ｐ−ＴＭＳＩ及び／又はＰ−ＴＭＳＩ  Ｓｉｇｎａｔｕｒｅの組み合わせと５Ｇ−ＧＵＴＩとの間のマッピングルールは、ＡＭＦ識別子とＲＡＩとの間のマッピング、５−ＴＭＳＩとＰ−ＴＭＳＩ及びＰ−ＴＭＳＩ  Ｓｉｇｎａｔｕｒｅとの間のマッピング、ＰＬＭＮとＰＬＭＮとの間のマッピングのうちの少なくとも１つであり得る。
【０２１６】
一実施形態において、５Ｇネットワークのユーザ識別子を３Ｇネットワークのユーザ識別子にマッピングするマッピングルールは、
-  ＜ＡＭＦ領域識別子＞が１６ビットの場合、＜ＡＭＦ領域識別子＞を＜ＬＡＣ＞にマッピングし得ること、
-  ＜ＡＭＦ領域識別子＞が８ビットの場合、＜ＡＭＦ領域識別子＞を＜ＬＡＣ＞のビット１５からビット８にマッピングし得ること、
-  ＜ＡＭＦセット識別子＞が１２ビットの場合、＜ＡＭＦセット識別子＞のビット１１からビット４を＜ＬＡＣ＞のビット７からビット０にマッピングし得、また、＜ＡＭＦセット識別子＞のビット３からビット０を＜ＲＡＣ＞の最上位８ビットのうちの上位４ビット及び／又は＜ＮＲＩ＞の最上位の４ビットにマッピングし得ること、
-  ＜ＡＭＦセット識別子＞が４ビットの場合、＜ＡＭＦセット識別子＞を＜ＲＡＣ＞の最上位８ビットのうちの上位４ビット及び／又は＜ＮＲＩ＞の最上位８ビットのうちの上位４ビットにマッピングし得ること、
-  ＜ＡＭＦポインタ＞を＜ＲＡＣ＞の最上位８ビットのうちの下位４ビットにマッピングし得ること、
-  ＜５Ｇ−ＴＭＳＩ＞のビット２９からビット２４を＜Ｐ−ＴＭＳＩ＞のビット２９からビット２４にマッピングし得ること、
-  ＜５Ｇ−ＴＭＳＩ＞のビット１５からビット０を＜Ｐ−ＴＭＳＩ＞のビット１５からビット０にマッピングし得ること、
-  ＜５Ｇ−ＴＭＳＩ＞の他の８ビットを＜Ｐ−ＴＭＳＩ＞の最高位の８ビットにマッピングし得ること、のうちの少なくとも１つを含む。
【０２１７】
一実施形態において、３Ｇネットワークのユーザ識別子を５Ｇネットワークのユーザ識別子にマッピングするマッピングルールは、
-  ＜ＡＭＦ領域識別子＞が１６ビットの場合、＜ＬＡＣ＞を＜ＡＭＦ領域識別子＞にマッピングし得ること、
-  ＜ＡＭＦ領域識別子＞が８ビットの場合、＜ＬＡＣ＞のビット１５からビット８を＜ＡＭＦ領域識別子＞にマッピングし得ること、
-  ＜ＡＭＦセット識別子＞が１２ビットの場合、＜ＬＡＣ＞のビット７からビット０を＜ＡＭＦセット識別子＞にマッピングし得ること、
-  ＜ＮＲＩ＞の最上位８ビットのうちの上位４ビットを＜ＡＭＦセット識別子＞の最下位４ビットにマッピングし得ること、
-  ＜ＮＲＩ＞の最上位８ビットのうちの下位４ビットを＜ＡＭＦポインタ＞にマッピングし得ること、
-  ＜ＲＡＣ＞を＜５Ｇ−ＴＭＳＩ＞のビット２３からビット１６にマッピングし得ること、
-  ＜Ｐ−ＴＭＳＩ＞のビット２９からビット２４を＜５Ｇ−ＴＭＳＩ＞のビット２９からビット２４にマッピングし得ること、及び
-  ＜Ｐ−ＴＭＳＩ＞のビット１５からビット０を＜５Ｇ−ＴＭＳＩ＞のビット１５からビット０にマッピングし得ること、のうちの少なくとも１つを含む。
【０２１８】
前記端末のＳＵＰＩをＩＭＳＩにマッピングされるプロセスにおいて、第１ネットワークのネットワークユニットは、ＳＵＰＩの具体的な表現形式に応じ、ＳＵＰＩをＩＭＳＩにマッピングするマッピングルールを決定し得る。
【０２１９】
具体的には、ＳＵＰＩのフォーマットがＩＭＳＩである場合、１対１のマッピングというマッピングルールを用いてＳＵＰＩをＩＭＳＩに直接マッピングすることができ、ＳＵＰＩのフォーマットがＮＡＩのような非ＩＭＳＩである場合、第１ネットワークのネットワークユニットは、以下のいずれかを実行することができる、１．ＩＭＳＩを１つ追加的に割り当てて、その追加的に割り当てられたＩＭＳＩによってＳＵＰＩからＩＭＳＩへのマッピングを完了する。なお、その追加的に割り当てられたＩＭＳＩは、第１ネットワークに用いられなく、第１ネットワークが他のネットワーク（例えば、第２ネットワーク及び第３ネットワーク）と相互運用する必要がある場合にのみ開始される。２．第１ネットワークから第２ネットワークへの運用を実行しない。３．ＮＡＩをＩＭＳＩにマッピングし、即ちＮＡＩをＩＭＳＩとして用いる。ＮＡＩがＩＭＳＩより長い場合、ＮＡＩ内のＩＭＳＩ長の下位ビットをＩＭＳＩとして用い、ＮＡＩがＩＭＳＩより短い場合、上位に補充すべきビットをＩＭＳＩに書き込む。
【０２２０】
ネットワーク識別子情報は、公衆陸上移動通信ネットワーク（Ｐｕｂｌｉｃ  Ｌａｎｄ  Ｍｏｂｉｌｅ  Ｎｅｔｗｏｒｋ、ＰＬＭＮ）、ＭＮＣのうちの１つを含み得る。例えば、第１ネットワークの最後のサービス端末のネットワーク表示情報は、第１ネットワークの最後のサービス端末のＰＬＭＮとして表現され得、アンカーポイントネットワーク識別子情報は、ＳｖインタフェースメッセージにおけるアンカーポイントＰＬＭＮとして表現され得るが、これに限定されない。
【０２２１】
前記第１ネットワークのセキュリティ情報は、第１ネットワークの秘密鍵、ＮＡＳカウンタ、第１ネットワークの鍵識別子、暗号化鍵（ｃｏｎｆｉｄｅｎｔｉａｌｉｔｙ  ｋｅｙ、ＣＫ）、完全性鍵（ｉｎｔｅｇｒｉｔｙ  ｋｅｙ、ＩＫ）のうちの少なくとも１つを含み得るが、これらに限定されない。
【０２２２】
-  第１ネットワークが５Ｇネットワークである場合、第１ネットワークの秘密鍵は、ＡＭＦに関連する秘密鍵であるＫＡＭＦとして表現され得、第１ネットワークの鍵識別子は、ＮＧ無線アクセスネットワーク鍵セット識別子（Ｋｅｙ  Ｓｅｔ  Ｉｄｅｎｔｉｆｉｅｒ  ｉｎ  ＮＧ  ＲＡＮ、ｎｇＫＳＩ）として表現され得る。
【０２２３】
第１ネットワークが３Ｇネットワークである場合、第１ネットワークの秘密鍵は、暗号化鍵（ｃｏｎｆｉｄｅｎｔｉａｌｉｔｙ  ｋｅｙ、ＣＫ）、完全性鍵（ｉｎｔｅｇｒｉｔｙ  ｋｅｙ、ＩＫ）として表現され得、第１ネットワークの鍵識別子は、ネットワーク鍵セット識別子（Ｋｅｙ  Ｓｅｔ  Ｉｄｅｎｔｉｆｉｅｒ、ＫＳＩ）として表現され得る。前記第２ネットワークのセキュリティ情報は、第２ネットワークの秘密鍵、ＮＡＳカウンタ、暗号化鍵（ｃｏｎｆｉｄｅｎｔｉａｌｉｔｙ  ｋｅｙ、ＣＫ）、完全性鍵（ｃｏｎｆｉｄｅｎｔｉａｌｉｔｙ  ｋｅｙ  ＣＫ）、第２ネットワークの鍵識別子のうちの少なくとも１つを含み得るが、これらに限定されない。
【０２２４】
-  第２ネットワークが３Ｇネットワークである場合、第２ネットワークの鍵識別子は、ネットワーク鍵セット識別子（Ｋｅｙ  Ｓｅｔ  Ｉｄｅｎｔｉｆｉｅｒ、ＫＳＩ）として表現され得る。ＣＫは、第１ネットワークから第２ネットワークへのＣＳハンドオーバー専用のＣＫであり得、ＩＫは、第１ネットワークから第２ネットワークへのＣＳハンドオーバーのためのＩＫであり得る。
【０２２５】
-  第２ネットワークが５Ｇネットワークである場合、第２ネットワークの秘密鍵は、ＡＭＦに関連する秘密鍵であるＫＡＭＦとして表現され得、第２ネットワークの鍵識別子は、ｎｇＫＳＩとして表現され得る。
【０２２６】
前記第３ネットワークのセキュリティ情報は、第３ネットワークの秘密鍵、ＮＡＳカウンタ、第３ネットワークの鍵識別子、ＮＨ、ＮＣＣのうちの少なくとも１つを含み得るが、これらに限定されない。第３ネットワークの秘密鍵は、ＡＳＭＥに関連する秘密鍵であるＫＡＳＭＥとして表現され得、第３ネットワークの鍵識別子は、進化型汎用地上波無線アクセスネットワークの鍵セット識別子（Ｋｅｙ  Ｓｅｔ  Ｉｄｅｎｔｉｆｉｅｒ  ｉｎ  Ｅ−ＵＴＲＡＮ、ｅＫＳＩ）として表現され得る。
【０２２７】
さらに、鍵識別子は、秘密鍵の識別に用いられる。例えば、ｅＫＳＩはＫＡＳＭＥを識別することに用いられてもよく、ｎｇＫＳＩはＫＡＭＦを識別することに用いられてもよい。
【０２２８】
さらに、ＮＡＳカウンタは、アップリンクＮＡＳカウンタ（ＮＡＳ  Ｕｐｌｉｎｋ  ＣＯＵＮＴ）、ダウンリンクＮＡＳカウンタ（ＮＡＳ  Ｄｏｗｎｌｉｎｋ  ＣＯＵＮＴ）のうちの１つを含み得る。
【０２２９】
選択的には、前記の前記第１ネットワークのセキュリティ情報を前記第２ネットワークのセキュリティ情報にマッピングすることは、
第１マッピングルールに従って、前記第１ネットワークのセキュリティ情報を前記第２ネットワークのセキュリティ情報に直接マッピングすること、及び
第２マッピングルールに従って、前記第１ネットワークのセキュリティ情報を前記第３ネットワークのセキュリティ情報にマッピングし、さらに前記第３ネットワークのセキュリティ情報を前記第２ネットワークのセキュリティ情報にマッピングすること、のうちの少なくとも１つを含み得る。
【０２３０】
一実施形態において、第１マッピングルールと第２マッピングルールに従ってそれぞれ導出された第２ネットワークのセキュリティ情報は、互いに異なる。端末とネットワークは、同じマッピングルールに従って第２ネットワークのセキュリティ情報を導出する必要がある。
【０２３１】
一実施形態において、第１マッピングルールに従って、第１ネットワークのセキュリティ情報を第２ネットワークのセキュリティ情報に直接マッピングすることは、ＫＡＭＦ及び／又はＮＡＳ  ＣＯＵＮＴ（ＮＡＳ  Ｕｐｌｉｎｋ  ＣＯＵＮＴ又はＮＡＳ  Ｄｏｗｎｌｉｎｋ  ＣＯＵＮＴであってもよい）によって、ＣＫ及びＩＫを導出するか、又は（ＣＫ及びＩＫ）及び／又はＮＡＳ  ＣＯＵＮＴ（ＮＡＳ  Ｕｐｌｉｎｋ  ＣＯＵＮＴ又はＮＡＳ  Ｄｏｗｎｌｉｎｋ  ＣＯＵＮＴであってもよい）によってＫＡＭＦを導出することを含み得る。具体的には、ＫＡＭＦ及び／又はＮＡＳ  ＣＯＵＮＴによって、１２８ビットのＣＫと１２８ビットのＩＫのカスケードに対応する２５６ビットの値を導出し得るか、又は（１２８ビットのＣＫと１２８ビットのＩＫのカスケード）及び／又はＮＡＳ  ＣＯＵＮＴによってＫＡＭＦを導出する。具体的には、第１ネットワークから第２ネットワークへＣＳハンドオーバーする場合、第１ネットワークから第２ネットワークへハンドオーバーする場合又は第１ネットワークが第２ネットワークに端末コンテキストを提供する場合、第１ネットワークのセキュリティ情報が第２ネットワークのセキュリティ情報にマッピングされるときに用いられるＮＡＳ  ＣＯＵＮＴは、ＮＡＳ  Ｄｏｗｎｌｉｎｋ  ＣＯＵＮＴであり得る。
【０２３２】
一実施形態において、第２マッピングルールに従って、前記第１ネットワークのセキュリティ情報を前記第３ネットワークのセキュリティ情報にマッピングし、さらに前記第３ネットワークのセキュリティ情報を前記第２ネットワークのセキュリティ情報にマッピングすることは、ＫＡＭＦ及び／又はＮＡＳ  ＣＯＵＮＴ（ＮＡＳ  Ｕｐｌｉｎｋ  ＣＯＵＮＴ又はＮＡＳ  Ｄｏｗｎｌｉｎｋ  ＣＯＵＮＴであってもよい）によってＫＡＭＳＥを導出する段階と、ＫＡＭＳＥ及び／又はＮＡＳ  ＣＯＵＮＴによってＣＫ及びＩＫを導出する段階と、を含み得る。具体的には、第１ネットワークから第２ネットワークへＣＳハンドオーバーする場合、第１ネットワークのセキュリティ情報が第２ネットワークのセキュリティ情報にマッピングされるときに用いられるＮＡＳ  ＣＯＵＮＴは、ＮＡＳ  Ｄｏｗｎｌｉｎｋ  ＣＯＵＮＴであり得る。具体的には、端末が第１ネットワークから第２ネットワークに移動して第２ネットワークへの位置更新要求を開始する場合、第１ネットワークのセキュリティ情報が第２ネットワークのセキュリティ情報にマッピングされるときに用いられるＮＡＳ  ＣＯＵＮＴは、ＮＡＳ  Ｕｐｌｉｎｋ  ＣＯＵＮＴであり得る。
【０２３３】
一実施形態において、ＮＡＳ  Ｃｏｕｎｔは、１ずつインクリメントするなどして、用いられるたびに変更される。容易に理解できるだろうが、第１マッピングルールは、１回の演算によって第２ネットワークのセキュリティ情報を導出し（即ち、第１ネットワークのセキュリティ情報演算から第２ネットワークのセキュリティ情報を直接導出する）、ＮＡＳ  Ｃｏｕｎｔ（例えばＮＡＳ  Ｄｏｗｎｌｉｎｋ  Ｃｏｕｎｔ）が１回用いられ、第２マッピングルールは、２回の演算によって第２ネットワークのセキュリティ情報を導出し（即ち、まず、第１ネットワークのセキュリティ情報に従って第３ネットワークのセキュリティ情報を演算して導出し、さらに、第３ネットワークのセキュリティ情報に従って第２ネットワークのセキュリティ情報を演算して導出する）、ＮＡＳ  Ｃｏｕｎｔ（例えばＮＡＳ  Ｄｏｗｎｌｉｎｋ  Ｃｏｕｎｔ）が２回用いられる。従って、第１マッピングルールに従って導出された第２ネットワークのセキュリティ情報と、第２マッピングルールに従って導出された第２ネットワークのセキュリティ情報とは、異なる。
【０２３４】
容易に理解できるだろうが、第２マッピングルールに従うことに比べて、第１マッピングルールに従って、前記第１ネットワークのセキュリティ情報を前記第２ネットワークのセキュリティ情報にマッピングするほうが、セキュリティ情報のマッピング運用を低減して、ハンドオーバー効率を向上させ得るし、また、第１マッピングルールに従うことに比べて、第２マッピングルールに従って、前記第１ネットワークのセキュリティ情報を前記第２ネットワークのセキュリティ情報に直接マッピングするほうが、第１ネットワーク及び第３ネットワークへの影響を低減し得る。
【０２３５】
幾つかの好ましい実施例において、前記第１ネットワークは５Ｇネットワークであってもよく、前記第２ネットワークは３Ｇネットワークであってもよく、第３ネットワークは４Ｇネットワークであってもよい。
【０２３６】
なお、本開示の実施例に紹介された多様な選択的な実施形態は、互いに組み合わせて実現することもでき、又は単独で実現することもでき、本開示の実施例は、これに限定されない。
【０２３７】
また、本実施例は、図１及び図２の方法の実施例に対応する第３ネットワークのネットワークユニット又は相互運用ネットワーク要素の実施形態とされるため、上述した図１及び図２の方法の実施例における関連説明を参照すればよく、且つ同様の効果を達成することができる。説明の重複を回避するため、ここで説明を省略する。
【０２３８】
本実施例のネットワーク間運用の方法によると、端末が音声サービスをサポートする第１ネットワークから前記第２ネットワークに移行した後に音声サービスを継続させ、音声サービスの継続性を維持すること、及び、端末が音声サービスをサポートしない第１ネットワークから前記第２ネットワークにフォールバックして音声サービスを確立することを実現し得る。その結果、本開示は、音声サービスをサポートしたり、音声サービスの継続性を維持させたりすることができ、さらに第２ネットワークへの影響も回避し得る。
【０２３９】
図４を参照されたい。図４は、本開示の実施例に係るネットワーク間運用の方法のフローチャートを示す４つ目の図である。本実施例のネットワーク間運用の方法は、アーキテクチャ１、アーキテクチャ２及びアーキテクチャ３のうちの何れかのアーキテクチャに適用される。具体的には、実際の必要に応じて決定されてもよく、本開示の実施例はこれに限定されない。本実施例のネットワーク間運用の方法は、図４に示すように、端末に適用され、以下のステップを有する。
【０２４０】
ステップ４０１：第１ネットワークから第２ネットワークへの運用の特性情報を取得する。
【０２４１】
一実施形態において、端末は、第１ネットワークのネットワークユニットから送信された、第１ネットワークから第２ネットワークへのハンドオーバー運用の特性情報を受信することにより、第１ネットワークから第２ネットワークへの運用の特性情報を取得し得る。
【０２４２】
選択的には、前記第１ネットワークから第２ネットワークへの運用の特性情報は、
第１ネットワークから第２ネットワークへのハンドオーバー運用の指示情報、
第１ネットワークから前記第２ネットワークへのＣＳハンドオーバー運用の第２関連情報、
第１ネットワークから前記第２ネットワークへの運用の第２関連情報、及び
端末は第１ネットワークから第２ネットワークに移行すること、のうちの少なくとも１つを含む。
【０２４３】
具体的には、前記第２関連情報は、具体的には、図１の方法の実施例における第２関連情報の説明を参照すればよく、ここで説明を省略する。
【０２４４】
選択的には、前記第１ネットワークから第２ネットワークへのハンドオーバー運用の指示情報は、
前記第１ネットワークから前記第２ネットワークへのハンドオーバーの指示情報、
前記第１ネットワークから前記第２ネットワークへのＣＳハンドオーバーの指示情報、
前記第１ネットワークから前記第２ネットワークへのＰＳハンドオーバーの指示情報、及び
第２ネットワークタイプのターゲット無線アクセスネットワークからソース無線アクセスネットワークへの伝送コンテナ情報、のうちの少なくとも１つを含む。
【０２４５】
さらに、前記第２ネットワークタイプのターゲット無線アクセスネットワークからソース無線アクセスネットワークへの伝送コンテナ情報は、ターゲット無線ネットワークコントローラＲＮＣからソースＲＮＣへのトランスペアレントコンテナ情報、即ちｔａｒｇｅｔ  ＲＮＣ  ｔｏ  ｓｏｕｒｃｅ  ＲＮＣ  ｔｒａｎｓｐａｒｅｎｔ  ｃｏｎｔａｉｎｅｒを含み得る。
【０２４６】
一実施形態において、前記第２ネットワークタイプのターゲット無線アクセスネットワークからソース無線アクセスネットワークへの伝送コンテナ情報は、前記第１ネットワークから前記第２ネットワークへのＣＳハンドオーバー運用の指示情報として表現され得る。端末は、前記第２ネットワークタイプのターゲット無線アクセスネットワークからソース無線アクセスネットワークへの伝送コンテナ情報を読み取ることにより、現在ハンドオーバーのターゲットネットワークが第２ネットワークであることを知り得、さらに、第２ネットワークのＣＳドメインにハンドオーバーして音声サービスを行うことで、ハンドオーバーの正確率を向上させ得る。
【０２４７】
ステップ４０２：前記特性情報に従って、前記第１ネットワークから第２ネットワークへの関連運用を実行する。
【０２４８】
選択的には、前記の第１ネットワークから前記第２ネットワークへの関連運用を実行することは、
前記第１ネットワークの端末に関する情報を前記第２ネットワークの端末に関する情報にマッピングすることを含む。
【０２４９】
一実施形態において、前記第１ネットワークの端末に関する情報を前記第２ネットワークの端末に関する情報にマッピングすることは、
第１情報マッピングルールに従って、前記第１ネットワークの端末に関する情報を第３ネットワークの端末に関する情報をマッピングすること、及び、第２情報マッピングルールに従って、前記第１ネットワークの端末に関する情報がマッピングされた第３ネットワークの端末に関する情報を、第２ネットワークの端末に関する情報にマッピングすること、のうちの１つであり得る。
【０２５０】
幾つかの選択的な実施例において、前記第１ネットワークは５Ｇネットワークであってもよく、前記第２ネットワークは３Ｇネットワークであってもよい。
【０２５１】
他の幾つかの選択的な実施例において、前記第１ネットワークは３Ｇネットワークであってもよく、前記第２ネットワークは５Ｇネットワークであってもよい。
【０２５２】
他の幾つかの選択的な実施例において、前記第３ネットワークは４Ｇネットワークであってもよい。
【０２５３】
さらに、前記の前記第１ネットワークの端末に関する情報を前記第２ネットワークの端末に関する情報にマッピングすることは、
前記端末の第１ネットワークにおけるユーザ識別子を第２ネットワークのユーザ識別子にマッピングすること、
前記第１ネットワークサービス端末のネットワーク識別子情報をアンカーポイントネットワーク識別子情報にマッピングすること、
前記第１ネットワークのセキュリティ情報を前記第２ネットワークのセキュリティ情報にマッピングすること、及び
前記第１ネットワークのセッション情報を前記第２ネットワークのセッション情報にマッピングすること、のうちの少なくとも１つを含む。
【０２５４】
一実施形態において、第１ネットワークのセッション情報には、マッピングされた第３ネットワークのセッション情報が含まれる。第２マッピングルールに従って、第３ネットワークのセッション情報を第２ネットワークのセッション情報にマッピングし得る。
【０２５５】
さらに、第１ネットワークが５Ｇネットワークである場合、第１ネットワークのユーザ識別子は、サブスクリプション永続識別子（Ｓｕｂｓｃｒｉｐｔｉｏｎ  Ｐｅｒｍａｎｅｎｔ  Ｉｄｅｎｔｉｆｉｅｒ、ＳＵＰＩ）、５Ｇ−ＧＵＴＩ、５Ｇ  Ｓ−ＴＭＳＩ、ＰＥＩのうちの少なくとも１つを含み得る。さらに、第２ネットワークが３Ｇネットワークである場合、第２ネットワークのユーザ識別子は、国際移動加入者識別子番号（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ、ＩＭＳＩ）、ＴＭＳＩ、Ｐ−ＴＭＳＩ、Ｐ−ＴＭＳＩ  ｓｉｇｎａｔｕｒｅ、ＲＡＣ、ＲＡＩ、ＬＡＣ、ＬＡＩ、ＩＭＥＩのうちの少なくとも１つを含み得る。
【０２５６】
さらに、第１ネットワークが３Ｇネットワークである場合、第１ネットワークのユーザ識別子は、ＩＭＳＩ、ＴＭＳＩ、Ｐ−ＴＭＳＩ、Ｐ−ＴＭＳＩ  ｓｉｇｎａｔｕｒｅ、ＲＡＣ、ＲＡＩ、ＬＡＣ、ＩＭＥＩのうちの少なくとも１つを含み得る。さらに、第２ネットワークが５Ｇネットワークである場合、第２ネットワークのユーザ識別子は、ＳＵＰＩ、５Ｇ−ＧＵＴＩ、５Ｇ  Ｓ−ＴＭＳＩ、ＰＥＩのうちの少なくとも１つを含み得る。
【０２５７】
さらに、前記端末の第１ネットワークのユーザ識別子を第２ネットワークのユーザ識別子にマッピングすることは、具体的には、前記端末の５Ｇネットワークのユーザ識別子を３Ｇネットワークのユーザ識別子にマッピングすること、前記端末の３Ｇネットワークのユーザ識別子を５Ｇネットワークのユーザ識別子にマッピングすること、前記端末のＳＵＰＩをＩＭＳＩにマッピングすること、前記端末のＩＭＳＩをＳＵＰＩにマッピングすること、５Ｇ−ＧＵＴＩをＲＡＩ、Ｐ−ＴＭＳＩ及び／又はＰ−ＴＭＳＩ  Ｓｉｇｎａｔｕｒｅの組み合わせにマッピングすること、ＲＡＩ、Ｐ−ＴＭＳＩ及び／又はＰ−ＴＭＳＩ  Ｓｉｇｎａｔｕｒｅの組み合わせを５Ｇ−ＧＵＴＩにマッピングすること、ＩＭＥＩをＰＥＩにマッピングすること、ＰＥＩをＩＭＥＩにマッピングすること、のうちの少なくとも１つとして表現され得る。
【０２５８】
５Ｇ  ＧＵＴＩは、ＵＥ識別子の部分とＡＭＦ識別子の部分を有し得る。ＡＭＦ識別子は、ＡＭＦ領域識別子（ＡＭＦ  ｒｅｇｉｏｎ  ＩＤ）、ＡＭＦセット識別子（ＡＭＦ  ｓｅｔ）及び／又はＡＭＦポインタ（ＡＭＦ  ｐｏｉｎｔ）からなる。ユーザ識別子部分は、５Ｇ−ＴＭＳＩとも呼ばれる。
ＲＡＩは、ＰＬＭＮ、ＬＡＣ（ロケーションエリアコード）及びＲＡＣ（ルーティングエリアコード）で構成されてもよい。Ｐ−ＴＭＳＩには、ＮＲＩドメインが存在し得る。
【０２５９】
一実施形態において、ＲＡＩ、Ｐ−ＴＭＳＩ及び／又はＰ−ＴＭＳＩ  Ｓｉｇｎａｔｕｒｅの組み合わせと５Ｇ−ＧＵＴＩとの間のマッピングルールは、ＡＭＦ識別子とＲＡＩとの間のマッピング、５−ＴＭＳＩとＰ−ＴＭＳＩ及びＰ−ＴＭＳＩ  Ｓｉｇｎａｔｕｒｅとの間のマッピング、ＰＬＭＮとＰＬＭＮとの間のマッピングのうちの少なくとも１つであり得る。
【０２６０】
一実施形態において、５Ｇネットワークのユーザ識別子を３Ｇネットワークのユーザ識別子にマッピングするマッピングルールは、
-  ＜ＡＭＦ領域識別子＞が１６ビットの場合、＜ＡＭＦ領域識別子＞を＜ＬＡＣ＞にマッピングし得ること、
-  ＜ＡＭＦ領域識別子＞が８ビットの場合、＜ＡＭＦ領域識別子＞を＜ＬＡＣ＞のビット１５からビット８にマッピングし得ること、
-  ＜ＡＭＦセット識別子＞が１２ビットの場合、＜ＡＭＦセット識別子＞のビット１１からビット４を＜ＬＡＣ＞のビット７からビット０にマッピングし得、また、＜ＡＭＦセット識別子＞のビット３からビット０を＜ＲＡＣ＞の最上位８ビットのうちの上位４ビット及び／又は＜ＮＲＩ＞の最上位の４ビットにマッピングし得ること、
-  ＜ＡＭＦセット識別子＞が４ビットの場合、＜ＡＭＦセット識別子＞を＜ＲＡＣ＞の最上位８ビットのうちの上位４ビット及び／又は＜ＮＲＩ＞の最上位８ビットのうちの上位４ビットにマッピングし得ること、
-  ＜ＡＭＦポインタ＞を＜ＲＡＣ＞の最上位８ビットのうちの下位４ビットにマッピングし得ること、
-  ＜５Ｇ−ＴＭＳＩ＞のビット２９からビット２４を＜Ｐ−ＴＭＳＩ＞のビット２９からビット２４にマッピングし得ること、
-  ＜５Ｇ−ＴＭＳＩ＞のビット１５からビット０を＜Ｐ−ＴＭＳＩ＞のビット１５からビット０にマッピングし得ること、及び
-  ＜５Ｇ−ＴＭＳＩ＞の他の８ビットを＜Ｐ−ＴＭＳＩ＞の最高位の８ビットにマッピングし得ること、のうちの少なくとも１つを含む。
【０２６１】
一実施形態において、３Ｇネットワークのユーザ識別子を５Ｇネットワークのユーザ識別子にマッピングするマッピングルールは、
-  ＜ＡＭＦ領域識別子＞が１６ビットの場合、＜ＬＡＣ＞を＜ＡＭＦ領域識別子＞にマッピングし得ること、
-  ＜ＡＭＦ領域識別子＞が８ビットの場合、＜ＬＡＣ＞のビット１５からビット８を＜ＡＭＦ領域識別子＞にマッピングし得ること、
-  ＜ＡＭＦセット識別子＞が１２ビットの場合、＜ＬＡＣ＞のビット７からビット０を＜ＡＭＦセット識別子＞にマッピングし得ること、
-  ＜ＮＲＩ＞の最上位８ビットのうちの上位４ビットを＜ＡＭＦセット識別子＞の最下位４ビットにマッピングし得ること、
-  ＜ＮＲＩ＞の最上位８ビットのうちの下位４ビットを＜ＡＭＦポインタ＞にマッピングし得ること、
-  ＜ＲＡＣ＞を＜５Ｇ−ＴＭＳＩ＞のビット２３からビット１６にマッピングし得ること、
-  ＜Ｐ−ＴＭＳＩ＞のビット２９からビット２４を＜Ｐ５Ｇ−ＴＭＳＩ＞のビット２９からビット２４にマッピングし得ること、及び
-  ＜Ｐ−ＴＭＳＩ＞のビット１５からビット０を＜５Ｇ−ＴＭＳＩ＞のビット１５からビット０にマッピングし得ることの、うちの少なくとも１つを含む。
【０２６２】
前記端末のＳＵＰＩをＩＭＳＩにマッピングするプロセスにおいて、端末は、ＳＵＰＩの具体的な表現形式に応じ、ＳＵＰＩをＩＭＳＩにマッピングするマッピングルールを決定し得る。
【０２６３】
具体的には、ＳＵＰＩのフォーマットがＩＭＳＩである場合、１対１のマッピングというマッピングルールを用いてＳＵＰＩをＩＭＳＩに直接マッピングし得、また、ＳＵＰＩのフォーマットがＮＡＩのような非ＩＭＳＩである場合、第１ネットワークのネットワークユニットは、以下のいずれかを実行することができる：１．ＩＭＳＩを１つ追加的に割り当て、この追加的に割り当てられたＩＭＳＩによってＳＵＰＩからＩＭＳＩへのマッピングを完了する。容易に理解できるだろうが、この追加的に割り当てられたＩＭＳＩは、第１ネットワークに用いられなく、第１ネットワークが他のネットワーク（例えば、第２ネットワーク及び第３ネットワーク）と相互運用する必要がある場合にのみ開始される。２．第１ネットワークから第２ネットワークへの運用を実行しない。３．ＮＡＩをＩＭＳＩにマッピングし、即ちＮＡＩをＩＭＳＩとして用いる。ＮＡＩがＩＭＳＩより長い場合、ＮＡＩ内のＩＭＳＩ長の下位ビットをＩＭＳＩとして用い、ＮＡＩがＩＭＳＩより短い場合、上位に補充すべきビットをＩＭＳＩに書き込む。
【０２６４】
ネットワーク識別子情報は、公衆陸上移動通信ネットワーク（Ｐｕｂｌｉｃ  Ｌａｎｄ  Ｍｏｂｉｌｅ  Ｎｅｔｗｏｒｋ、ＰＬＭＮ）、ＭＮＣのうちの１つを含み得る。例えば、第１ネットワークの最後のサービス端末のネットワーク表示情報は、第１ネットワークの最後のサービス端末のＰＬＭＮとして表現され得る、アンカーポイントネットワーク識別子情報は、ＳｖインタフェースメッセージにおけるアンカーポイントＰＬＭＮとして表現され得るが、これに限定されない。
【０２６５】
前記第１ネットワークのセキュリティ情報は、第１ネットワークの秘密鍵、ＮＡＳカウンタ、第１ネットワークの鍵識別子、暗号化鍵（ｃｏｎｆｉｄｅｎｔｉａｌｉｔｙ  ｋｅｙ、ＣＫ）、完全性鍵（ｉｎｔｅｇｒｉｔｙ  ｋｅｙ、ＩＫ）のうちの少なくとも１つを含み得るが、これらに限定されない。
【０２６６】
-  第１ネットワークが５Ｇネットワークである場合、第１ネットワークの秘密鍵は、ＡＭＦに関連する秘密鍵であるＫＡＭＦとして表現され得、第１ネットワークの鍵識別子は、ＮＧ無線アクセスネットワーク鍵セット識別子（Ｋｅｙ  Ｓｅｔ  Ｉｄｅｎｔｉｆｉｅｒ  ｉｎ  ＮＧ  ＲＡＮ、ｎｇＫＳＩ）として表現され得る。
【０２６７】
-  第１ネットワークが３Ｇネットワークである場合、第１ネットワークの秘密鍵は、暗号化鍵（ｃｏｎｆｉｄｅｎｔｉａｌｉｔｙ  ｋｅｙ、ＣＫ）、完全性鍵（ｉｎｔｅｇｒｉｔｙ  ｋｅｙ、ＩＫ）として表現され得、第１ネットワークの鍵識別子は、ネットワーク鍵セット識別子（Ｋｅｙ  Ｓｅｔ  Ｉｄｅｎｔｉｆｉｅｒ、ＫＳＩ）として表され得る。
【０２６８】
前記第２ネットワークのセキュリティ情報は、第２ネットワークの秘密鍵、ＮＡＳカウンタ、暗号化鍵（ｃｏｎｆｉｄｅｎｔｉａｌｉｔｙ  ｋｅｙ、ＣＫ）、完全性鍵（ｉｎｔｅｇｒｉｔｙ  ｋｅｙ、ＩＫ）、第２ネットワークの鍵識別子のうちの少なくとも１つを含み得るが、これらに限定されない。
-  第２ネットワークが３Ｇネットワークである場合、第２ネットワークの鍵識別子は、ネットワーク鍵セット識別子（Ｋｅｙ  Ｓｅｔ  Ｉｄｅｎｔｉｆｉｅｒ、ＫＳＩ）として表現され得る。ＣＫは、第１ネットワークから第２ネットワークへのＣＳハンドオーバー専用のＣＫであってもよく、ＩＫは、第１ネットワークから第２ネットワークへのＣＳハンドオーバーのためのＩＫであってもよい。
【０２６９】
-  第２ネットワークが５Ｇネットワークである場合、第２ネットワークの秘密鍵は、ＡＭＦに関連する秘密鍵であるＫＡＭＦとして表現され得、第２ネットワークの鍵識別子は、ｎｇＫＳＩとして表現され得る。
【０２７０】
前記第３ネットワークのセキュリティ情報は、第３ネットワークの秘密鍵、ＮＡＳカウンタ、第３ネットワークの鍵識別子、ＮＨ、ＮＣＣのうちの少なくとも１つを含み得るが、これらに限定されない。第３ネットワークの秘密鍵は、ＡＳＭＥに関連する秘密鍵であるＫＡＳＭＥとして表現され得、第３ネットワークの鍵識別子は、進化型汎用地上波無線アクセスネットワークの鍵セット識別子（Ｋｅｙ  Ｓｅｔ  Ｉｄｅｎｔｉｆｉｅｒ  ｉｎ  Ｅ−ＵＴＲＡＮ、ｅＫＳＩ）として表現され得る。
【０２７１】
さらに、鍵識別子は、秘密鍵の識別に用いられる。例えば、ｅＫＳＩはＫＡＳＭＥを識別することに用いられてもよく、ｎｇＫＳＩはＫＡＭＦを識別することに用いられてもよい。
【０２７２】
さらに、ＮＡＳカウンタは、アップリンクＮＡＳカウンタ（ＮＡＳ  Ｕｐｌｉｎｋ  ＣＯＵＮＴ）、ダウンリンクＮＡＳカウンタ（ＮＡＳ  Ｄｏｗｎｌｉｎｋ  ＣＯＵＮＴ）のうちの１つを含み得る。
【０２７３】
選択的には、前記の前記第１ネットワークのセキュリティ情報を前記第２ネットワークのセキュリティ情報にマッピングすることは、
第１マッピングルールに従って、前記第１ネットワークのセキュリティ情報を前記第２ネットワークのセキュリティ情報に直接マッピングすること、及び
第２マッピングルールに従って、前記第１ネットワークのセキュリティ情報を前記第３ネットワークのセキュリティ情報にマッピングし、さらに前記第３ネットワークのセキュリティ情報を前記第２ネットワークのセキュリティ情報にマッピングすること、のうちの少なくとも１つを含み得る。
【０２７４】
一実施形態において、第１マッピングルールと第２マッピングルールに従ってそれぞれ導出された第２ネットワークのセキュリティ情報は、互いに異なる。端末とネットワークは、同じマッピングルールに従って第２ネットワークのセキュリティ情報を導出する必要がある。
【０２７５】
一実施形態において、第１マッピングルールに従って、第１ネットワークのセキュリティ情報を第２ネットワークのセキュリティ情報に直接マッピングすることは、ＫＡＭＦ及び／又はＮＡＳ  ＣＯＵＮＴ（ＮＡＳ  Ｕｐｌｉｎｋ  ＣＯＵＮＴ又はＮＡＳ  Ｄｏｗｎｌｉｎｋ  ＣＯＵＮＴであってもよい）によって、ＣＫ及びＩＫを導出するか、又は（ＣＫ及びＩＫ）及び／又はＮＡＳ  ＣＯＵＮＴ（ＮＡＳ  Ｕｐｌｉｎｋ  ＣＯＵＮＴ又はＮＡＳ  Ｄｏｗｎｌｉｎｋ  ＣＯＵＮＴであってもよい）によってＫＡＭＦを導出することを含み得る。具体的には、ＫＡＭＦ及び／又はＮＡＳ  ＣＯＵＮＴによって、１２８ビットのＣＫと１２８ビットのＩＫのカスケードに対応する２５６ビットの値を導出し得るか、又は（１２８ビットのＣＫと１２８ビットのＩＫのカスケード）及び／又はＮＡＳ  ＣＯＵＮＴによってＫＡＭＦを導出する。具体的には、第１ネットワークから第２ネットワークへＣＳハンドオーバーする場合、第１ネットワークから第２ネットワークへハンドオーバーする場合又は第１ネットワークが第２ネットワークに端末コンテキストを提供する場合、第１ネットワークのセキュリティ情報が第２ネットワークのセキュリティ情報にマッピングされるときに用いられるＮＡＳ  ＣＯＵＮＴは、ＮＡＳ  Ｄｏｗｎｌｉｎｋ  ＣＯＵＮＴであり得る。具体的には、端末のアイドル状態が第１ネットワークから第２ネットワークに移行する場合、又は第１ネットワークから第２ネットワークへＣＳハンドオーバーし、且つ端末が第２ネットワークＰＳにアクセスする場合、第１ネットワークのセキュリティ情報が第２ネットワークのセキュリティ情報にマッピングされるときに用いられるＮＡＳ  ＣＯＵＮＴは、ＮＡＳ  Ｕｐｌｉｎｋ  ＣＯＵＮＴであり得る。
【０２７６】
一実施形態において、第２マッピングルールに従って、前記第１ネットワークのセキュリティ情報を前記第３ネットワークのセキュリティ情報にマッピングし、さらに前記第３ネットワークのセキュリティ情報を前記第２ネットワークのセキュリティ情報にマッピングすることは、まず、ＫＡＭＦ及び／又はＮＡＳ  ＣＯＵＮＴ（ＮＡＳ  Ｕｐｌｉｎｋ  ＣＯＵＮＴ又はＮＡＳ  Ｄｏｗｎｌｉｎｋ  ＣＯＵＮＴであってもよい）によってＫＡＭＳＥを導出し、さらにＫＡＭＳＥ及び／又はＮＡＳ  ＣＯＵＮＴによってＣＫ及びＩＫを導出する段階、あるいは（ＣＫ及びＩＫ）及び／又はＮＡＳ  ＣＯＵＮＴ（ＮＡＳ  Ｕｐｌｉｎｋ  ＣＯＵＮＴ又はＮＡＳ  Ｄｏｗｎｌｉｎｋ  ＣＯＵＮＴであってもよい）によってＫＡＭＳＥを導出し、さらにＫＡＭＳＥ及び／又はＮＡＳ  ＣＯＵＮＴによってＫＡＭＦを導出する段階、を含み得る。具体的には、第１ネットワークから第２ネットワークへＣＳハンドオーバーする場合、又は第１ネットワークから第２ネットワークへＰＳハンドオーバーする場合、第１ネットワークのセキュリティ情報が第２ネットワークのセキュリティ情報にマッピングされるときに用いられるＮＡＳ  ＣＯＵＮＴは、ＮＡＳ  Ｄｏｗｎｌｉｎｋ  ＣＯＵＮＴであり得る。具体的には、端末のアイドル状態が第１ネットワークから第２ネットワークに移行する場合、又は第１ネットワークから第２ネットワークへＣＳハンドオーバーし、且つ端末が第２ネットワークＰＳにアクセスする場合、第１ネットワークのセキュリティ情報が第２ネットワークのセキュリティ情報にマッピングされるときに用いられるＮＡＳ  ＣＯＵＮＴは、ＮＡＳ  Ｕｐｌｉｎｋ  ＣＯＵＮＴであり得る。
【０２７７】
容易に理解できるだろうが、第２マッピングルールに従うことに比べて、第１マッピングルールに従って、前記第１ネットワークのセキュリティ情報を前記第２ネットワークのセキュリティ情報にマッピングするほうが、セキュリティ情報のマッピング運用を低減し、ハンドオーバー効率を向上させ得るし、また、第１マッピングルールに従うことに比べて、第２マッピングルールに従って、前記第１ネットワークのセキュリティ情報を前記第２ネットワークのセキュリティ情報に直接マッピングするほうが、第１ネットワーク及び第３ネットワークへの影響を低減し得る。
【０２７８】
こうして、第１ネットワークから第２ネットワークへの関連運用を実行することにより、第１ネットワークから第２ネットワークへハンドオーバーして音声サービスをサポートすることができ、ひいては端末音声サービスのサービス品質を向上させ得る。
【０２７９】
選択的には、前記の第１ネットワークから第２ネットワークへのハンドオーバー運用の指示情報を取得する前に、
前記第１ネットワークから前記第２ネットワークへのＣＳハンドオーバー運用の第１関連情報を前記第１ネットワークに送信すること、又は
前記第１ネットワークから前記第２ネットワークへの運用の第１関連情報を前記第１ネットワークに送信することをさらに含む。
【０２８０】
さらに、前記第１関連情報は、具体的には、図１の方法の実施例における第１関連情報の説明を参照すればよく、ここで説明を省略する。
【０２８１】
容易に理解できるだろうが、端末は、前記第１ネットワークから前記第２ネットワークへのＣＳハンドオーバー運用の第１関連情報、又は前記第１ネットワークから前記第２ネットワークへの運用の第１関連情報を前記第１ネットワークに送信し得ることが、第１ネットワークのネットワークユニットが図１の方法の実施例におけるステップ１０２、又は図２の方法の実施例に対応するステップ２０２を実行するようにトリガし得、これにより、端末は、第１ネットワークのネットワークユニットがステップ１０２又はステップ２０２を実行するプロセス中に送信された前記第１ネットワークから前記第２ネットワークへのＣＳハンドオーバー運用の関連情報に従って、ステップ４０２を実行し、第１ネットワークから第２ネットワークへのハンドオーバーを実現し、さらに第２ネットワークで音声サービスを実行し、よって音声サービスをサポートしたり、音声サービスの継続性を維持させたりすることができる。
【０２８２】
幾つかの選択的な実施例において、前記第１ネットワークは５Ｇネットワークであってもよく、前記第２ネットワークは３Ｇネットワークであってもよく、第３ネットワークは４Ｇネットワークであってもよい。他の幾つかの選択的な実施例において、前記第１ネットワークは３Ｇネットワークであってもよく、前記第２ネットワークは５Ｇネットワークであってもよい。
【０２８３】
なお、本開示の実施例に紹介された多様な選択的な実施形態は、互いに組み合わせて実現することもでき、又は単独で実現することもでき、本開示の実施例は、これに限定されない。
【０２８４】
また、本実施例は、上述した図１、図２及び図３の方法の実施例に対応する端末の実施形態とされているため、上述した図１、図２及び図３の方法の実施例における関連説明を参照すればよく、且つ同様の効果を達成することができる。説明の重複を回避するため、ここで説明を省略する。
【０２８５】
本実施例のネットワーク間運用の方法によると、端末が音声サービスをサポートする第１ネットワークから前記第２ネットワークに移行した後に音声サービスを継続させ、音声サービスの継続性を維持すること、及び、端末が音声サービスをサポートしない第１ネットワークから前記第２ネットワークにフォールバックして音声サービスを確立することを実現し得る。その結果、本開示は、音声サービスをサポートしたり、音声サービスの継続性を維持させたりすることができる。
【０２８６】
ネットワーク間運用の方法の実現プロセスを理解しやすくするため、以下、第１ネットワークが５Ｇネットワーク、第２ネットワークが３Ｇネットワーク、第３ネットワークが４Ｇネットワークを例として説明する。
【０２８７】
実施形態一
本実施形態は、５Ｇネットワークから３Ｇネットワークへのハンドオーバーを開始する前のプロセスを具体的には説明するために用いられる。図５を参照されたい。図５に示すように、以下のステップを有する。
【０２８８】
ステップ１：端末は、登録要求メッセージを含むＲＲＣメッセージを５Ｇ無線アクセスネットワークのネットワークユニットに送信する。
【０２８９】
ステップ２：５Ｇ無線アクセスネットワークのネットワークユニットは、登録要求メッセージを含むＮ２インタフェースメッセージを５Ｇコアネットワークのネットワークユニットに送信する。実際の適用において、上記のＮ２インタフェースメッセージは具体的には初期ＵＥ（Ｕｓｅｒ  Ｅｑｕｉｐｍｅｎｔ、ユーザ機器、即ち端末）メッセージとして表現され得る。図５において、５ＧコアネットワークのネットワークユニットはＡＭＦとして表現される。なお、本開示はこれによって５Ｇコアネットワークのネットワークユニットの表現形式を制限するものではなく、他の実施形態において、５Ｇコアネットワークは他の形式として表現されてもよい。
【０２９０】
選択的には、前記登録要求メッセージは、前記第１ネットワークから前記第２ネットワークへのＣＳハンドオーバー運用の第１関連情報、又は、前記第１ネットワークから第２ネットワークへの運用の第１関連情報を含む。前記第１関連情報は、具体的には、図１の方法の実施例における第１関連情報の説明を参照すればよく、前記第１関連情報は、端末を示す第２ネットワーク能力情報を含み得るが、これに限定されない。
【０２９１】
さらに、第２ネットワーク能力情報は、第２ネットワーク無線能力、サポートされる回線交換ドメイン音声コーデックリスト情報、移動局クラスマーク２情報、移動局クラスマーク３情報、移動局ネットワーク能力情報、ユーザ端末ネットワーク能力のうちの１つを含み得る。
【０２９２】
ステップ３：ＡＭＦはＵＤＭに登録し、ＩＭＳセッション転送番号とＭＳＩＳＤＮを取得する。
【０２９３】
ステップ４：ＡＭＦは、５Ｇ無線アクセスネットワークのネットワークユニットに、登録承認メッセージを含むＮ２インタフェースメッセージを送信する。選択的には、上記のＮ２インタフェースメッセージは、具体的には、第２関連情報を示すための初期ＵＥコンテキスト確立要求メッセージ又はダウンリンクＮＡＳ伝送メッセージとして表現され得る。
【０２９４】
ＡＭＦは、前記の取得された第１関連情報に従って、第１ネットワークから前記第２ネットワークへのＣＳハンドオーバー運用の第２関連情報を決定し得る。前記第２関連情報は、具体的には、図１の方法の実施例における第２関連情報の説明を参照すればよく、前記第２関連情報は、５Ｇネットワークから３Ｇネットワークへの運用の指示情報を含み得るが、これに限定されない。
【０２９５】
ステップ５：５Ｇ無線アクセスネットワークは、登録承認メッセージを含むＲＲＣメッセージを端末に送信する。選択的には、前記登録承認メッセージは、第２関連情報を指示する。
【０２９６】
実施形態二
本実施形態は、主に５Ｇネットワークから３Ｇネットワークへのハンドオーバーの具体的なプロセスについて説明する。図６を参照されたい。図６に示すように、以下のステップを有する。
【０２９７】
ステップ１：５Ｇ無線アクセスネットワークのネットワークユニットは、５Ｇネットワークから３ＧネットワークへのＣＳハンドオーバーを開始する。開始する原因は、音声サービスに関するＱｏＳフロー確立要求の受信、音声サービスが存在し且つ５Ｇネットワークから移出するハンドオーバーイベントの発生、のうちの１つであり得るが、これに限定されない。
【０２９８】
ステップ２：５Ｇ無線アクセスネットワークのネットワークユニットは、Ｎ２ハンドオーバー要求メッセージを５Ｇコアネットワークのネットワークユニットのネットワークユニットに送信する。図６において、５ＧコアネットワークのネットワークユニットはＡＭＦとして表現される。容易に理解できるだろうか、本開示はこれによって５Ｇコアネットワークのネットワークユニットの表現形式を制限するものではなく、他の実施形態において、５Ｇコアネットワークは他の形式として表現されてもよい。
【０２９９】
前記ハンドオーバー要求メッセージは、前記第１ネットワークから前記第２ネットワークへのＣＳ運用の第１関連情報、前記第１ネットワークから前記第２ネットワークへの運用の第１関連情報、第１ネットワークから第２ネットワークへのハンドオーバー要求の情報、５Ｇネットワークから３ＧネットワークへのＣＳハンドオーバーを指示する指示情報、ｓｏｕｒｃｅ  ＲＮＣ  ｔｏ  ｔａｒｇｅｔ  ＲＮＣ  ｔｒａｎｓｐａｒｅｎｔ  ｃｏｎｔａｉｎｅｒ、ＣＳＧ  ＩＤ、ＣＳＧ  Ｍｏｄｅ、ＭＳ  Ｃｌａｓｓ  ｍａｒｋ２のうちの少なくとも１つを含む。ここで、前記第１関連情報とハンドオーバー要求情報について、具体的には、図１の実施例における第１関連情報の説明を参照すればよく、ここで説明を省略する。
【０３００】
ＡＭＦは、具体的には、図２の実施例に示すように、５Ｇネットワークの端末に関する情報を３Ｇネットワークの端末に関する情報にマッピングして導出する。例えば、
５Ｇのセキュリティ情報（例えばＫＡＭＦ）は、３Ｇのセキュリティ情報（例えばＣＫ、ＩＫ）にマッピングする。
５Ｇネットワークの最後のサービス端末のＰＬＭＮをアンカーポイントＰＬＭＮにマッピングする。
端末のＳＵＰＩをＩＭＳＩにマッピングする。
【０３０１】
ステップ３：ＡＭＦは、ＳＲＶＣＣのＰＳからＣＳへのハンドオーバー要求を３Ｇネットワークのネットワークユニットに送信する。
【０３０２】
図６において、３ＧネットワークのネットワークユニットはＭＳＣ  Ｓｅｒｖｅｒとして表現され、容易に理解できるだろうが、本開示はこれによって３Ｇネットワークのネットワークユニットの表現形式を制限するものではなく、他の実施形態において３Ｇネットワークのネットワークユニットは他の形式として表現され得る。
【０３０３】
選択的には、前記ハンドオーバー要求は、第１ネットワークから前記第２ネットワークへのＣＳハンドオーバー運用の第２関連情報、Ｓｏｕｒｃｅ  ＲＮＣ  ｔｏ  ｔａｒｇｅｔ  ＲＮＣ  ｔｒａｎｓｐａｒｅｎｔ  ｃｏｎｔａｉｎｅｒ、ＣＳＧ  ＩＤ、ＣＳＧ  Ｍｏｄｅ、ＭＳ  Ｃｌａｓｓ  ｍａｒｋ２、ＣＫ、ＩＫ、ＩＭＳセッション転送番号（例えばＳＴＮ−ＳＲ／Ｅ−ＳＴＮ−ＳＲ）ＳＴＮ−ＳＲ／Ｅ−ＳＴＮ−ＳＲ、緊急サービス指示情報、優先度情報のうちの少なくとも１つを含む。
ここで、前記第２関連情報は、具体的には、図１の方法の実施例における第２関連情報の説明を参照すればよく、ここで説明を省略する。
【０３０４】
ここで、前記第２関連情報は、具体的には、図１の方法の実施例における第２関連情報の説明を参照すればよい。
【０３０５】
ステップ４：ＭＳＣ  Ｓｅｒｖｅｒは、ターゲットＭＳＣにハンドオーバー準備要求を送信する。
【０３０６】
ステップ５：ターゲットＭＳＣは３Ｇ無線アクセスネットワークユニットにハンドオーバー要求を送信する。
【０３０７】
ステップ６：３Ｇ無線アクセスネットワークユニットはＭＳＣ  Ｓｅｒｖｅｒにハンドオーバー要求確認メッセージを送信する。前記メッセージは、ｔａｒｇｅｔ  ＲＮＣ  ｔｏ  Ｓｏｕｒｃｅ  ＲＮＣ  ｔｏｔｒａｎｓｐａｒｅｎｔ  ｃｏｎｔａｉｎｅｒを含む。
【０３０８】
ステップ７：ターゲットＭＳＣはＭＳＣ  Ｓｅｒｖｅｒにハンドオーバー応答準備メッセージを送信する。前記メッセージは、ｔａｒｇｅｔ  ＲＮＣ  ｔｏ  Ｓｏｕｒｃｅ  ＲＮＣ  ｔｏｔｒａｎｓｐａｒｅｎｔ  ｃｏｎｔａｉｎｅｒを含む。
【０３０９】
ステップ８：ＭＳＣ  ＳｅｒｖｅｒはＩＭＳにＩＭＳセッション転送番号を送信し、ＩＭＳセッションを３ＧネットワークＣＳへ移行するように要求する。
【０３１０】
ステップ９：ＭＳＣ  Ｓｅｒｖｅｒは、ＡＭＦにＰＳからＣＳへのハンドオーバー応答メッセージを送信する。前記メッセージは、ターゲットＲＮＣ  ｔｏ  Ｓｏｕｒｃｅ  ＲＮＣ  ｔｏｔｒａｎｓｐａｒｅｎｔ  ｃｏｎｔａｉｎｅｒを含む。
【０３１１】
ステップ１０：ＡＭＦは、５Ｇ無線アクセスネットワークのネットワークユニットにハンドオーバーコマンドメッセージを送信する。前記メッセージは、第１ネットワークから前記第２ネットワークへのＣＳハンドオーバー運用の第２関連情報、第１ネットワークから第２ネットワークへのＣＳハンドオーバーの指示情報、ｔａｒｇｅｔ  ＲＮＣ  ｔｏ  Ｓｏｕｒｃｅ  ＲＮＣ  ｔｏｔｒａｎｓｐａｒｅｎｔ  ｃｏｎｔａｉｎｅｒのうちの少なくとも１つを含み得、前記第２関連情報は、具体的には、図１の方法の実施例における第２関連情報の説明を参照すればよい。
【０３１２】
ステップ１１：５Ｇ無線アクセスネットワークのネットワークユニットは、端末にＲＲＣメッセージを送信する。ＲＲＣメッセージは、第１ネットワークから前記第２ネットワークへのＣＳハンドオーバー運用の第２関連情報、第１ネットワークから第２ネットワークへのＣＳハンドオーバーの指示情報、ｔａｒｇｅｔ  ＲＮＣ  ｔｏ  Ｓｏｕｒｃｅ  ＲＮＣ  ｔｏｔｒａｎｓｐａｒｅｎｔ  ｃｏｎｔａｉｎｅｒのうちの少なくとも１つを含み得る。ここで、前記第２関連情報及び指示情報は、具体的には、図１の方法の実施例における第２関連情報の説明を参照すればよく、ここで説明を省略する。
【０３１３】
端末は、前記指示情報に従って、前記第１ネットワークから第２ネットワークへの関連運用を実行する。具体的には、図４の実施例で説明したように、例えば、
５Ｇのセキュリティ情報（例えばＫＡＭＦ）を、３Ｇのセキュリティ情報（例えばＣＫ、ＩＫ）にマッピングする。
５Ｇネットワークの最後のサービス端末のＰＬＭＮをアンカーポイントＰＬＭＮにマッピングする。
端末のＳＵＰＩをＩＭＳＩにマッピングする。
【０３１４】
ステップ１２：端末は３Ｇ無線アクセスネットワークに接続する。
【０３１５】
ステップ１３：３Ｇ無線アクセスネットワークは、ターゲットＭＳＣにハンドオーバー完了メッセージを送信する。
【０３１６】
ステップ１４：ターゲットＭＳＣは、ＭＳＣ  Ｓｅｒｖｅｒにハンドオーバー完了メッセージを送信する。
【０３１７】
ステップ１５：ＭＳＣ  Ｓｅｒｖｅｒは、ＡＭＦにＰＳからＣＳへのハンドオーバー完了メッセージを送信する。
【０３１８】
実施形態三
本実施形態は、主に４Ｇネットワークを介した、５Ｇネットワークから３Ｇネットワークへのハンドオーバーの具体的なプロセスについて説明する。図７を参照されたい。図７に示すように、以下のステップを含む。
【０３１９】
ステップ１：５Ｇ無線アクセスネットワークのネットワークユニットは、５Ｇネットワークから３ＧネットワークへのＣＳハンドオーバーを開始する。開始する原因は、音声サービスに関するＱｏＳフロー確立要求の受信、音声サービスが存在し且つ５Ｇネットワークから移出するハンドオーバーイベントの発生のうちの１つであり得るが、これに限定されない。
【０３２０】
ステップ２：５Ｇ無線アクセスネットワークのネットワークユニットは、Ｎ２ハンドオーバー要求メッセージを５Ｇコアネットワークのネットワークユニットに送信する。図７において、５ＧコアネットワークのネットワークユニットはＡＭＦとして表現される。容易に理解できるだろうが、本開示はこれによって５Ｇコアネットワークのネットワークユニットの表現形式を制限するものではなく、他の実施形態において、５Ｇコアネットワークは他の形式として表現され得る。
【０３２１】
前記ハンドオーバー要求メッセージは、前記第１ネットワークから前記第２ネットワークへのＣＳ運用の第１関連情報、第１ネットワークから第２ネットワークへのハンドオーバー要求の情報、５Ｇネットワークから３ＧネットワークへのＣＳハンドオーバーを指示する指示情報、ｓｏｕｒｃｅ  ＲＮＣ  ｔｏ  ｔａｒｇｅｔ  ＲＮＣ  ｔｒａｎｓｐａｒｅｎｔ  ｃｏｎｔａｉｎｅｒ、ＣＳＧ  ＩＤ、ＣＳＧ  Ｍｏｄｅ、ＭＳ  Ｃｌａｓｓ  ｍａｒｋ２のうちの少なくとも１つを含む。ここで、前記第１関連情報とハンドオーバー要求の情報について、具体的には、図１の実施例における第１関連情報の説明を参照すればよく、ここで説明を省略する。
【０３２２】
ＡＭＦは、具体的には、図２の実施例に記載したように、５Ｇネットワークの端末に関する情報を３Ｇネットワークの端末に関する情報にマッピングして導出するか、又は５Ｇネットワークの端末に関する情報を４Ｇネットワークユニットに直接送信する。
【０３２３】
５Ｇネットワークの端末に関する情報を３Ｇネットワークの端末に関する情報にマッピングして導出することは、５Ｇネットワークの最後のサービス端末のＰＬＭＮをアンカーポイントＰＬＭＮにマッピングすること、端末のＳＵＰＩをＩＭＳＩにマッピングすることのうちの少なくとも１つを含み得る。
【０３２４】
セキュリティ情報のマッピングルール１に従って、５Ｇのセキュリティ情報（例えば、ＫＡＭＦ）を３Ｇのセキュリティ情報（例えば、ＣＫ、ＩＫ）にマッピングし、又は、セキュリティ情報のマッピングルール２に従って、５Ｇのセキュリティ情報（例えば、ＫＡＭＦ）を４Ｇのセキュリティ情報（例えば、ＫＡＳＭＥ）にマッピングする。
【０３２５】
ステップ３：ＡＭＦは、４Ｇネットワークのネットワークユニットに転送リダイレクト要求を送信する。
【０３２６】
図７において、４ＧネットワークのネットワークユニットはＭＭＥとして表現される。容易に理解できるだろうが、本開示はこれによって４Ｇネットワークのネットワークユニットの表現形式を制限するものではなく、他の実施形態において４Ｇネットワークのネットワークユニットは他の形式として表現され得る。
【０３２７】
選択的には、前記ハンドオーバー要求は、第１ネットワークから前記第２ネットワークへのＣＳハンドオーバー運用の第２関連情報、Ｓｏｕｒｃｅ  ＲＮＣ  ｔｏ  ｔａｒｇｅｔ  ＲＮＣ  ｔｒａｎｓｐａｒｅｎｔ  ｃｏｎｔａｉｎｅｒ、ＣＳＧ  ＩＤ、ＣＳＧ  Ｍｏｄｅ、ＭＳ  Ｃｌａｓｓ  ｍａｒｋ２、ＣＫ、ＩＫ、ＩＭＳセッション転送番号、緊急サービス指示、優先度、第１ネットワークから第２ネットワークへのＣＳハンドオーバーの指示情報を含む。ここで、前記第２関連情報は、具体的には、図１の方法の実施例における第２関連情報の説明を参照すればよく、ここで説明を省略する。
【０３２８】
ＭＭＥ又は相互運用ネットワーク要素は、第１ネットワークから前記第２ネットワークへのＣＳハンドオーバー運用の第２関連情報又は第１ネットワークから第２ネットワークへのＣＳハンドオーバーの指示情報に従って、受信された転送リダイレクション要求が、第１ネットワークから第２ネットワークへのＣＳハンドオーバーの関連運用を開始することを要求すると決定する。
【０３２９】
ＭＭＥ又は相互運用ネットワーク要素は、具体的には、図３の実施例で説明したように、受信した情報を３Ｇネットワークの情報としてマッピングして導出する。
【０３３０】
受信された情報を３Ｇネットワークの情報としてマッピングして導出することは、５Ｇネットワークの最後のサービス端末のＰＬＭＮをアンカーポイントＰＬＭＮにマッピングすること、端末のＳＵＰＩをＩＭＳＩにマッピングすることのうちの少なくとも１つを含み得る。
【０３３１】
セキュリティ情報のマッピングルール１に従って、５Ｇのセキュリティ情報（例えば、ＫＡＭＦ）を３Ｇのセキュリティ情報（例えば、ＣＫ、ＩＫ）にマッピングし、又は、セキュリティ情報のマッピングルール２に従って、４Ｇのセキュリティ情報（例えば、ＫＡＭＦ）を３Ｇのセキュリティ情報（例えば、ＣＫ、ＩＫ等）にマッピングする。
【０３３２】
ステップ４：ＭＭＥ又は相互運用ネットワーク要素は、ＳＲＶＣＣのＰＳからＣＳへのハンドオーバー要求をＭＳＣ  Ｓｅｒｖｅｒに送信する。
【０３３３】
選択的には、ＳＲＶＣＣのＰＳからＣＳへの前記ハンドオーバー要求は、第１ネットワークから前記第２ネットワークへのＣＳハンドオーバー運用の第２関連情報、Ｓｏｕｒｃｅ  ＲＮＣ  ｔｏ  ｔａｒｇｅｔ  ＲＮＣ  ｔｒａｎｓｐａｒｅｎｔ  ｃｏｎｔａｉｎｅｒ、ＣＳＧ  ＩＤ、ＣＳＧ  Ｍｏｄｅ、ＭＳ  Ｃｌａｓｓ  ｍａｒｋ２、ＣＫ、ＩＫ、ＩＭＳセッション転送番号、緊急サービス指示、優先度、第１ネットワークから第２ネットワークへのＣＳハンドオーバーの指示情報を含む。ここで、前記第２関連情報は、具体的には、図１の方法の実施例における第２関連情報の説明を参照すればよく、ここで説明を省略する。
【０３３４】
ステップ５：ＭＳＣ  Ｓｅｒｖｅｒは、ターゲットＭＳＣにハンドオーバー準備要求を送信する。
【０３３５】
ステップ６：ターゲットＭＳＣは３Ｇ無線アクセスネットワークユニットにハンドオーバー要求を送信する。
【０３３６】
ステップ７：３Ｇ無線アクセスネットワークユニットはＭＳＣにハンドオーバー要求確認メッセージを送信する。
【０３３７】
前記メッセージは、ターゲットＲＮＣ  ｔｏ  Ｓｏｕｒｃｅ  ＲＮＣ  ｔｏｔｒａｎｓｐａｒｅｎｔ  ｃｏｎｔａｉｎｅｒを含む。
【０３３８】
ステップ８：ターゲットＭＳＣはＭＳＣ  Ｓｅｒｖｅｒにハンドオーバー応答準備メッセージを送信する。前記メッセージは、ターゲットＲＮＣ  ｔｏ  Ｓｏｕｒｃｅ  ＲＮＣ  ｔｏｔｒａｎｓｐａｒｅｎｔ  ｃｏｎｔａｉｎｅｒを含む。
【０３３９】
ステップ９：ＭＳＣ  ＳｅｒｖｅｒはＩＭＳにＩＭＳセッション転送番号を送信し、ＩＭＳセッションを３ＧネットワークＣＳへ移行させるように要求する。
【０３４０】
ステップ１０：ＭＳＣ  Ｓｅｒｖｅｒは、ＭＭＥ又は相互運用ネットワーク要素にＰＳからＣＳへのハンドオーバー応答メッセージを送信する。前記メッセージは、ターゲットＲＮＣ  ｔｏ  Ｓｏｕｒｃｅ  ＲＮＣ  ｔｏｔｒａｎｓｐａｒｅｎｔ  ｃｏｎｔａｉｎｅｒを含む。
【０３４１】
ステップ１１：ＭＭＥ又は相互運用ネットワーク要素は、受信したＰＳからＣＳへのハンドオーバー応答メッセージの情報を転送リダイレクト応答メッセージとしてマッピングしてＡＭＦに送信する。
【０３４２】
ステップ１２〜ステップ１６は、図６のステップ１０〜ステップ１４と一致しており、ここで説明を省略する。
【０３４３】
ステップ１７：ＭＳＣ  Ｓｅｒｖｅｒは、ＭＭＥ又は相互運用ネットワーク要素にＰＳからＣＳへのハンドオーバー完了メッセージを送信する。
【０３４４】
ステップ１８：ＭＭＥ又は相互運用ネットワーク要素は、受信したＰＳからＣＳへのハンドオーバー完了メッセージの情報を転送リダイレクト完了メッセージとしてマッピングしてＡＭＦに送信する。
【０３４５】
実施形態四
本実施形態は、主に端末が３Ｇネットワークへのアクセスの具体的なプロセスについて説明する。具体的には、図６〜図７における説明を参照すれば分かるように、以下のステップを含む。
【０３４６】
ステップ１：図６のステップ１１又は図７のステップ１３に示すように、端末は、５Ｇ無線アクセスネットワークのネットワークユニットからハンドオーバーコマンドを受信する。
【０３４７】
選択的には、前記ハンドオーバーコマンドは、第２関連情報、第１ネットワークから第２ネットワークへのＣＳハンドオーバーの指示情報、ｔａｒｇｅｔ  ＲＮＣ  ｔｏ  Ｓｏｕｒｃｅ  ＲＮＣ  ｔｏｔｒａｎｓｐａｒｅｎｔ  ｃｏｎｔａｉｎｅｒのうちのいずれか１つを指示する。
【０３４８】
端末は、ハンドオーバーコマンドによって指示された情報に従って、具体的には、図４の実施例で説明したように、前記第１ネットワークから第２ネットワークへの関連運用を実行する。例えば、
５Ｇのセキュリティ情報（例えばＫＡＭＦ）は、３Ｇのセキュリティ情報（例えばＣＫ、ＩＫ）にマッピングする。
５Ｇネットワークの最後のサービス端末のＰＬＭＮをアンカーポイントＰＬＭＮにマッピングする。
端末のＳＵＰＩをＩＭＳＩにマッピングする。
【０３４９】
ステップ２：端末は３Ｇネットワークにアクセスする。
【０３５０】
容易に理解できるだろうが、システムは、実施形態一、実施形態二及び実施形態四を組み合わせることができ、又は、実施形態一、実施形態三及び実施形態四を組み合わせることができ、端末が５Ｇネットワークから３Ｇネットワークへのハンドオーバープロセスの全体を完了し、これにより端末が３Ｇネットワークで音声サービスをサポートし、又は音声サービスの継続性を維持し得るようになる。さらに、実施形態一、実施形態二及び実施形態四を組み合わせることは、３Ｇネットワークに対する影響を回避することができる。
【０３５１】
図８を参照されたい。図８は、本開示の実施例に係る第１ネットワークの構造図を示す１つ目の図であり、図８に示すように、第１ネットワーク８００は、
前提条件を満たしているか否かを決定するための第１決定モジュール８０１と、
前記前提条件を満たしている場合、第３ネットワーク又は相互運用ネットワーク要素を介して、前記第１ネットワークから第２ネットワークへの関連運用を実行するための第１実行モジュール８０２とを備える。
【０３５２】
図８に基づいて、以下、第１ネットワーク８００がさらに備えるモジュール、各モジュールが備えるユニット、又は／及び各ユニットが備えるサブユニットについて説明する。
【０３５３】
選択的には、第１実行モジュール８０２は、具体的には、前記前提条件を満たしている場合、第３ネットワーク又は相互運用ネットワーク要素を介して、
前記第１ネットワークから前記第２ネットワークへのハンドオーバーの関連運用を実行すること、
前記第１ネットワークから前記第２ネットワークへのＣＳハンドオーバーの関連運用を実行すること、
前記第１ネットワークから前記第２ネットワークへのＰＳハンドオーバーの関連運用を実行すること、
前記第１ネットワークと前記第２ネットワークとの間の端末コンテキストを取得する関連運用を実行すること、
前記第１ネットワークから前記第２ネットワークへのデータ転送の関連運用を実行すること、
前記第１ネットワークから前記第２ネットワークへのＩＰアドレス保持の関連運用を実行すること、
前記第１ネットワークの端末に関する情報を前記第２ネットワークの端末に関する情報にマッピングすること、
前記第１ネットワークから第２ネットワークへの運用の第２関連情報を第１ターゲット側に送信すること、及び
前記第１ネットワークから前記第２ネットワークへの運用の指示情報を第１ターゲット側に送信すること、のうちの少なくとも１つの運用を実行する。
【０３５４】
選択的には、前記の前提条件を満たしていることは、
前記第１ネットワークから前記第２ネットワークへの運用の第１関連情報を取得すること、
前記第１ネットワークから前記第２ネットワークへのＰＳ運用の第１関連情報を取得すること、
前記第１ネットワークから前記第２ネットワークへのＣＳ運用の第１関連情報を取得すること、
前記第１ネットワークから前記第２ネットワークへのハンドオーバー要求の情報を受信すること、
前記第１ネットワークと前記第２ネットワークとの間に直接のインタフェースが存在しなく、且つ第３ネットワーク又は相互運用ネットワーク要素を介して相互作用すること、及び
端末が第２ネットワークにアクセスすること、のうちの少なくとも１つを含む。
【０３５５】
選択的には、前記第１関連情報は、
第２ネットワーク能力情報、ＩＭＳセッション転送番号、移動局国際加入者識別子番号、緊急サービスであるかの指示情報、優先度情報のうちの少なくとも１つを含み、
及び／又は、
前記第１ネットワークから前記第２ネットワークへのハンドオーバー要求の情報は、
前記第１ネットワークから前記第２ネットワークへのＣＳハンドオーバーの指示情報、及び
前記第２ネットワークがターゲットネットワークとして示され、第２ネットワークタイプのソース無線アクセスネットワークからターゲット無線アクセスネットワークへの伝送コンテナ情報のうちの少なくとも１つを含む。
【０３５６】
選択的には、前記第１実行モジュール８０２は、具体的には、
前記第１ネットワークの端末に関する情報を前記第２ネットワークの端末に関する情報にマッピングすること、
前記第１ネットワークの端末に関する情報を前記第３ネットワークの端末に関する情報にマッピングすること、
前記第１ネットワークから前記第２ネットワークへのＣＳハンドオーバー運用の第２関連情報を前記第１ターゲット側又は前記第３ネットワークのネットワークユニットに送信すること、
前記第１ネットワークから前記第２ネットワークへのＣＳハンドオーバー運用の指示情報を前記第１ターゲット側又は前記第３ネットワークのネットワークユニットに送信すること、
前記第１ネットワークから前記第３ネットワークへの、第１ネットワークから前記第２ネットワークへのＣＳハンドオーバー運用の指示情報及び／又は前記第２関連情報を含むハンドオーバー要求を前記第１ターゲット側又は前記第３ネットワークのネットワークユニットに送信することのうちの少なくとも１つに用いられる。
【０３５７】
選択的には、前記第２関連情報は、
第２ネットワークのターゲット無線アクセスネットワークノードの識別子情報、前記第２ネットワークのセキュリティ情報、アンカーポイントネットワーク識別子情報、サポートされる回線交換ドメイン音声コーデックリスト情報、移動局クラスマーク２情報、移動局クラスマーク３情報、第２ネットワークタイプのソース無線アクセスネットワークからターゲット無線アクセスネットワークへのトランスペアレントコンテナ情報、ＩＭＳセッション転送番号、移動局国際加入者識別子番号、移動局ネットワーク能力情報、ユーザ端末ネットワーク能力（ＵＥ  ｎｅｔｗｏｒｋ  ｃａｐａｂｉｌｉｔｙ）、緊急サービスであるかの指示情報、優先度情報、第１ネットワークの端末に関する情報、第２ネットワークの端末に関する情報、第３ネットワークの端末に関する情報、及びサービングゲートウェイ選択関連情報のうちの少なくとも１つを含む。
【０３５８】
選択的には、前記第１ネットワークから前記第２ネットワークへのＣＳハンドオーバー運用の指示情報は、
前記第１ネットワークから前記第２ネットワークへのＣＳハンドオーバーの指示情報、
前記第３ネットワークから前記第２ネットワークへのＣＳハンドオーバーを開始する指示情報、及び
前記相互運用ネットワーク要素から前記第２ネットワークへのＣＳハンドオーバーを開始する指示情報のうちの少なくとも１つを含む。
【０３５９】
選択的には、前記第１ネットワーク８００は、
前記第２ネットワークから送り返された前記第１ネットワークから前記第２ネットワークへのＣＳハンドオーバー応答を受信するための第１受信モジュールをさらに備える。
【０３６０】
選択的には、前記第１ネットワークは５Ｇネットワークであり、前記第２ネットワークは３Ｇネットワークであり、前記第３ネットワークは４Ｇネットワークである。
【０３６１】
第１ネットワーク８００は、本開示の図１の方法の実施例における第１ネットワークのネットワークユニットによって実行された各プロセスを実現し得、且つ同様の有益な効果を実現し得る。重複を回避するため、ここで説明を省略する。
【０３６２】
図９を参照されたい。図９は、本開示の実施例に係る第１ネットワークの構造図を示す２つ目の図である。図９に示すように、第１ネットワーク９００は、
前提条件を満たしているか否かを決定するための第２決定モジュール９０１と、
前記前提条件を満たしている場合、前記第１ネットワークから第２ネットワークへの関連運用を実行するための第２実行モジュール９０２とを備え、
前記第１ネットワークは５Ｇネットワークであり、前記第２ネットワークは３Ｇネットワークであり、又は、
前記第１ネットワークは３Ｇネットワークであり、前記第２ネットワークは５Ｇネットワークである。
【０３６３】
選択的には、前記第２実行モジュール９０２は、具体的には、前記前提条件を満たしている場合、
前記第１ネットワークから前記第２ネットワークへのハンドオーバーの関連運用を実行すること、
前記第１ネットワークから前記第２ネットワークへのＣＳハンドオーバーの関連運用を実行すること、
前記第１ネットワークから前記第２ネットワークへのＰＳハンドオーバーの関連運用を実行すること、
前記第１ネットワークと前記第２ネットワークとの間の端末コンテキストを取得する関連運用を実行すること、
前記第１ネットワークから前記第２ネットワークへのデータ転送の関連運用を実行すること、
前記第１ネットワークから前記第２ネットワークへのＩＰアドレス保持の関連運用を実行すること、
前記第１ネットワークの端末に関する情報を前記第２ネットワークの端末に関する情報にマッピングすること、
前記第１ネットワークから第２ネットワークへの運用の第２関連情報を第１ターゲット側に送信すること、及び
前記第１ネットワークから前記第２ネットワークへの運用の指示情報を第１ターゲット側に送信することのうちの少なくとも１つを実行する。
【０３６４】
選択的には、前記の前提条件を満たしていることは、
前記第１ネットワークから前記第２ネットワークへの運用の第１関連情報を取得すること、
前記第１ネットワークから前記第２ネットワークへのＰＳ運用の第１関連情報を取得すること、
前記第１ネットワークから前記第２ネットワークへのＣＳ運用の第１関連情報を取得すること、
前記第１ネットワークから前記第２ネットワークへのハンドオーバー要求の情報を受信すること、
前記第１ネットワークと前記第２ネットワークとの間に直接のインタフェースが存在しないことを決定し、且つ第３ネットワーク又は相互運用ネットワーク要素を介して相互作用すること、
前記第１ネットワークと前記第２ネットワークとの間に直接のインタフェースが存在することを決定すること、及び
端末が第２ネットワークにアクセスすること、のうちの少なくとも１つを含む。
【０３６５】
選択的には、前記第１関連情報は、
第２ネットワーク能力情報、ＩＭＳセッション転送番号、移動局国際加入者識別子番号、緊急サービスであるかの指示情報、優先度情報のうちの少なくとも１つを含み、
及び／又は、
前記第１ネットワークから前記第２ネットワークへのハンドオーバー要求の情報は、
前記第１ネットワークから前記第２ネットワークへのＣＳハンドオーバーの指示情報、
ターゲットネットワークが前記第２ネットワークとして示され、第２ネットワークタイプのソース無線アクセスネットワークからターゲット無線アクセスネットワークへの伝送コンテナ情報のうちの少なくとも１つを含む。
【０３６６】
選択的には、前記第２実行モジュール９０２は、前記前提条件を満たしている場合、具体的には、
前記第１ネットワークの端末に関する情報を前記第２ネットワークの端末に関する情報にマッピングすること、
前記第１ネットワークの端末に関する情報を前記第３ネットワークの端末に関する情報にマッピングすること、
前記第１ネットワークから前記第２ネットワークへのＣＳハンドオーバー要求を第１ターゲット側に送信すること、
前記第１ネットワークから前記第２ネットワークへのＣＳハンドオーバー運用の第２関連情報を前記第１ターゲット側に送信すること、及び
前記第１ネットワークから前記第２ネットワークへのＣＳハンドオーバー運用の指示情報を前記第１ターゲット側に送信することのうちの少なくとも１つに用いられる。
【０３６７】
選択的には、前記第２関連情報は、
第２ネットワークのターゲット無線アクセスネットワークノードの識別子情報、前記第２ネットワークのセキュリティ情報、アンカーポイントネットワーク識別子情報、サポートされる回線交換ドメイン音声コーデックリスト情報、移動局クラスマーク２情報、移動局クラスマーク３情報、第２ネットワークタイプのソース無線アクセスネットワークからターゲット無線アクセスネットワークへのトランスペアレントコンテナ情報、ＩＭＳセッション転送番号、移動局国際加入者識別子番号、移動局ネットワーク能力情報、ユーザ端末ネットワーク能力、緊急サービスであるかの指示情報、優先度情報、第１ネットワークの端末に関する情報、第２ネットワークの端末に関する情報、第３ネットワークの端末に関する情報、及びサービングゲートウェイ選択関連情報のうちの少なくとも１つを含む。
【０３６８】
選択的には、前記第１ネットワークから前記第２ネットワークへのＣＳハンドオーバー運用の指示情報は、
前記第１ネットワークから前記第２ネットワークへのハンドオーバーの指示情報、及び
前記第１ネットワークから前記第２ネットワークへのＣＳハンドオーバーの指示情報のうちの少なくとも１つを含む。
【０３６９】
選択的には、第２実行モジュール９０２は、具体的には、
前記第１ネットワークのセキュリティ情報を前記第２ネットワークのセキュリティ情報にマッピングすること、
前記第１ネットワークサービス端末のネットワーク識別子情報をアンカーポイントネットワーク識別子情報にマッピングすること、及び
端末の第１ネットワークのユーザ識別子を第２ネットワークのユーザ識別子にマッピングすることのうちの少なくとも１つに用いられる。
【０３７０】
選択的には、前記第１ネットワーク９００は、さらに、
前記第２ネットワークから送り返された前記第１ネットワークから前記第２ネットワークへのＣＳハンドオーバー応答を受信するための第２受信モジュールを備える。
【０３７１】
第１ネットワーク９００は、本開示の図２の方法の実施例における第１ネットワークによって実行された各プロセスを実現し得、且つ同様の有益な効果を実現し得る。重複を回避するため、ここで説明を省略する。
【０３７２】
図１０を参照されたい。図１０は、本開示の実施例に係るターゲットネットワークの構造図を示す１つ目の図である。本実施例のターゲットネットワークは、第３ネットワーク、又は相互運用ネットワーク要素が属するネットワークであり得る。図１０に示すように、ターゲットネットワーク１０００は、
第２ターゲット側から送信された情報を受信するための第３受信モジュール１００１と、
前記情報に従って、第１ネットワークから第２ネットワークへの関連運用を実行するための第３実行モジュール１００２とを備える。
【０３７３】
選択的には、前記情報は、
前記第１ネットワークから前記第２ネットワークへの運用の第２関連情報、
前記第１ネットワークから前記第２ネットワークへのＣＳハンドオーバー運用の第２関連情報、
前記第１ネットワークから前記第２ネットワークへの運用の指示情報、
前記第１ネットワークから前記第２ネットワークへのＣＳハンドオーバー運用の指示情報、
前記第１ネットワークの情報、
前記第１ネットワークからマッピングされた前記第２ネットワークの情報、
前記第１ネットワークからマッピングされた前記第３ネットワークの情報、及び
サービングゲートウェイ選択関連情報、のうちの少なくとも１つを含む。
【０３７４】
選択的には、前記第２ターゲット側は、端末、前記第１ネットワークのネットワークユニット、前記第２ネットワークのネットワークユニットのうちの少なくとも１つを備える。
【０３７５】
選択的には、前記第２関連情報は、
第２ネットワークのターゲット無線アクセスネットワークノードの識別子情報、前記第２ネットワークのセキュリティ情報、アンカーポイントネットワーク識別子情報、サポートされる回線交換ドメイン音声コーデックリスト情報、移動局クラスマーク２情報、移動局クラスマーク３情報、第２ネットワークタイプのソース無線アクセスネットワークからターゲット無線アクセスネットワークへのトランスペアレントコンテナ情報、ＩＭＳセッション転送番号、移動局国際加入者識別子番号、移動局ネットワーク能力情報、ユーザ端末ネットワーク能力（ＵＥ  ｎｅｔｗｏｒｋ  ｃａｐａｂｉｌｉｔｙ）、緊急サービスであるかの指示情報、優先度情報、第１ネットワークの端末に関する情報、第２ネットワークの端末に関する情報、第３ネットワークの端末に関する情報、及びサービングゲートウェイ選択関連情報のうちの少なくとも１つを含む。
【０３７６】
選択的には、前記第１ネットワークから前記第２ネットワークへのＣＳハンドオーバー運用の指示情報は、
前記の前記第１ネットワークから前記第２ネットワークへのＣＳハンドオーバーの指示情報、
前記第３ネットワークから前記第２ネットワークへのＣＳハンドオーバーを開始する指示情報、及び
前記相互運用ネットワーク要素から前記第２ネットワークへのＣＳハンドオーバーを開始する指示情報のうちの少なくとも１つを含む。
【０３７７】
選択的には、前記第３実行モジュールは、具体的には、前記情報に従って、
前記第１ネットワークから前記第３ネットワークに送信された情報を、前記第３ネットワークから前記第２ネットワークに送信された情報にマッピングして導出し、前記第２ネットワークに送信すること、
前記第２ネットワークから前記第３ネットワークに送信された情報を、前記第３ネットワークから前記第１ネットワークに送信された情報にマッピングして導出し、前記第１ネットワークに送信すること、
前記第１インタフェースと前記第２インタフェースとの間の情報をマッピングして中継すること、
前記第３ネットワークから前記第２ネットワークＣＳへのハンドオーバー要求を開始すること、
前記相互運用ネットワーク要素から前記第２ネットワークＣＳへのハンドオーバー要求を開始すること、
前記相互運用ネットワーク要素から前記第２ネットワークＣＳへのハンドオーバー要求を開始すること、
前記第３ネットワークから前記第２ネットワークＰＳへのハンドオーバー要求を開始すること、
前記相互運用ネットワーク要素から前記第２ネットワークＰＳへのハンドオーバー要求を開始すること、
前記第１ネットワークから前記第２ネットワークへの端末コンテキストに関する関連運用を実行すること、
前記第１ネットワークの端末に関する情報を前記第２ネットワークの端末に関する情報にマッピングすること、
受信した前記第２ターゲット側から送信された情報を前記第２ネットワークに送信すること、
受信した前記第１ネットワークの端末に関する情報を前記第２ネットワークの端末に関する情報にマッピングすること、
受信した前記第３ネットワークの端末に関する情報を前記第２ネットワークの端末に関する情報にマッピングすること、及び
端末のためにサービングゲートウェイを選択することのうちの少なくとも１つに用いられる。
【０３７８】
ここで、前記第１インタフェースは、前記第２ネットワークと前記第３ネットワークとの間のインタフェースであり、前記第２インタフェースは、前記第１ネットワークと前記第３ネットワークとの間のインタフェースである。
【０３７９】
選択的には、前記の前記第１ネットワークの端末に関する情報を前記第２ネットワークの端末に関する情報にマッピングすることは、
前記第１ネットワークのセキュリティ情報を前記第２ネットワークのセキュリティ情報にマッピングすること、
前記第１ネットワークサービス端末のネットワーク識別子情報をアンカーポイントネットワーク識別子情報にマッピングすること、及び
端末の第１ネットワークのユーザ識別子を第２ネットワークのユーザ識別子にマッピングすること、のうちの少なくとも１つを含む。
【０３８０】
選択的には、前記の前記第１ネットワークのセキュリティ情報を前記第２ネットワークのセキュリティ情報にマッピングすることは、
第１マッピングルールに従って、前記第１ネットワークのセキュリティ情報を前記第２ネットワークのセキュリティ情報に直接マッピングすること、
第２マッピングルールに従って、前記第１ネットワークのセキュリティ情報を前記第３ネットワークのセキュリティ情報にマッピングし、また、前記第３ネットワークのセキュリティ情報を前記第２ネットワークのセキュリティ情報にマッピングすることのうちの少なくとも１つを含む。
【０３８１】
選択的には、前記第１ネットワークは５Ｇネットワークであり、前記第２ネットワークは３Ｇネットワークであり、前記第３ネットワークは４Ｇネットワークである。
【０３８２】
ターゲットネットワーク１０００は、本開示の方法の実施例における第３ネットワークのネットワークユニット又相互運用ネットワーク要素はによって実行された各プロセスを実現し得、且つ同様の有益な効果を実現し得る。重複を回避するため、ここで説明を省略する。
【０３８３】
図１１を参照されたい。図１１は、本開示の実施例に係る端末の構造図を示す１つ目の図である。
【０３８４】
図１１に示すように、端末１１００は、
第１ネットワークから第２ネットワークへの運用の特性情報を取得することと、
前記特性情報に従って、前記第１ネットワークから第２ネットワークへの関連運用を実行することを実行することに用いられる。
【０３８５】
選択的には、前記第１ネットワークから第２ネットワークへのハンドオーバー運用の特性情報は、
第１ネットワークから第２ネットワークへのハンドオーバー運用の指示情報、
第１ネットワークから前記第２ネットワークへのＣＳハンドオーバー運用の第２関連情報、
第１ネットワークから前記第２ネットワークへの運用の第２関連情報、及び
端末は第１ネットワークから第２ネットワークに移行することのうちの少なくとも１つを含む。
【０３８６】
選択的には、前記第１ネットワークから第２ネットワークへのハンドオーバー運用の指示情報は、
前記第１ネットワークから前記第２ネットワークへのハンドオーバーの指示情報、
前記第１ネットワークから前記第２ネットワークへのＣＳハンドオーバーの指示情報、及び
第２ネットワークタイプのターゲット無線アクセスネットワークからソース無線アクセスネットワークへの伝送コンテナ情報のうちの少なくとも１つを含む。
【０３８７】
選択的には、前記第４実行モジュール１１０４は、具体的には、前記特性情報に従って、前記第１ネットワークの端末に関する情報を前記第２ネットワークの端末に関する情報にマッピングすることに用いられる。
【０３８８】
選択的には、前記第４実行モジュール１１０４は、具体的には、
前記端末の第１ネットワークのユーザ識別子を第２ネットワークのユーザ識別子にマッピングすること、
前記第１ネットワークサービス端末のネットワーク識別子情報をアンカーポイントネットワーク識別子情報にマッピングすること、及び
前記第１ネットワークのセキュリティ情報を前記第２ネットワークのセキュリティ情報にマッピングすることのうちの少なくとも１つに用いられる。
【０３８９】
選択的には、前記第４実行モジュール１１０４は、具体的には、
第１マッピングルールに従って、前記第１ネットワークのセキュリティ情報を前記第２ネットワークのセキュリティ情報に直接マッピングすること、及び
第２マッピングルールに従って、前記第１ネットワークのセキュリティ情報を前記第３ネットワークのセキュリティ情報にマッピングし、また、前記第３ネットワークのセキュリティ情報を前記第２ネットワークのセキュリティ情報にマッピングすることのうちの少なくとも１つに用いられる。
【０３９０】
選択的には、前記端末１１００は、
前記第１ネットワークから前記第２ネットワークへのＣＳハンドオーバー運用の第１関連情報を前記第１ネットワークに送信し、又は、前記第１ネットワークから第２ネットワークへの運用の第１関連情報を前記第１ネットワークに送信するための第１送信モジュールとを備える。
【０３９１】
選択的には、前記第２関連情報は、
第２ネットワークのターゲット無線アクセスネットワークノードの識別子情報、前記第２ネットワークのセキュリティ情報、アンカーポイントネットワーク識別子情報、サポートされる回線交換ドメイン音声コーデックリスト情報、移動局クラスマーク２情報、移動局クラスマーク３情報、第２ネットワークタイプのソース無線アクセスネットワークからターゲット無線アクセスネットワークへのトランスペアレントコンテナ情報、ＩＭＳセッション転送番号、移動局国際加入者識別子番号、移動局ネットワーク能力情報、ユーザ端末ネットワーク能力（ＵＥ  ｎｅｔｗｏｒｋ  ｃａｐａｂｉｌｉｔｙ）、緊急サービスであるかの指示情報、優先度情報、第１ネットワークの端末に関する情報、第２ネットワークの端末に関する情報、第３ネットワークの端末に関する情報、及びサービングゲートウェイ選択関連情報のうちの少なくとも１つを含む。
【０３９２】
選択的には、前記第１ネットワークは５Ｇネットワークであり、前記第２ネットワークは３Ｇネットワークであり、前記第３ネットワークは、４Ｇネットワークである。
【０３９３】
端末１１００は、本開示の方法の実施例における端末によって実行された各プロセスを実現し得、且つ同様の有益な効果を実現し得る。重複を回避するため、ここで説明を省略する。
【０３９４】
図１２を参照されたい。図１２は、本開示の実施例に係る第１ネットワークの構造図を示す３つ目の図であり、図１２に示すように、第１ネットワーク１２００は、プロセッサ１２０１、メモリ１２０２、ユーザインタフェース１２０３、送受信機１２０４及びバスインタフェースを含む。
【０３９５】
本開示の実施例において、第１ネットワーク１２００は、さらに、メモリ１２０２に記憶されプロセッサ１２０１で実行可能なコンピュータプログラムを備え、コンピュータプログラムは、プロセッサ１２０１によって実行されるとき、
前提条件を満たしているか否かを決定するステップ、及び
前記前提条件を満たしている場合、第３ネットワーク又は相互運用ネットワーク要素を介して、前記第１ネットワークから前記第２ネットワークへの関連運用を実行するステップを実現する。
【０３９６】
図１２において、バスアーキテクチャは、任意の数の相互接続されたバス及びブリッジを含み得る。具体的には、プロセッサ１２０１を代表とする１つ以上のプロセッサ及びメモリ１２０２を代表とするメモリが様々な回路で接続される。バスアーキテクチャは、周辺機器、電圧レギュレータ、及び電力管理回路などの様々な他の回路を接続可能であるが、それらは当分野における周知技術であるため、本明細書ではこれ以上説明しない。バスインタフェースはインタフェースを提供する。送受信機１２０４は、複数の素子であってもよく、すなわち、送信機及び受信機を備え、伝送媒体上で各種の他の装置と通信するための手段を提供する。異なるユーザ機器に対して、ユーザインタフェース１２０３は、さらに、所要の機器を外部・内部接続可能なインタフェースであってもよく、接続される機器は、キーパッド、ディスプレイ、スピーカ、マイクロフォン、ジョイスティックなどを含むが、これらに限定されない。
【０３９７】
プロセッサ１２０１は、バスアーキテクチャの管理と通常の処理を担い、メモリ１２０２はプロセッサ２６０１が運用を実行するときに使用するデータを記憶することができる。
【０３９８】
選択的には、コンピュータプログラムがプロセッサ１２０１によって実行されるとき、以下の段階を実現し得る。
【０３９９】
前記前提条件を満たしている場合、第３ネットワーク又は相互運用ネットワーク要素を介して、
前記第１ネットワークから前記第２ネットワークへのハンドオーバーの関連運用を実行する段階、
前記第１ネットワークから前記第２ネットワークへのＣＳハンドオーバーの関連運用を実行する段階、
前記第１ネットワークから前記第２ネットワークへのＰＳハンドオーバーの関連運用を実行する段階、
前記第１ネットワークと前記第２ネットワークとの間の端末コンテキストを取得する関連運用を実行する段階、
前記第１ネットワークから前記第２ネットワークへのデータ転送の関連運用を実行する段階、
前記第１ネットワークから前記第２ネットワークへのＩＰアドレス保持の関連運用を実行する段階、
前記第１ネットワークの端末に関する情報を前記第２ネットワークの端末に関する情報にマッピングする段階、
前記第１ネットワークから第２ネットワークへの運用の第２関連情報を第１ターゲット側に送信する段階、及び
前記第１ネットワークから前記第２ネットワークへの運用の指示情報を第１ターゲット側に送信する段階のうちの少なくとも１つを実行する。
【０４００】
選択的には、前記の前提条件を満たしていることは、
前記第１ネットワークから前記第２ネットワークへの運用の第１関連情報を取得すること、
前記第１ネットワークから前記第２ネットワークへのＰＳ運用の第１関連情報を取得すること、
前記第１ネットワークから前記第２ネットワークへのＣＳ運用の第１関連情報を取得すること、
前記第１ネットワークから前記第２ネットワークへのハンドオーバー要求の情報を受信すること、
前記第１ネットワークと前記第２ネットワークとの間に直接のインタフェースが存在しなく、且つ第３ネットワーク又は相互運用ネットワーク要素を介して相互作用すること、及び
端末が第２ネットワークにアクセスすることのうちの少なくとも１つを含む。
【０４０１】
選択的には、前記第１関連情報は、
第２ネットワーク能力情報、ＩＭＳセッション転送番号、移動局国際加入者識別子番号、緊急サービスであるかの指示情報、優先度情報のうちの少なくとも１つを含み、
及び／又は、
前記第１ネットワークから前記第２ネットワークへのハンドオーバー要求の情報は、
前記第１ネットワークから前記第２ネットワークへのＣＳハンドオーバーの指示情報、
ターゲットネットワークが前記第２ネットワークとして示され、第２ネットワークタイプのソース無線アクセスネットワークからターゲット無線アクセスネットワークへの伝送コンテナ情報のうちの少なくとも１つを含む。
【０４０２】
選択的には、コンピュータプログラムがプロセッサ１２０１によって実行されるとき、
前記第１ネットワークの端末に関する情報を前記第２ネットワークの端末に関する情報にマッピングする段階、
前記第１ネットワークの端末に関する情報を前記第３ネットワークの端末に関する情報にマッピングする段階、
前記第１ネットワークから前記第２ネットワークへのＣＳハンドオーバー運用の第２関連情報を前記第１ターゲット側又は前記第３ネットワークのネットワークユニットに送信する段階、
前記第１ネットワークから前記第２ネットワークへのＣＳハンドオーバー運用の指示情報を前記第１ターゲット側又は前記第３ネットワークのネットワークユニットに送信する段階、及び
前記第１ネットワークから前記第３ネットワークへの、第１ネットワークから前記第２ネットワークへのＣＳハンドオーバー運用の指示情報及び／又は前記第２関連情報を含むハンドオーバー要求を前記第１ターゲット側又は前記第３ネットワークのネットワークユニットに送信する段階をさらに実現し得る。
【０４０３】
選択的には、前記第２関連情報は、
第２ネットワークのターゲット無線アクセスネットワークノードの識別子情報、前記第２ネットワークのセキュリティ情報、アンカーポイントネットワーク識別子情報、サポートされる回線交換ドメイン音声コーデックリスト情報、移動局クラスマーク２情報、移動局クラスマーク３情報、第２ネットワークタイプのソース無線アクセスネットワークからターゲット無線アクセスネットワークへのトランスペアレントコンテナ情報、ＩＭＳセッション転送番号、移動局国際加入者識別子番号、移動局ネットワーク能力情報、ユーザ端末ネットワーク能力（ＵＥ  ｎｅｔｗｏｒｋ  ｃａｐａｂｉｌｉｔｙ）、緊急サービスであるかの指示情報、優先度情報、第１ネットワークの端末に関する情報、第２ネットワークの端末に関する情報、第３ネットワークの端末に関する情報、サービングゲートウェイ選択関連情報のうちの少なくとも１つを含む。
【０４０４】
選択的には、前記第１ネットワークから前記第２ネットワークへのＣＳハンドオーバー運用の指示情報は、
前記第１ネットワークから前記第２ネットワークへのＣＳハンドオーバーの指示情報、
前記第３ネットワークから前記第２ネットワークへのＣＳハンドオーバーを開始する指示情報、及び
前記相互運用ネットワーク要素から前記第２ネットワークへのＣＳハンドオーバーを開始する指示情報のうちの少なくとも１つを含む。
【０４０５】
選択的には、コンピュータプログラムがプロセッサ１２０１によって実行されるとき、
前記第２ネットワークから送り返された前記第１ネットワークから前記第２ネットワークへのＣＳハンドオーバー応答を受信することをさらに実現し得る。
【０４０６】
選択的には、前記第１ネットワークは５Ｇネットワークであり、前記第２ネットワークは３Ｇネットワークであり、前記第３ネットワークは４Ｇネットワークである。
【０４０７】
第１ネットワーク１２００は、上述した図１の方法の実施例における第１ネットワークによって実現された各プロセスを実現し得る。重複を回避するため、ここで説明を省略する。
【０４０８】
図１３を参照されたい。図１３は、本開示の実施例に係る第１ネットワークの構造図を示す４つ目の図であり、図１３に示すように、第１ネットワーク１３００は、プロセッサ１３０１、メモリ１３０２、ユーザインタフェース１３０３、送受信機１３０４、バスインタフェースを備える。
【０４０９】
本開示の実施例において、第１ネットワーク１３００は、さらに、メモリ１３０２に記憶されプロセッサ１３０１で実行可能なコンピュータプログラムを備え、コンピュータプログラムは、プロセッサ１３０１によって実行されるとき、
前提条件を満たしているか否かを決定するステップ、及び
前記前提条件を満たしている場合、前記第１ネットワークから前記第２ネットワークへの関連運用を実行するステップを実現し、
前記第１ネットワークは５Ｇネットワークであり、前記第２ネットワークは３Ｇネットワークであり、又は、
前記第１ネットワークは３Ｇネットワークであり、前記第２ネットワークは５Ｇネットワークである。
【０４１０】
図１３において、バスアーキテクチャは、任意の数の相互接続されたバス及びブリッジを含み得る。具体的には、プロセッサ１３０１を代表とする１つ以上のプロセッサ及びメモリ１３０２を代表とするメモリが様々な回路で接続される。バスアーキテクチャは、周辺機器、電圧レギュレータ、及び電力管理回路などの様々な他の回路を接続可能であるが、それらは当分野における周知技術であるため、本明細書ではこれ以上説明しない。バスインタフェースはインタフェースを提供する。送受信機１３０４は、複数の素子であってもよく、すなわち、送信機及び受信機を備え、伝送媒体上で各種の他の装置と通信するための手段を提供する。異なるユーザ機器に対して、ユーザインタフェース１３０３は、さらに、所要の機器を外部・内部接続可能なインタフェースであってもよく、接続される機器は、キーパッド、ディスプレイ、スピーカ、マイクロフォン、ジョイスティックなどを含むが、これらに限定されない。
【０４１１】
プロセッサ１３０１はバスアーキテクチャ及び一般的な処理を管理する役割を担い、メモリ１３０２はプロセッサ２６０１が運用を実行するときに使用するデータを記憶することができる。
【０４１２】
選択的には、コンピュータプログラムがプロセッサ１３０１によって実行されるとき、以下の段階を実現し得る。
【０４１３】
前記前提条件を満たしている場合、
前記第１ネットワークから前記第２ネットワークへのハンドオーバーの関連運用を実行する段階、
前記第１ネットワークから前記第２ネットワークへのＣＳハンドオーバーの関連運用を実行する段階、
前記第１ネットワークから前記第２ネットワークへのＰＳハンドオーバーの関連運用を実行する段階、
前記第１ネットワークと前記第２ネットワークとの間の端末コンテキストを取得する関連運用を実行する段階、
前記第１ネットワークから前記第２ネットワークへのデータ転送の関連運用を実行する段階、
前記第１ネットワークから前記第２ネットワークへのＩＰアドレス保持の関連運用を実行する段階、
前記第１ネットワークの端末に関する情報を前記第２ネットワークの端末に関する情報にマッピングする段階、
前記第１ネットワークから第２ネットワークへの運用の第２関連情報を第１ターゲット側に送信する段階、
前記第１ネットワークから前記第２ネットワークへの運用の指示情報を第１ターゲット側に送信する段階のうちの少なくとも１つを実行する。
【０４１４】
選択的には、前記の前提条件を満たしていることは、
前記第１ネットワークから前記第２ネットワークへの運用の第１関連情報を取得すること、
前記第１ネットワークから前記第２ネットワークへＰＳの運用の第１関連情報を取得すること、
前記第１ネットワークから前記第２ネットワークへのＣＳ運用の第１関連情報を取得すること、
前記第１ネットワークから前記第２ネットワークへのハンドオーバー要求の情報を受信すること、及び
前記第１ネットワークと前記第２ネットワークとの間に直接のインタフェースが存在しないことを決定し、且つ第３ネットワーク又は相互運用ネットワーク要素を介して相互作用すること、
端末が第２ネットワークにアクセスすることを含む。
【０４１５】
前記第１ネットワークと前記第２ネットワークとの間に直接のインタフェースが存在することを決定する。
【０４１６】
選択的には、前記第１関連情報は、
第２ネットワーク能力情報、ＩＭＳセッション転送番号、移動局国際加入者識別子番号、緊急サービスであるかの指示情報、優先度情報のうちの少なくとも１つを含み、
及び／又は、
前記第１ネットワークから前記第２ネットワークへのハンドオーバー要求の情報は、
前記第１ネットワークから前記第２ネットワークへのＣＳハンドオーバーの指示情報、
ターゲットネットワークが前記第２ネットワークとして示され、第２ネットワークタイプのソース無線アクセスネットワークからターゲット無線アクセスネットワークへの伝送コンテナ情報のうちの少なくとも１つを含む。
【０４１７】
選択的には、コンピュータプログラムがプロセッサ１３０１によって実行されるとき、
前記第１ネットワークの端末に関する情報を前記第２ネットワークの端末に関する情報にマッピングすること、
前記第１ネットワークの端末に関する情報を前記第３ネットワークの端末に関する情報にマッピングすること、
前記第１ネットワークから前記第２ネットワークへのＣＳハンドオーバー要求を第１ターゲット側に送信すること、
前記第１ネットワークから前記第２ネットワークへのＣＳハンドオーバー運用の第２関連情報を前記第１ターゲット側に送信すること、及び
前記第１ネットワークから前記第２ネットワークへのＣＳハンドオーバー運用の指示情報を前記第１ターゲット側に送信することを実現し得る。
【０４１８】
選択的には、前記第２関連情報は、
第２ネットワークのターゲット無線アクセスネットワークノードの識別子情報、前記第２ネットワークのセキュリティ情報、アンカーポイントネットワーク識別子情報、サポートされる回線交換ドメイン音声コーデックリスト情報、移動局クラスマーク２情報、移動局クラスマーク３情報、第２ネットワークタイプのソース無線アクセスネットワークからターゲット無線アクセスネットワークへのトランスペアレントコンテナ情報、ＩＭＳセッション転送番号、移動局国際加入者識別子番号、移動局ネットワーク能力情報、ユーザ端末ネットワーク能力（ＵＥ  ｎｅｔｗｏｒｋ  ｃａｐａｂｉｌｉｔｙ）、緊急サービスであるかの指示情報、優先度情報、第１ネットワークの端末に関する情報、第２ネットワークの端末に関する情報、第３ネットワークの端末に関する情報、サービングゲートウェイ選択関連情報のうちの少なくとも１つを含む。
【０４１９】
選択的には、前記第１ネットワークから前記第２ネットワークへのＣＳハンドオーバー運用の指示情報は、
前記第１ネットワークから前記第２ネットワークへのハンドオーバーの指示情報、及び
前記第１ネットワークから前記第２ネットワークへのＣＳハンドオーバーの指示情報のうちの少なくとも１つを含む。
【０４２０】
選択的には、コンピュータプログラムがプロセッサ１３０１によって実行されるとき、
前記第１ネットワークのセキュリティ情報を前記第２ネットワークのセキュリティ情報にマッピングすること、
前記第１ネットワークサービス端末のネットワーク識別子情報をアンカーポイントネットワーク識別子情報にマッピングすること、及び
端末の第１ネットワークのユーザ識別子を第２ネットワークのユーザ識別子にマッピングすることを実現し得る。
【０４２１】
選択的には、コンピュータプログラムがプロセッサ１３０１によって実行されるとき、
前記第２ネットワークから送り返された前記第１ネットワークから前記第２ネットワークへのＣＳハンドオーバー応答を受信することをさらに実現し得る。
【０４２２】
第１ネットワーク１３００は、上述した図２の方法の実施例における第１ネットワークによって実現された各プロセスを実現し得る。重複を回避するため、ここで説明を省略する。
【０４２３】
図１４を参照されたい。図１４は、本開示の実施例に係るターゲットネットワークの構造図を示す２つ目の図である。本実施例のターゲットネットワークは、第３ネットワークであってもよいし、又は相互運用ネットワーク要素が属するネットワークであってもよい。図１４に示すように、ターゲットネットワーク１４００は、プロセッサ１４０１、メモリ１４０２、ユーザインタフェース１４０３、送受信機１４０４及びバスインタフェースを備える。
【０４２４】
本開示の実施例において、ターゲットネットワーク１４００は、メモリ１４０２に記憶されプロセッサ１４０１で実行可能なコンピュータプログラムをさらに備え、コンピュータプログラムは、プロセッサ１４０１によって実行されるとき、
第２ターゲット側から送信された情報を受信する段階、及び
前記情報に従って、第１ネットワークから第２ネットワークへの関連運用を実行する段階を実現する。
【０４２５】
図１４において、バスアーキテクチャは、任意の数の相互接続されたバス及びブリッジを含み得る。具体的には、プロセッサ１４０１を代表とする１つ以上のプロセッサ及びメモリ１４０２を代表とするメモリが様々な回路で接続される。バスアーキテクチャは、周辺機器、電圧レギュレータ、及び電力管理回路などの様々な他の回路を接続可能であるが、それらは当分野における周知技術であるため、本明細書ではこれ以上説明しない。バスインタフェースはインタフェースを提供する。送受信機１４０４は、複数の素子であってもよく、すなわち、送信機及び受信機を備え、伝送媒体上で各種の他の装置と通信するための手段を提供する。異なるユーザ機器に対して、ユーザインタフェース１４０３は、さらに、所要の機器を外部・内部接続可能なインタフェースであってもよく、接続される機器は、キーパッド、ディスプレイ、スピーカ、マイクロフォン、ジョイスティックなどを含むが、これらに限定されない。
【０４２６】
プロセッサ１４０１はバスアーキテクチャ及び一般的な処理を管理する役割を担い、メモリ１４０２はプロセッサ２６０１が運用を実行するときに使用するデータを記憶することができる。
【０４２７】
選択的には、前記情報は、
前記第１ネットワークから前記第２ネットワークへの運用の第２関連情報、
前記第１ネットワークから前記第２ネットワークへのＣＳハンドオーバー運用の第２関連情報、
前記第１ネットワークから前記第２ネットワークへの運用の指示情報、
前記第１ネットワークから前記第２ネットワークへのＣＳハンドオーバー運用の指示情報、
前記第１ネットワークの情報、
前記第１ネットワークからマッピングされた前記第２ネットワークの情報、
前記第１ネットワークからマッピングされた前記第３ネットワークの情報、及び
サービングゲートウェイ選択関連情報のうちの少なくとも１つを含む。
【０４２８】
選択的には、前記第２ターゲット側は、端末、前記第１ネットワークのネットワークユニット、前記第２ネットワークのネットワークユニットのうちの少なくとも１つを含む。
【０４２９】
選択的には、前記第２関連情報は、
第２ネットワークのターゲット無線アクセスネットワークノードの識別子情報、前記第２ネットワークのセキュリティ情報、アンカーポイントネットワーク識別子情報、サポートされる回線交換ドメイン音声コーデックリスト情報、移動局クラスマーク２情報、移動局クラスマーク３情報、第２ネットワークタイプのソース無線アクセスネットワークからターゲット無線アクセスネットワークへのトランスペアレントコンテナ情報、ＩＭＳセッション転送番号、移動局国際加入者識別子番号、移動局ネットワーク能力情報、ユーザ端末ネットワーク能力（ＵＥ  ｎｅｔｗｏｒｋ  ｃａｐａｂｉｌｉｔｙ）、緊急サービスであるかの指示情報、優先度情報、第１ネットワークの端末に関する情報、第２ネットワークの端末に関する情報、第３ネットワークの端末に関する情報、サービングゲートウェイ選択関連情報のうちの少なくとも１つを含む。
【０４３０】
選択的には、前記第１ネットワークから前記第２ネットワークへのＣＳハンドオーバー運用の指示情報は、
前記の前記第１ネットワークから前記第２ネットワークへのＣＳハンドオーバーの指示情報、
前記第３ネットワークから前記第２ネットワークへのＣＳハンドオーバーを開始する指示情報、及び
前記相互運用ネットワーク要素から前記第２ネットワークへのＣＳハンドオーバーを開始する指示情報のうちの少なくとも１つを含む。
【０４３１】
選択的には、コンピュータプログラムがプロセッサ１４０１によって実行されるとき、さらに、
前記第１ネットワークから前記第３ネットワークに送信された情報を、前記第３ネットワークから前記第２ネットワークに送信された情報にマッピングして導出し、前記第２ネットワークに送信する段階、
前記第２ネットワークから前記第３ネットワークに送信された情報を、前記第３ネットワークから前記第１ネットワークに送信された情報にマッピングして導出し、前記第１ネットワークに送信する段階、
前記第１インタフェースと前記第２インタフェースとの間の情報をマッピングして中継する段階、
前記第３ネットワークから前記第２ネットワークＣＳへのハンドオーバー要求を開始する段階、
前記相互運用ネットワーク要素から前記第２ネットワークＣＳへのハンドオーバー要求を開始する段階、
前記第３ネットワークから前記第２ネットワークＰＳへのハンドオーバー要求を開始する段階、
前記相互運用ネットワーク要素から前記第２ネットワークＰＳへのハンドオーバー要求を開始する段階、
前記第１ネットワークから前記第２ネットワークへの端末コンテキストに関する関連運用を実行する段階、
前記第１ネットワークの端末に関する情報を前記第２ネットワークの端末に関する情報にマッピングする段階、
受信した前記第２ターゲット側から送信された情報を前記第２ネットワークに送信する段階、
受信した前記第１ネットワークの端末に関する情報を前記第２ネットワークの端末に関する情報にマッピングする段階、
受信した前記第３ネットワークの端末に関する情報を前記第２ネットワークの端末に関する情報にマッピングする段階、
端末のためにサービングゲートウェイを選択する段階を、実現し得る。
【０４３２】
ここで、前記第１インタフェースは、前記第２ネットワークと前記第３ネットワークとの間のインタフェースであり、前記第２インタフェースは、前記第１ネットワークと前記第３ネットワークとの間のインタフェースである。
【０４３３】
選択的には、コンピュータプログラムがプロセッサ１４０１によって実行されるとき、さらに、
前記第１ネットワークのセキュリティ情報を前記第２ネットワークのセキュリティ情報にマッピングする段階、
前記第１ネットワークサービス端末のネットワーク識別子情報をアンカーポイントネットワーク識別子情報にマッピングする段階、及び
端末の第１ネットワークのユーザ識別子を第２ネットワークのユーザ識別子にマッピングする段階を実現する段階ができる。
【０４３４】
選択的には、コンピュータプログラムがプロセッサ１４０１によって実行されるとき、さらに、
第１マッピングルールに従って、前記第１ネットワークのセキュリティ情報を前記第２ネットワークのセキュリティ情報に直接マッピングする段階、及び
第２マッピングルールに従って、前記第１ネットワークのセキュリティ情報を前記第３ネットワークのセキュリティ情報にマッピングし、また、前記第３ネットワークのセキュリティ情報を前記第２ネットワークのセキュリティ情報にマッピングする段階を実現し得る。
【０４３５】
選択的には、前記第１ネットワークは５Ｇネットワークであり、前記第２ネットワークは３Ｇネットワークであり、前記第３ネットワークは４Ｇネットワークである。
【０４３６】
ターゲットネットワーク１４００は、上述した方法の実施例における第３ネットワークによって実現された各プロセスを実現し得る。重複を回避するため、ここで説明を省略する。
【０４３７】
図１５を参照されたい。図１５は、本開示の実施例に係る端末の構造図を示す２つ目の図である。該端末が本開示の各実施例を実現できる端末のハードウェア構成を示す。図１５に示すように、端末１５００は、無線周波数部１５０１、ネットワークモジュール１５０２、オーディオ出力部１５０３、入力部１５０４、センサ１５０５、表示部１５０６、ユーザ入力部１５０７、インターフェース部１５０８、メモリ１５０９、プロセッサ１５１０及び電源１５１１など部品を含むが、これらに限定されない。当業者は、図１５に示めす端末構造の端末を制限せず、端末は、図示されたものよりも多い又は少ない構成要素を含み得、又は幾つかの構成要素を組合せ、又は異なる構成要素を配置することができることが理解できるだろう。本開示の実施例において、端末には、携帯電話、タブレットコンピュータ、ノートブックコンピュータ、パームトップコンピュータ、車載端末、ウェアラブルデバイス及び歩数計を含むが、これらに限定されない。
【０４３８】
ここで、プロセッサ１５１０は、
第１ネットワークから第２ネットワークへの運用の特性情報を取得すること、及び
前記特性情報に従って、前記第１ネットワークから第２ネットワークへの関連運用を実行することに用いられる。
【０４３９】
選択的には、前記第１ネットワークから第２ネットワークへのハンドオーバー運用の特性情報は
第１ネットワークから第２ネットワークへのハンドオーバー運用の指示情報、
第１ネットワークから前記第２ネットワークへのＣＳハンドオーバー運用の第２関連情報、
第１ネットワークから前記第２ネットワークへの運用の第２関連情報、
端末は第１ネットワークから第２ネットワークに移行することのうちの少なくとも１つを含む。
選択的には、前記第１ネットワークから第２ネットワークへのハンドオーバー運用の指示情報は、
前記第１ネットワークから前記第２ネットワークへのハンドオーバーの指示情報、
前記第１ネットワークから前記第２ネットワークへのＣＳハンドオーバーの指示情報、及び
ターゲット無線ネットワークコントローラＲＮＣからソースＲＮＣへのトランスペアレントコンテナ表示情報のうちの少なくとも１つを含む。
【０４４０】
選択的には、プロセッサ１５１０は、さらに、
前記第１ネットワークの端末に関する情報を前記第２ネットワークの端末に関する情報にマッピングすることに用いられる。
【０４４１】
選択的には、プロセッサ１５１０は、さらに、
前記端末の第１ネットワークのユーザ識別子を第２ネットワークのユーザ識別子にマッピングすること、
前記第１ネットワークサービス端末のネットワーク識別子情報をアンカーポイントネットワーク識別子情報にマッピングすること、及び
前記第１ネットワークのセキュリティ情報を前記第２ネットワークのセキュリティ情報にマッピングすることに用いられる。
【０４４２】
選択的には、プロセッサ１５１０は、さらに、
第１マッピングルールに従って、前記第１ネットワークのセキュリティ情報を前記第２ネットワークのセキュリティ情報に直接マッピングすること、及び
第２マッピングルールに従って、前記第１ネットワークのセキュリティ情報を前記第３ネットワークのセキュリティ情報にマッピングし、また、前記第３ネットワークのセキュリティ情報を前記第２ネットワークのセキュリティ情報にマッピングすることに用いられる。
【０４４３】
選択的には、プロセッサ１５１０は、
前記第１ネットワークから前記第２ネットワークへのＣＳハンドオーバー運用の第１関連情報を前記第１ネットワークに送信すること、又は
前記第１ネットワークから前記第２ネットワークへの運用の第１関連情報を前記第１ネットワークに送信することにさらに用いられる。
【０４４４】
選択的には、前記第２関連情報は、
第２ネットワークのターゲット無線アクセスネットワークノードの識別子情報、前記第２ネットワークのセキュリティ情報、アンカーポイントネットワーク識別子情報、サポートされる回線交換ドメイン音声コーデックリスト情報、移動局クラスマーク２情報、移動局クラスマーク３情報、第２ネットワークタイプのソース無線アクセスネットワークからターゲット無線アクセスネットワークへのトランスペアレントコンテナ情報、ＩＭＳセッション転送番号、移動局国際加入者識別子番号、移動局ネットワーク能力情報、ユーザ端末ネットワーク能力（ＵＥ  ｎｅｔｗｏｒｋ  ｃａｐａｂｉｌｉｔｙ）、緊急サービスであるかの指示情報、優先度情報、第１ネットワークの端末に関する情報、第２ネットワークの端末に関する情報、第３ネットワークの端末に関する情報、サービングゲートウェイ選択関連情報のうちの少なくとも１つを含む。
【０４４５】
選択的には、前記第１ネットワークは５Ｇネットワークであり、前記第２ネットワークは３Ｇネットワークである。
【０４４６】
なお、本実施例における上記の端末１５００は、本開示の実施例における各プロセスを実現し得、且つ同様の有益な効果を実現し得る。重複を回避するため、ここで説明を省略する。
【０４４７】
容易に理解できるだろうが、本開示の実施例において、ＲＦ部１５０１は、メッセージの送受信又は通話中に、信号の送受信を行う。具体的には、基地局からの下りデータを受信した後、プロセッサ１５１０に処理させる。なお、上りデータを基地局に送信する。一般的には、ＲＦ部１５０１は、アンテナや、少なくとも１つの増幅器、送受信機、結合器、低雑音増幅器、デュプレクサなどを含むが、これらに限定されない。また、ＲＦ部１５０１は、無線通信システムを介してネットワークや他の機器と通信することもできる。
【０４４８】
端末は、ネットワークモジュール１５０２を介して、ユーザの電子メールの送受信や、ウェブページの閲覧、ストリーミングメディアのアクセスなどに寄与するような無線ブロードバンドインターネットアクセスをユーザに提供する。
【０４４９】
音声出力部１５０３は、ＲＦ部１５０１又はネットワークモジュール１５０２により受信された、又はメモリ１５０９に記憶された音声データを音声信号に変換して音声として出力することができる。また、音声出力部１５０３は、端末１５００が実行する特定の機能に関する音声出力（例えば、呼信号の着信音、メッセージの着信音など）を提供することもできる。音声出力部１５０３は、スピーカ、ブザー、受話器等を含む。
【０４５０】
入力部１５０４は、音声信号又は映像信号を受信する。入力部１５０４はグラフィックスプロセッシングユニット（Ｇｒａｐｈｉｃｓ  Ｐｒｏｃｅｓｓｉｎｇ  Ｕｎｉｔ、ＧＰＵ）１５０４１及びマイクロフォン１５０４２を含み得る。グラフィックプロセッサ１５０４１は、映像撮影モード又は画像撮影モードでカメラのような画像撮影装置によって取得された静止画又は映像の画像データを処理する。処理された画像フレームは、表示部１５０６に表示することができる。グラフィックプロセッサ１５０４１によって処理された画像フレームは、メモリ１５０９（又は他の記憶媒体）に記憶されてもよく、あるいは、ＲＦ部１５０１又はネットワークモジュール１５０２を介して送信されてもよい。マイクロフォン１５０４２は、音声を受信し、音声データになるよう処理することができる。処理された音声データは、電話の通話モードの場合、ＲＦ部１５０１を介して移動通信基地局に送信可能なフォーマットに変換されて出力される。
【０４５１】
端末１５００は、光センサ、動きセンサ及び他のセンサのようなセンサ１５０５をさらに少なくとも１つ含む。具体的には、光センサは、周辺光の明暗によって表示パネル１５０６１の輝度を調節可能な周辺光センサと、端末１５００が耳元に移動すると表示パネル１５０６１及び／又はバックライトをオフする近接センサとを含む。動きセンサの１つとして、加速度計センサは、各方向（一般的には３軸）の加速度の大きさを検出可能であり、静止時に重力の大きさ及び方向を検出可能であり、端末の姿勢識別（例えば、縦横画面の切り替え、関連ゲーム、磁力計の姿勢較正）や、振動認識関連機能（例えば、歩数計、タップ）などを行うことができる。センサ１５０５は、指紋センサや、圧力センサ、虹彩センサ、分子センサ、ジャイロスコープ、気圧計、湿度計、温度計、赤外線センサなどをさらに含んでもよく、ここで詳しく説明しない。
【０４５２】
表示部１５０６は、ユーザが入力した情報やユーザに提供する情報を表示する。表示部１５０６は、表示パネル１５０６１を含み得る。表示パネル１５０６１は、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で構成されてもよい。
【０４５３】
ユーザ入力部１５０７は、入力された数字や文字を受信し、端末のユーザ設定及び機能制御に関するキー信号入力を生じる。具体的には、ユーザ入力部１５０７は、タッチパネル１５０７１、及びその他の入力装置１５０７２を含む。タッチパネル１５０７１は、タッチスクリーンとも呼ばれ、ユーザによるタッチパネル１５０７１上及び近傍のタッチ操作（例えば、ユーザが指、スタイラスなどの任意の適切な物体又は付属物を用いてタッチパネル１５０７１上又はタッチパネル１５０７１の近傍で行う操作）を収集することができる。タッチパネル１５０７１は、タッチ検出装置とタッチコントローラと、２つの部分を含み得る。タッチ検出装置は、ユーザのタッチ方位を検出し、タッチ操作による信号を検出して、信号をタッチコントローラに伝送する。タッチコントローラは、タッチ検出装置からタッチ情報を受信し、それをタッチ点座標に変換してプロセッサ１１０に送り、プロセッサ１１０からのコマンドを受信して実行する。また、タッチパネル１５０７１は、抵抗式、静電容量式、赤外線式、表面弾性波式など、複数の方式により実現し得る。ユーザ入力部１５０７は、タッチパネル１５０７１に加えて、他の入力装置１５０７２を含み得る。具体的には、他の入力装置１５０７２は、物理キーボード、機能キー（例えば、音量制御ボタン、スイッチボタンなど）、トラックボール、マウス、ジョイスティックを含み得るが、それらに限定されず、ここでは、詳しく説明しない。
【０４５４】
さらに、タッチパネル１５０７１は、表示パネル１５０６１上に被覆可能であり、タッチパネル１５０７１は、タッチパネル１５０７１上又は近傍でのタッチ操作を検出すると、プロセッサ１５１０に送信してタッチイベントの種類を決定する。その後、プロセッサ１５１０は、タッチイベントの種類に応じて表示パネル１５０６１に対応する視覚出力を提供する。図１５では、タッチパネル１５０７１と表示パネル１５０６１は、２つの別個の構成要素として端末１５００の入出力機能を実現するが、幾つかの実施例では、タッチパネル１５０７１と表示パネル１５０６１を集積して端末１５００の入出力機能を実現してもよく、ここでは具体的には限定しない。
【０４５５】
インターフェース部１５０８は、外部装置が端末１５００に接続するためのインターフェースである。例えば、外部装置は、有線又は無線ヘッドセットポート、外部電源（又はバッテリチャージャ）ポート、有線又は無線データポート、メモリカードポート、識別モジュールを有する装置を接続するためのポート、オーディオ入出力（Ｉ／Ｏ）ポート、ビデオＩ／Ｏポート、ヘッドセットポートなどを含み得る。インターフェース部１５０８は、外部装置から入力（例えば、データ情報、電力など）を受信し、受信した入力を端末１５００内の１つ以上の素子に伝送するために使用されてもよく、又は端末１５００と外部装置との間でデータを伝送するために使用されてもよい。
【０４５６】
メモリ１５０９は、ソフトウェアプログラムや各種データを記憶する。メモリ１５０９は、主として、オペレーティングシステム（ＯＳ）、少なくとも１つの機能に必要なアプリケーション（例えば、音声再生機能、画像再生機能など）などを記憶可能な記憶プログラム領域と、ハンドセットの使用に応じて作成されたデータ（例えば、音声データ、電話帳など）などを記憶可能な記憶データ領域と、を含み得る。また、メモリ１５０９は、高速ランダムアクセスメモリを含んでもよく、例えば、少なくとも１つの磁気ディスク記憶デバイス、フラッシュメモリデバイスのような不揮発性メモリ、又は他の揮発性固体記憶デバイスをさらに含み得る。
【０４５７】
プロセッサ１５１０は、端末の制御センターであり、端末全体の各部を様々なインタフェース及び回路で接続し、メモリ１５０９内に記憶されたソフトウェアプログラム及び／又はモジュールを実行したり、メモリ１５０９に記憶されたデータを呼び出したりすることにより、端末の様々な機能を実行し、データ処理を行い、端末全体のモニタリングを行う。プロセッサ１５１０は、１つ以上の処理部を含み得る。好ましくは、プロセッサ１５１０は、オペレーティングシステムや、ユーザインタフェース、アプリケーションなどを主に処理するアプリケーションプロセッサと、無線通信を主に処理するモデムプロセッサとを集積してもよい。なお、上記のモデムプロセッサは、プロセッサ１５１０に集積されなくてもよい。
【０４５８】
端末１５００は、各構成要素に電力を供給するための電源１５１１（例えば、バッテリ）をさらに含み得る。選択的には、電源１５１１は、電源管理システムを介してプロセッサ１５１０と論理的に接続されてもよく、これにより、電源管理システムで、充放電管理、及び消費電力管理などの機能を実現し得る。さらに、端末１５００は、示されていない幾つかの機能モジュールを備えるが、ここでその説明を省略する。
【０４５９】
選択的には、本開示の実施例は、端末をさらに提供する。該端末は、プロセッサ１５１０、メモリ１５０９、及びメモリ１５０９に記憶され、前記プロセッサ１５１０で実行可能なコンピュータプログラムを備え、該コンピュータプログラムがプロセッサ１５１０によって実行されるとき、上記のネットワーク間運用の方法の実施例の各プロセスを実現し得、且つ同様の技術的効果を実現し得る。重複を回避するため、ここで説明を省略する。
【０４６０】
本開示の実施例は、コンピュータプログラムが記憶されたコンピュータ読み取り可能な記憶媒体をさらに提供する。該コンピュータプログラムがプロセッサによって実行されるとき、上記のネットワーク間運用の方法の実施例の各プロセスを実現し得、且つ同様の技術的効果を実現し得る。重複を回避するため、ここで説明を省略する。前記コンピュータ読み取り可能な記憶媒体は、例えば、読み出し専用メモリ（Ｒｅａｄ−Ｏｎｌｙ  Ｍｅｍｏｒｙ、ＲＯＭと略称する）、ランダムアクセスメモリ（Ｒａｎｄｏｍ  Ａｃｃｅｓｓ  Ｍｅｍｏｒｙ、ＲＡＭと略称する）、磁気ディスク又は光ディスク等である。
【０４６１】
説明すべきなのは、本明細書において、用語「備える」、「含む」、又はそれらの任意の他の変形形態は、非排他的な包含をカバーすることが意図され、これにより一連の要素を含むプロセス、方法、部品、又は装置は、それらの要素だけでなく、明確に列挙されていない他の要素も含み、あるいはかかるプロセス、方法、部品又は装置に固有の要素も含む。「１つの……を含む」という表現によって限定された要素は、これ以上の制限がない場合、その要素を含むプロセス、方法、部品又は装置内に他の同じ要素が存在することを除外しない。
【０４６２】
以上の実施形態の説明により、上記実施例の方法が、ソフトウェアに、必要な汎用ハードウェアプラットフォームを加えた方式で実現でき、当然のことながら、ハードウェアによって実現することもできるが、多くの場合、前者がより好ましい実施形態であることを当業者が明確に理解することができる。このような理解に基づいて、本開示の技術的手段は、実質的に、言い換えると関連技術に貢献する部分は、ソフトウェア製品の形態で具体化されてもよい。本開示の複数の実施例に記載された方法を端末（ハンドセット、コンピュータ、サーバ、空調機、又はネットワーク機器などであってもよい）に実行させるための若干の命令を含む該コンピュータソフトウェア製品は、記憶媒体（例えば、ＲＯＭ／ＲＡＭ、磁気ディスク、光ディスク）に記憶される。
【０４６３】
以上、本開示の実施例について図面を参照して説明したが、本開示は、上述の具体的な実施形態に限定されるものではなく、上述の具体的な実施形態は、単なる例示的なものであって、限定的なものではない。当業者が本開示の教示を受けて本開示の要旨及び特許請求の範囲から逸脱することなくなし得る多くの形態は、いずれも本開示の保護範囲に含まれる。
【符号の説明】
【０４６４】
８００  第１ネットワーク
８０１  第１決定モジュール
８０２  第１実行モジュール
９００  第１ネットワーク
９０１  第２決定モジュール
９０２  第２実行モジュール
１０００  ターゲットネットワーク
１００１  第３受信モジュール
１００２  第３実行モジュール
１１００  端末
１１０１  取得モジュール
１１０２  第４実行モジュール
１２００  第１ネットワーク
１２０１  プロセッサ
１２０２  メモリ
１２０３  ユーザインタフェース
１２０４  送受信機
１３００  第１ネットワーク
１３０１  プロセッサ
１３０２  メモリ
１３０３  ユーザインタフェース
１３０４  送受信機
１４００  ターゲットネットワーク
１４０１  プロセッサ
１４０２  メモリ
１４０３  ユーザインタフェース
１４０４  送受信機
１５００  端末
１５０１  無線周波数部、RF部
１５０２  ネットワークモジュール
１５０３  音声出力部、オーディオ出力部
１５０４  入力部
１５０４１  グラフィックスプロセッシングユニット、グラフィックプロセッサ
１５０４２  マイクロフォン
１５０５  センサ
１５０６  表示部
１５０６１  表示パネル
１５０７  ユーザ入力部
１５０７１  タッチパネル
１５０７２  入力装置
１５０８  インターフェース部
１５０９  メモリ
１５１０  プロセッサ
１５１１  電源
【図１】
2021520138.tif 000003
【図２】
2021520138.tif 000004
【図３】
2021520138.tif 000005
【図４】
2021520138.tif 000006
【図５】
2021520138.tif 000007
【図６】
2021520138.tif 000008
【図７】
2021520138.tif 000009
【図８】
2021520138.tif 000010
【図９】
2021520138.tif 000011
【図１０】
2021520138.tif 000012
【図１１】
2021520138.tif 000013
【図１２】
2021520138.tif 000014
【図１３】
2021520138.tif 000015
【図１４】
2021520138.tif 000016
【図１５】
2021520138.tif 000017
【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
第１ネットワークのネットワークユニットに適用するネットワーク間運用の方法であって、
前提条件を満たしているか否かを決定するステップ、及び、
前記前提条件を満たしている場合、第３ネットワーク又は相互運用ネットワーク要素を介して前記第１ネットワークから第２ネットワークへの関連運用を実行するステップを有し、
前記前提条件を満たしていることは、
前記第１ネットワークから前記第２ネットワークへの運用の第１関連情報を取得すること、
前記第１ネットワークから前記第２ネットワークへのＰＳ運用の第１関連情報を取得すること、
前記第１ネットワークから前記第２ネットワークへのＣＳ運用の第１関連情報を取得すること、
前記第１ネットワークから前記第２ネットワークへのハンドオーバー要求の情報を受信すること、
前記第１ネットワークと前記第２ネットワークとの間に直接のインターフェースが存在しなく、且つ第３ネットワーク又は相互運用ネットワーク要素を介して相互作用することこと、及び
端末が前記第２ネットワークにアクセスすることのうちの少なくとも１つを含み、
及び、
前記第１関連情報は、
第２ネットワーク能力情報、ＩＭＳセッション転送番号、移動局国際加入者識別子番号、緊急サービスであるかの指示情報、優先度情報のうちの少なくとも１つを含み、
及び／又は、
前記第１ネットワークから前記第２ネットワークへのハンドオーバー要求の情報は、
前記第１ネットワークから前記第２ネットワークへのＣＳハンドオーバーの指示情報、
ターゲットネットワークが前記第２ネットワークとして示され、第２ネットワークタイプのソース無線アクセスネットワークからターゲット無線アクセスネットワークへの伝送コンテナ情報、のうちの少なくとも１つを含む、
ネットワーク間運用の方法。
【請求項２】
前記の前記第１ネットワークから第２ネットワークへの関連運用を実行するステップは、
前記第１ネットワークから前記第２ネットワークへのハンドオーバーの関連運用を実行する段階、
前記第１ネットワークから前記第２ネットワークへのＣＳハンドオーバーの関連運用を実行する段階、
前記第１ネットワークから前記第２ネットワークへのＰａｃｋｅｔ Ｓｗｉｔｃｈｅｄ(ＰＳ)ハンドオーバーの関連運用を実行する段階、
前記第１ネットワークと前記第２ネットワークとの間の端末コンテキストを取得する関連運用を実行する段階、
前記第１ネットワークから前記第２ネットワークへのデータ転送の関連運用を実行する段階、
前記第１ネットワークから前記第２ネットワークへのＩｎｔｅｒｎｅｔ Ｐｒｏｔｏｃｏｌ（ＩＰ）アドレス保持の関連運用を実行する段階、
前記第１ネットワークの端末に関する情報を前記第２ネットワークの端末に関する情報にマッピングする段階、
前記第１ネットワークから前記第２ネットワークへの運用の第２関連情報を第１ターゲット側に送信する段階、及び
前記第１ネットワークから前記第２ネットワークへの運用の指示情報を第１ターゲット側に送信する段階、
のうちの少なくとも１つを含み、
及び、
前記の前記第１ネットワークから前記第２ネットワークへのＣＳハンドオーバーの関連運用を実行する段階は、
前記第１ネットワークの端末に関する情報を前記第２ネットワークの端末に関する情報にマッピングすること、
前記第１ネットワークの端末に関する情報を前記第３ネットワークの端末に関する情報にマッピングすること、
前記第１ネットワークから前記第２ネットワークへのＣＳハンドオーバー運用の第２関連情報を前記第１ターゲット側又は前記第３ネットワークのネットワークユニットに送信すること、
前記第１ネットワークから前記第２ネットワークへのＣＳハンドオーバー運用の指示情報を前記第１ターゲット側又は前記第３ネットワークのネットワークユニットに送信すること、及び
前記第１ネットワークから前記第３ネットワークへの、前記第１ネットワークから前記第２ネットワークへのＣＳハンドオーバー運用の指示情報及び／又は前記第２関連情報を含むハンドオーバー要求を、前記第１ターゲット側又は前記第３ネットワークのネットワークユニットに送信すること、
のうちの少なくとも１つを含み、
及び、
前記第２関連情報は、
前記第２ネットワークのターゲット無線アクセスネットワークノードの識別子情報、前記第２ネットワークのセキュリティ情報、アンカーポイントネットワーク識別子情報、サポートされる回線交換ドメイン音声コーデックリスト情報、移動局クラスマーク２情報、移動局クラスマーク３情報、前記第２ネットワークタイプのソース無線アクセスネットワークからターゲット無線アクセスネットワークへのトランスペアレントコンテナ情報、ＩＭＳセッション転送番号、移動局国際加入者識別子番号、移動局ネットワーク能力情報、ユーザ端末ネットワーク能力、緊急サービスであるかの指示情報、優先度情報、前記第１ネットワークの端末に関する情報、前記第２ネットワークの端末に関する情報、前記第３ネットワークの端末に関する情報、サービングゲートウェイ選択関連情報、
のうちの少なくとも１つを含み、
又は、
前記第１ネットワークから前記第２ネットワークへのＣＳハンドオーバー運用の指示情報は、
前記第１ネットワークから前記第２ネットワークへのＣＳハンドオーバーの指示情報、
前記第３ネットワークから前記第２ネットワークへのＣＳハンドオーバーを開始する指示情報、及び
前記相互運用ネットワーク要素から前記第２ネットワークへのＣＳハンドオーバーを開始する指示情報、のうちの少なくとも１つを含む、請求項１に記載の方法。
【請求項３】
前記第１ネットワークは５Ｇネットワークであり、前記第２ネットワークは３Ｇネットワークであり、前記第３ネットワークは４Ｇネットワークであり、
又は、
前記第１ネットワークは５Ｇネットワークであり、前記第３ネットワークはＭｏｂｉｌｉｔｙ Ｍａｎａｇｅｍｅｎｔ Ｅｎｔｉｔｙ（ＭＭＥ）を備える、請求項１に記載の方法。
【請求項４】
第３ネットワークのネットワークユニット又は相互運用ネットワーク要素に適用するネットワーク間運用の方法であって、
端末、第１ネットワークのネットワークユニット、第２ネットワークのネットワークユニットのうちの少なくとも１つを含む第２ターゲット側から送信された情報を受信するステップ、及び
前記情報に従って、前記第１ネットワークから前記第２ネットワークへの関連運用を実行するステップを有し、
前記情報は、
前記第１ネットワークから前記第２ネットワークへの運用の第２関連情報、
前記第１ネットワークから前記第２ネットワークへのＣＳハンドオーバー運用の第２関連情報、
前記第１ネットワークから前記第２ネットワークへのＣＳ運用の指示情報、
前記第１ネットワークから前記第２ネットワークへのＣＳハンドオーバー運用の指示情報、
前記第１ネットワークの情報、
前記第１ネットワークからマッピングされた前記第２ネットワークの情報、
前記第１ネットワークからマッピングされた前記第３ネットワークの情報、及び
サービングゲートウェイ選択関連情報、のうちの少なくとも１つを含み、
及び、
前記第２関連情報は、
前記第２ネットワークのターゲット無線アクセスネットワークノードの識別子情報、前記第２ネットワークのセキュリティ情報、アンカーポイントネットワーク識別子情報、サポートされる回線交換ドメイン音声コーデックリスト情報、移動局クラスマーク２情報、移動局クラスマーク３情報、第２ネットワークタイプのソース無線アクセスネットワークからターゲット無線アクセスネットワークへのトランスペアレントコンテナ情報、ＩＭＳセッション転送番号、移動局国際加入者識別子番号、移動局ネットワーク能力情報、ユーザ端末ネットワーク能力、緊急サービスであるかの指示情報、優先度情報、前記第１ネットワークの端末に関する情報、前記第２ネットワークの端末に関する情報、前記第３ネットワークの端末に関する情報、サービングゲートウェイ選択関連情報のうちの少なくとも１つを含み、
又は、
前記第１ネットワークから前記第２ネットワークへのＣＳハンドオーバー運用の指示情報は、
前記第１ネットワークから前記第２ネットワークへのＣＳハンドオーバーの指示情報、
前記第３ネットワークから前記第２ネットワークへのＣＳハンドオーバーを開始する指示情報、及び
前記相互運用ネットワーク要素から前記第２ネットワークへのＣＳハンドオーバーを開始する指示情報、のうちの少なくとも１つを含む、ネットワーク間運用の方法。
【請求項５】
前記の前記第１ネットワークから前記第２ネットワークへの関連運用を実行するステップは、
前記第１ネットワークから前記第３ネットワークに送信された情報を、前記第３ネットワークから前記第２ネットワークに送信された情報にマッピングして導出し、前記第２ネットワークに送信する段階、
前記第２ネットワークから前記第３ネットワークに送信された情報を、前記第３ネットワークから前記第１ネットワークに送信された情報にマッピングして導出し、前記第１ネットワークに送信する段階、
第１インターフェースと第２インターフェースとの間の情報をマッピングして中継する段階、
前記第３ネットワークから前記第２ネットワークＣＳへのハンドオーバー要求を開始する段階、
前記相互運用ネットワーク要素から前記第２ネットワークＣＳへのハンドオーバー要求を開始する段階、
前記第３ネットワークから前記第２ネットワークＰＳへのハンドオーバー要求を開始する段階、
前記相互運用ネットワーク要素から前記第２ネットワークＰＳへのハンドオーバー要求を開始する段階、
前記第１ネットワークから前記第２ネットワークへの端末コンテキストに関する関連運用を実行する段階、
前記第１ネットワークの端末に関する情報を前記第２ネットワークの端末に関する情報にマッピングする段階、
受信した前記第２ターゲット側から送信された情報を前記第２ネットワークに送信する段階、
受信した前記第１ネットワークの端末に関する情報を前記第２ネットワークの端末に関する情報にマッピングする段階、
受信した前記第３ネットワークの端末に関する情報を前記第２ネットワークの端末に関する情報にマッピングする段階、及び
端末のためにサービングゲートウェイを選択する段階、のうちの少なくとも１つを含み、
前記第１インターフェースは、前記第２ネットワークと前記第３ネットワークとの間のインターフェースであり、前記第２インターフェースは、前記第１ネットワークと前記第３ネットワークとの間のインターフェースである、請求項４に記載の方法。
【請求項６】
前記第１ネットワークの端末に関する情報を前記第２ネットワークの端末に関する情報にマッピングする段階は、
前記第１ネットワークのセキュリティ情報を前記第２ネットワークのセキュリティ情報にマッピングすること、
前記第１ネットワークサービス端末のネットワーク識別子情報をアンカーポイントネットワーク識別子情報にマッピングすること、及び
端末の前記第１ネットワークのユーザ識別子を前記第２ネットワークのユーザ識別子にマッピングすることのうちの少なくとも１つを含み、
及び、
前記の前記第１ネットワークのセキュリティ情報を前記第２ネットワークのセキュリティ情報にマッピングすることは、
第１マッピングルールに従って、前記第１ネットワークのセキュリティ情報を前記第２ネットワークのセキュリティ情報に直接マッピングすること、及び
第２マッピングルールに従って、前記第１ネットワークのセキュリティ情報を前記第３ネットワークのセキュリティ情報にマッピングし、また、前記第３ネットワークのセキュリティ情報を前記第２ネットワークのセキュリティ情報にマッピングすること、のうちの少なくとも１つを含む、請求項５に記載の方法。
【請求項７】
端末に適用するネットワーク間運用の方法であって、
第１ネットワークから第２ネットワークへの運用の特性情報を取得するステップ、及び
前記特性情報に従って、前記第１ネットワークから第２ネットワークへの関連運用を実行するステップを有し、
前記第１ネットワークから第２ネットワークへの運用の特性情報は、
前記第１ネットワークから前記第２ネットワークへのハンドオーバー運用の指示情報、
前記第１ネットワークから前記第２ネットワークへのＣＳハンドオーバー運用の第２関連情報、
前記第１ネットワークから前記第２ネットワークへの運用の第２関連情報、
端末が前記第１ネットワークから前記第２ネットワークに移行すること、のうちの少なくとも１つを含み、
及び、
前記第１ネットワークから前記第２ネットワークへのハンドオーバー運用の指示情報は、
前記第１ネットワークから前記第２ネットワークへのハンドオーバーの指示情報、
前記第１ネットワークから前記第２ネットワークへのＣＳハンドオーバーの指示情報、及び
第２ネットワークタイプのターゲット無線アクセスネットワークからソース無線アクセスネットワークへの伝送コンテナ情報、のうちの少なくとも１つを含む、ネットワーク間運用の方法。
【請求項８】
前記の前記第１ネットワークから前記第２ネットワークへの関連運用を実行するステップは、
前記第１ネットワークの端末に関する情報を前記第２ネットワークの端末に関する情報にマッピングする段階を含み
及び、
前記の前記第１ネットワークの端末に関する情報を前記第２ネットワークの端末に関する情報にマッピングする段階は、
前記端末の前記第１ネットワークのユーザ識別子を前記第２ネットワークのユーザ識別子にマッピングすること、
前記第１ネットワークサービス端末のネットワーク識別子情報をアンカーポイントネットワーク識別子情報にマッピングすること、及び
前記第１ネットワークのセキュリティ情報を前記第２ネットワークのセキュリティ情報にマッピングすることのうちの少なくとも１つを含み、
及び、
前記の前記第１ネットワークのセキュリティ情報を前記第２ネットワークのセキュリティ情報にマッピングすることは、
第１マッピングルールに従って、前記第１ネットワークのセキュリティ情報を前記第２ネットワークのセキュリティ情報に直接マッピングすること、及び
第２マッピングルールに従って、前記第１ネットワークのセキュリティ情報を第３ネットワークのセキュリティ情報にマッピングし、また、前記第３ネットワークのセキュリティ情報を前記第２ネットワークのセキュリティ情報にマッピングすることのうちの少なくとも１つを含む、請求項７に記載の方法。
【請求項９】
前記第２関連情報は、
前記第２ネットワークのターゲット無線アクセスネットワークノードの識別子情報、前記第２ネットワークのセキュリティ情報、アンカーポイントネットワーク識別子情報、サポートされる回線交換ドメイン音声コーデックリスト情報、移動局クラスマーク２情報、移動局クラスマーク３情報、前記第２ネットワークタイプのソース無線アクセスネットワークからターゲット無線アクセスネットワークへのトランスペアレントコンテナ情報、ＩＭＳセッション転送番号、移動局国際加入者識別子番号、移動局ネットワーク能力情報、ユーザ端末ネットワーク能力、緊急サービスであるかの指示情報、優先度情報、前記第１ネットワークの端末に関する情報、前記第２ネットワークの端末に関する情報、前記第３ネットワークの端末に関する情報、サービングゲートウェイ選択関連情報のうちの少なくとも１つを含む、請求項７に記載の方法。
【請求項１０】
前記の第１ネットワークから第２ネットワークへのハンドオーバー運用の特性情報を取得する前に、
前記第１ネットワークから前記第２ネットワークへのＣＳハンドオーバー運用の第１関連情報を前記第１ネットワークに送信するステップ、又は
前記第１ネットワークから前記第２ネットワークへの運用の第１関連情報を前記第１ネットワークに送信するステップをさらに有し、
及び、
前記第１関連情報は、
第２ネットワーク能力情報、ＩＭＳセッション転送番号、移動局国際加入者識別子番号、緊急サービスであるかの指示情報、優先度情報のうちの少なくとも１つを含む、請求項７に記載の方法。
【請求項１１】
前記第１ネットワークは５Ｇネットワークであり、前記第２ネットワークは３Ｇネットワークである、請求項７に記載の方法。
【請求項１２】
前提条件を満たしているか否かを決定するための第１決定モジュールと、
前記前提条件を満たしている場合、第３ネットワーク又は相互運用ネットワーク要素を介して、第１ネットワークから第２ネットワークへの関連運用を実行するための第１実行モジュールとを備える、第１ネットワーク。
【請求項１３】
第２ターゲット側から送信された情報を受信するための第３受信モジュールと、
前記情報に従って、第１ネットワークから第２ネットワークへの関連運用を実行するための第３実行モジュールとを備える、
第３ネットワーク又は相互運用ネットワーク要素。
【請求項１４】
第１ネットワークから第２ネットワークへのハンドオーバー運用の特性情報を取得するための取得モジュールと、
前記特性情報に従って、前記第１ネットワークから第２ネットワークへの関連運用を実行するための第４実行モジュールとを備える、端末。
【請求項１５】
プロセッサによって実行されるとき、請求項１−３のいずれか１項に記載のネットワーク間運用の方法のステップを実現し、又は請求項４−６のいずれか１項に記載のネットワーク間運用の方法のステップを実現し、又は請求項７−１１のいずれか１項に記載のネットワーク間運用の方法のステップを実現するコンピュータプログラムを記憶した、非一時的なコンピュータ可読記憶媒体。
【国際調査報告】
2021520138.tif 000018
2021520138.tif 000019
2021520138.tif 000020
2021520138.tif 000021